(57)【要約】      （修正有）【課題】物品、並びに書類上の偽造防止手段として、視角に応じた光学効果を示す光学効果層（ＯＥＬ）、ＯＥＬの製造装置及びプロセス、及びＯＥＬを有する前記光学効果層を使用する技術を提供する。【解決手段】ＯＥＬは、バインダ材料を含むコーティング組成物中に分散した複数の非球状磁性又は磁化可能粒子を含み、２つ以上のループ状領域であり、最内ループ状領域に囲まれた共通中央領域の周りで入れ子になった、２つ以上のループ状領域を備え、当該ＯＥＬ層に垂直な断面であり、中央領域の中心から最外ループ状領域の外側境界まで延びた断面において、当該ループ状領域の断面領域それぞれにおける複数の非球状磁性又は磁化可能粒子の最長軸が仮想的な楕円又は円の負湾曲部又は正湾曲部の接線に従うように、ループ状領域のそれぞれでは当該粒子の少なくとも一部が配向している。【選択図】図２１Ａ
2018141960.tif 000002
【特許請求の範囲】
【請求項１】
光学効果層（ＯＥＬ）であって、前記ＯＥＬが、バインダ材料を含むコーティング組成物中に分散した複数の非球状磁性又は磁化可能粒子を含み、
前記ＯＥＬが、２つ以上のループ状領域であり、最内ループ状領域に囲まれた共通中央領域の周りで入れ子になった、２つ以上のループ状領域を備え、
前記ＯＥＬ層に垂直な断面であり、前記中央領域の中心から最外ループ状領域の外側境界まで延びた断面において、前記ループ状領域の断面領域それぞれにおける前記複数の非球状磁性又は磁化可能粒子の最長軸が仮想的な楕円又は円の負湾曲部又は正湾曲部の接線に従うように、前記ループ状領域のそれぞれでは前記粒子の少なくとも一部が配向した、光学効果層（ＯＥＬ）。
【請求項２】
前記最外ループ状領域の外側の外部領域であって、前記最外ループ状領域を囲み、複数の非球状磁性又は磁化可能粒子を含む、外部領域をさらに備え、前記外部領域内の前記複数の非球状磁性又は磁化可能粒子の少なくとも一部が、その最長軸が前記ＯＥＬの平面と実質的に垂直となるように配向するか、又はランダムに配向した、請求項１に記載の光学効果層（ＯＥＬ）。
【請求項３】
前記最内ループ状領域に囲まれた前記中央領域が、複数の非球状磁性又は磁化可能粒子を含み、前記中央領域内の前記複数の非球状磁性又は磁化可能粒子の一部が、その最長軸が前記ＯＥＬの平面と実質的に平行となるように配向して、突起の光学効果を構成した、請求項１又は２に記載の光学効果層（ＯＥＬ）。
【請求項４】
前記突起の外周形状が、前記最内ループ状領域の形状に類似した、請求項３に記載の光学効果層（ＯＥＬ）。
【請求項５】
前記ループ状領域がそれぞれリングの形態を有し、前記突起が中実円又は半球の形状を有する、請求項３又は４に記載の光学効果層（ＯＥＬ）。
【請求項６】
前記複数の非球状磁性又は磁化可能粒子の少なくとも一部が、非球状光学可変磁性又は磁化可能顔料で構成された、請求項１〜５のいずれか一項に記載の光学効果層（ＯＥＬ）。
【請求項７】
前記光学可変磁性又は磁化可能顔料が、磁性薄膜干渉顔料、磁性コレステリック液晶顔料、及びこれらの混合物から成る群から選択される、請求項６に記載の光学効果層（ＯＥＬ）。
【請求項８】
前記ループ状領域内及び／又は前記ループ状領域に囲まれた前記中央領域内の前記複数の非球状磁性又は磁化可能粒子が、前記ＯＥＬの表面から延びた１つ又は複数の３次元物体の光学効果を与えるように配向した、請求項１〜７のいずれか一項、好ましくは請求項３に記載の光学効果層（ＯＥＬ）。
【請求項９】
磁石及び磁極片から選択され、少なくとも１つの磁石を含む複数の要素を具備した磁界発生装置であり、前記複数の要素が、（ｉ）支持表面の下方又は支持表面として作用する基板を受容するように構成された空間の下方に配置されるか、又は（ｉｉ）支持表面を構成し、且つ磁界を提供可能なように構成された、磁界発生装置であって、前記支持表面又は空間の上方の２つ以上の領域において磁力線が前記支持表面又は空間と実質的に平行に延びており、
ｉ）前記２つ以上の領域が、中央領域を囲む入れ子のループ状領域を構成し、及び／又は、
ｉｉ）前記複数の要素が複数の磁石を含み、磁力線が前記支持表面又は空間と実質的に平行に延びた前記領域が回転軸周りの回転により組み合わさるように前記磁石が前記回転軸周りに回転可能に配置され、前記回転軸周りの回転により１つの中央領域を囲む複数の入れ子のループ状領域を構成する、磁界発生装置。
【請求項１０】
前記支持表面又は空間の上方であり前記回転軸を中心とする領域において、磁力線が磁石の平面と実質的に平行に延びた磁界が発生するように、前記磁石が配置された、請求項９の選択肢ｉｉ）に記載の磁界発生装置。
【請求項１１】
中央領域を囲む入れ子のループ状領域を構成する平行磁力線の前記２つ以上の領域が、磁石及び磁極片から選択される複数の要素の配置によって構成され、前記要素のうちの少なくとも１つが、前記支持表面又は空間の上方に平行磁力線を有する前記ループ状領域に対応したループ状形態を有する、請求項９の選択肢ｉ）に記載の磁界発生装置。
【請求項１２】
磁石及び磁極片から選択される複数の要素の前記配置が、磁気軸が前記支持表面又は空間と実質的に垂直である少なくとも１つのループ状磁石を含み、前記配置が好ましくは、ループ状形態を有する磁極片をさらに含み、前記ループ状磁石及び前記ループ状磁極片が中央領域を入れ子状に囲む、請求項１１に記載の磁界発生装置。
【請求項１３】
前記中央領域が、磁気軸が前記支持表面又は空間と実質的に垂直である棒状双極子磁石又は中央磁極片を含み、前記磁極片及び前記磁石が前記中央領域から交互に配置された、請求項１２に記載の磁界発生装置。
【請求項１４】
前記複数の磁石が、前記回転軸周りに対称に配置され、磁気軸が前記支持表面又は空間と実質的に平行又は実質的に垂直である、請求項９の選択肢ｉｉ）又は請求項１０に記載の磁界発生装置。
【請求項１５】
ａ）ＮＳ軸が前記支持表面又は空間に垂直となるようにループ状軸方向磁化双極子磁石が設けられ、前記ループ状磁石が中央領域を囲む磁界発生装置であり、前記支持表面又は前記空間に関して前記ループ状軸方向磁化双極子磁石の下方に設けられ、前記ループ状磁石により構成されたループの一方側を閉塞する磁極片をさらに備え、前記磁極片が、前記ループ状磁石に囲まれた空間に延入し、前記ループ状磁石から離隔している１つ又は複数の突起を構成した、磁界発生装置であって、
ａ１）前記磁極片が、前記ループ状磁石に囲まれた前記中央領域に延入する１つの突起を構成し、前記突起が、前記ループ状磁石から横方向に離隔して、前記中央領域の一部を満たしているか、
ａ２）前記磁極片が、１つのループ状突起を構成し、前記ループ状磁石とＮＳ方向が同じである中央棒状双極子磁石を囲み、前記突起及び前記棒状双極子磁石が互いに離隔しているか、又は
ａ３）前記磁極片が、２つ以上の離隔突起を構成し、これらのうちすべて又はこれらの１つを除くすべてがループ状であり、突起数に応じて、前記離隔ループ状突起間に形成された空間に、第１の軸方向磁化ループ状磁石とＮＳ方向が同じである１つ又は複数の付加的な軸方向磁化ループ状磁石が設けられ、前記付加的な磁石が前記ループ状突起から離隔しており、前記支持表面又は前記空間から見た場合に離隔ループ状磁極片突起及びループ状軸方向磁化双極子磁石の交互配置が１つの中央領域を囲んで構成され、前記ループ状突起及び前記ループ状磁石に囲まれた前記中央領域が、前記周囲のループ状磁石とＮＳ方向が同じである中央棒状双極子磁石又は前記磁極片の中心突起で部分的に満たされ、前記中央領域が、棒状双極子磁石又は前記中心突起で満たされた、磁界発生装置と、
ｂ）２つ以上の棒状双極子磁石及び２つ以上の磁極片を具備した磁界発生装置であって、
同数の磁極片及び棒状双極子磁石を備え、前記棒状双極子磁石が、前記支持表面又は空間と実質的に垂直なＮＳ軸を有し、ＮＳ方向が同じであり、好ましくは前記支持表面又は空間と垂直に延びた１つの線に沿って、前記支持表面又は空間から異なる距離に設けられ、互いに離隔しており、
前記磁極片が、前記棒状双極子磁石間の空間に設けられて接触しており、前記磁極片が、前記支持表面又は空間の隣にある前記棒状双極子磁石が配置された中央領域をループ状形態で囲む１つ又は複数の突起を構成した、磁界発生装置と、
ｃ）前記支持表面又は空間の下方に配置され、ＮＳ方向が前記支持表面又は空間に垂直である１つの棒状双極子磁石と、
前記磁石の上方且つ前記支持表面又は空間の下方に配置された１つ又は複数のループ状磁極片であり、複数のループ状磁極片の場合は離隔するとともに同一平面上で入れ子になって配置され、下側に前記磁石が配置された中央領域を横方向に囲む、１つ又は複数のループ状磁極片と、を具備した磁界発生装置であって、
最外ループ状磁極片と略同じサイズ及び略同じ外周形状を有する第１の板状磁極片であり、その外周形状が、前記支持表面又は空間からの方向における前記ループ状磁極片の最外周と重なるように前記磁石の下方に配置され、前記磁石の磁極の一方と接触した、第１の板状磁極片と、前記磁石の他方の磁極と接触した中央磁極片であり、外周形状がループ状であって、前記中央領域を部分的に満たし、前記１つ又は複数のループ状磁極片から横方向に離隔して囲まれた、中央磁極片とをさらに備えた、磁界発生装置と、
ｄ）前記磁石の一方の磁極の上方で接触し、前記１つ又は複数のループ状磁極片の下方で接触し、前記中央磁極片の下方で接触した位置に、外周形状がループ状である第２の板状磁極片が設けられることによって、前記中央磁極片が前記磁石の前記磁極と直接接触しておらず、前記第２の板状磁極片が、前記第１の板状磁極片と略同じサイズ及び形状である、前記項目ｃ）に記載の磁界発生装置と、
ｅ）前記支持表面又は空間の下方において、前記支持表面又は空間に垂直な回転軸周りに回転可能に２つ以上の棒状双極子磁石が配置され、前記２つ以上の棒状双極子磁石が、前記回転軸から離隔するとともに互いに離隔しており、前記回転軸の両側に対称に設けられた磁界発生装置であり、前記支持表面又は空間の下方且つ前記回転軸上に配置された１つの棒状双極子磁石を任意選択としてさらに具備した、磁界発生装置であって、
ｅ１）前記回転軸の一方側において、前記支持表面又は空間と実質的に垂直且つ前記回転軸と実質的に平行なＮＳ軸を有する１つ又は複数の棒状双極子磁石を備え、すべての磁石のＮＳ方向が前記支持表面又は空間に関して同一であり、前記磁石が互いに離隔しており、
前記磁界発生装置が、前記支持表面又は空間の下方且つ前記回転軸上に配置された１つの棒状双極子磁石を任意選択として備え、そのＮＳ軸が前記支持表面又は空間と実質的に垂直且つ前記回転軸と実質的に平行であり、そのＮＳ方向が、前記軸周りに回転可能に配置され、そこから離隔している前記磁石のＮＳ方向と同一又は反対であるか、
ｅ２）前記回転軸上に任意選択としての棒状双極子磁石が存在せず、前記磁界発生装置が、前記回転軸の一方側において、互いに離隔するとともに前記回転軸から離隔して配置された２つ以上の棒状双極子磁石を備え、前記磁石のＮＳ軸が、前記支持表面又は空間と実質的に垂直且つ前記回転軸と実質的に平行であり、前記軸の一方側に設けられた前記磁石のＮＳ方向が交互になっており、最内磁石のＮＳ方向が前記回転軸に関して同一又は反対であるか、
ｅ３）前記回転軸上に任意選択としての棒状双極子磁石が存在せず、前記磁界発生装置が、前記回転軸の一方側において、互いに離隔するとともに前記回転軸から離隔して配置された２つ以上の棒状双極子磁石を備え、前記磁石のＮＳ軸が、前記支持表面又は空間と実質的に垂直且つ前記回転軸と実質的に平行であり、前記軸の一方側に設けられた前記磁石のＮＳ方向が同じであり、前記回転軸の異なる側に設けられた前記磁石のＮＳ方向が反対であるか、
ｅ４）前記磁界発生装置が、前記回転軸の一方側において、前記回転軸から離隔するとともに、一方側に２つ以上の磁石が存在する場合は互いに離隔して配置された１つ又は複数の棒状双極子磁石を備え、
前記磁石のＮＳ軸が、前記支持表面又は空間と実質的に平行且つ前記回転軸に対して実質的に放射状であり、
すべての磁石のＮＳ方向が本質的に同じ方向を向くように前記磁石のＮＳ方向が配置され、さらに
ｅ４−１）前記回転軸上に任意選択としての磁石が存在せず、前記回転軸の一方側に少なくとも２つの磁石が設けられるか、又は、
ｅ４−２）前記回転軸上に任意選択としての磁石が設けられ、一方側の前記磁石がそこから離隔して配置され、前記回転軸上の前記磁石が、前記支持表面と実質的に平行なＮＳ軸を有する棒状双極子磁石であり、そのＮＳ方向が前記回転軸の一方側に設けられた他の磁石と同じ方向を向くか、
ｅ５）前記磁界発生装置が、前記回転軸上に任意選択としての磁石が設けられておらず、前記回転軸の一方側において、前記回転軸から離隔するとともに互いに離隔して配置された２つ以上の棒状双極子磁石を備え、前記磁石のＮＳ軸が、前記支持表面又は空間と実質的に平行且つ前記回転軸に対して実質的に放射状であり、すべての磁石のＮＳ方向が前記回転軸に関して対称である（すなわち、すべてが前記回転軸側又はその反対側を向く）か、
ｅ６）前記磁界発生装置が、前記回転軸上に任意選択としての磁石が設けられておらず、前記回転軸の一方側において、前記回転軸から離隔するとともに互いに離隔して配置された一対又は複数対の棒状双極子磁石を備え、すべての磁石のＮＳ軸が、前記支持表面又は空間と実質的に平行且つ前記回転軸に対して実質的に放射状であり、各磁石対が、互いの方向又はその反対方向を向いたＮＳ方向が反対である２つの磁石で構成され、一方側の最内磁石対の最内磁石のＮＳ方向が、
ｅ６−１）両方が前記回転軸側又はその反対側を向き、前記回転軸に関して対称であるか、又は
ｅ６−２）一方が前記回転軸側、一方がその反対側を向き、前記回転軸に関して非対称であるか、
ｅ７）前記磁界発生装置が、
ｅ７−１）前記回転軸上に前記任意選択としての棒状双極子磁石と、前記回転軸の一方側に１つ又は複数の磁石とを備え、すべての磁石のＮＳ軸が、前記支持表面と実質的に平行であり、前記回転軸の一方側の前記磁石のＮＳ軸が、前記回転軸に対して実質的に放射状であるか、若しくは、
ｅ７−２）前記磁界発生装置が、前記回転軸上に前記任意選択としての棒状双極子磁石を備えておらず、前記回転軸の一方側において、前記回転軸から離隔して配置された２つ以上の磁石を備え、すべての磁石のＮＳ軸が、前記支持表面又は空間と実質的に平行且つ前記回転軸に対して実質的に放射状であり、
いずれの場合にも、一方側の最外磁石から他方側の最外磁石までＮＳ方向が一直線となるように、前記回転軸の一方側に配置された前記磁石のＮＳ方向が、前記回転軸に関して、前記回転軸の他方側に配置された前記磁石のＮＳ方向と非対称であり（すなわち、一方側では前記回転軸側、他方側ではその反対側を向く）、前記ｅ７−１の場合の前記回転軸上の前記磁石が前記直線上に整列しているか、
ｅ８）前記磁界発生装置が、前記回転軸の一方側において、前記支持表面又は空間と実質的に垂直且つ前記回転軸と実質的に平行なＮＳ軸を有する２つ以上の棒状双極子磁石と、任意選択として、前記回転軸上に配置され、前記支持表面又は空間と実質的に垂直且つ前記回転軸と実質的に平行なＮＳ軸を有する棒状双極子磁石とを備え、
隣接する磁石のＮＳ方向が前記支持表面又は空間に関して反対であり、前記磁石が互いに離隔しているか、又は、
ｅ９）前記磁界発生装置が、前記回転軸の一方側において、前記支持表面又は空間と実質的に平行且つ前記回転軸に対して実質的に放射状のＮＳ軸を有する２つ以上の棒状双極子磁石と、任意選択として、前記回転軸上に配置され、前記支持表面又は空間と実質的に平行且つ前記回転軸と実質的に垂直なＮＳ軸を有する棒状双極子磁石とを備え、隣接する磁石のＮＳ方向が反対方向を向き、前記磁石が互いに離隔している、磁界発生装置と、
ｆ）ＮＳ軸が前記支持表面又は空間に垂直となるように２つ以上のループ状双極子磁石が設けられ、前記２つ以上のループ状磁石が入れ子に配置され、離隔して、１つの中央領域を囲み、前記磁石が軸方向に磁化され、隣接するループ状磁石のＮＳ方向が反対であって、前記支持表面若しくは空間側又はその反対側を向いた磁界発生装置であって、
前記ループ状磁石に囲まれた前記中央領域に設けられた棒状双極子磁石をさらに備え、前記棒状双極子磁石が、前記支持表面と実質的に垂直且つ前記ループ状磁石のＮＳ軸に平行なＮＳ軸を有し、前記棒状双極子磁石のＮＳ方向が、最内ループ状磁石のＮＳ方向と反対であり、任意選択として、前記支持表面又は空間の反対側に、前記中央棒状双極子磁石及び前記ループ状磁石と接触した磁極片をさらに備えた、磁界発生装置と、
ｇ）板平面に垂直に磁化され、突起及び圧痕を有する永久磁石板を備え、前記突起及び圧痕が、中央領域を囲む入れ子のループ状突起及び圧痕を構成するように配置され、前記突起及び圧痕が反対方向の磁極を構成した、磁界発生装置と、
ｈ）回転軸周りに設けられた複数の棒状双極子磁石であり、前記回転軸の一方側の前記磁石が、前記支持表面又は空間と実質的に平行又は垂直なＮＳ軸を有する２つ以上の棒状双極子磁石である、複数の棒状双極子磁石と、任意選択として、前記回転軸上に配置され、前記支持表面と実質的に平行又は垂直なＮＳ軸を有する棒状双極子磁石とを備え、隣接する磁石のＮＳ方向が同じ方向又は反対の方向を向き、前記磁石が互いに離隔又は直接接触しており、前記磁石が任意選択として下地板上に設けられた、磁界発生装置と、
から成る群から選択される、請求項９に記載の磁界発生装置。
【請求項１６】
請求項９〜１５のいずれか一項に記載の磁界発生装置を備え、任意選択として回転印刷アセンブリである、印刷アセンブリ。
【請求項１７】
請求項１〜８のいずれか一項に記載のＯＥＬを製造するための、請求項９〜１５のいずれか一項に記載の磁界発生装置の使用。
【請求項１８】
光学効果層（ＯＥＬ）を製造するプロセスであって、
ａ）バインダ材料及び複数の非球状磁性又は磁化可能粒子を含むコーティング組成物を支持表面又は基板表面上に塗布するステップであり、前記コーティング組成物が第１の（流体）状態にある、ステップと、
ｂ）第１の状態の前記コーティング組成物を磁界発生装置、好ましくは請求項９〜１５のいずれか一項に記載の磁界発生装置の磁界に曝露することによって、１つの中央領域を囲む複数の入れ子のループ状領域で前記非球状磁性又は磁化可能粒子の少なくとも一部を配向させ、前記ループ状領域の断面領域それぞれにおける前記粒子の最長軸が仮想的な楕円又は円の負湾曲部又は正湾曲部の接線に従うようにするステップと、
ｃ）前記コーティング組成物を固化させて第２の状態とすることにより、前記非球状磁性又は磁化可能粒子を所定の位置及び向きに固定するステップと、
を含む、プロセス。
【請求項１９】
前記固化ステップｃ）を紫外・可視光放射線硬化によって行う、請求項１８に記載のプロセス。
【請求項２０】
請求項１８又は１９に記載のプロセスによって取得可能な、請求項１〜８のいずれか一項に記載の光学効果層。
【請求項２１】
請求項１〜８のいずれか一項又は請求項２０に記載の１つ又は複数の光学効果層を基板上に備えた光学効果層被覆基板（ＯＥＣ）。
【請求項２２】
請求項１〜８のいずれか一項又は請求項２０に記載の光学効果層を備えたセキュリティ書類、好ましくは紙幣又は身分証明書類。
【請求項２３】
偽造又は不正に対するセキュリティ書類の保護又は装飾用途のための、請求項１〜８のいずれか一項又は請求項２０に記載の光学効果層又は請求項２１に記載の光学効果被覆基板の使用。
【発明の詳細な説明】
【技術分野】
【０００１】
[001]本発明は、偽造及び違法複製に対する有価書類及び有価商品の保護の分野に関する。特に、本発明は、視角に応じた光学効果を示す光学効果層（ＯＥＬ）、前記ＯＥＬの製造装置及びプロセス、前記ＯＥＬを有する物品、並びに書類上の偽造防止手段としての前記光学効果層の使用に関する。
【背景技術】
【０００２】
[002]例えばセキュリティ書類の分野においては、配向磁性又は磁化可能の粒子又は顔料、具体的には光学可変磁性顔料を含むインク、組成物、又は層を用いることによって、セキュリティ要素を製造することが当技術分野では知られている。配向磁性又は磁化可能粒子を含むコーティング又は層については、例えば米国特許第２，５７０，８５６号、米国特許第３，６７６，２７３号、米国特許第３，７９１，８６４号、米国特許第５，６３０，８７７号、及び米国特許第５，３６４，６８９号に開示されている。配向磁性変色顔料粒子を含むことによって光学効果を特に示し、セキュリティ書類の保護に有用なコーティング又は層については、国際公開第２００２／０９０００２Ａ２号パンフレット及び国際公開第２００５／００２８６６Ａ１号パンフレットに開示されている。
【０００３】
[003]例えばセキュリティ書類のセキュリティ対策は一般的に、一方では「秘密」のセキュリティ対策、他方では「公然」のセキュリティ対策に分類可能である。秘密のセキュリティ対策による保護は、そのような対策が検出困難であり、検出には通常、特殊な機器及び知識が必要である、という概念に依拠している。一方、「公然」のセキュリティ対策は、人間の感覚のみで容易に検出可能であり、例えばそのような対策の可視化及び／又は触覚による検出が可能でありながら、製造及び／又はコピーは依然として困難である、という概念に依拠している。ただし、公然のセキュリティ対策の有効性は、そのセキュリティ対策としての容易な認識に大きく依存している。ほとんどのユーザ、特に保護している書類又は物品のセキュリティ対策に関する予備知識のないユーザは、前記セキュリティ対策の存在及び性質を実際に把握した場合に、そのセキュリティ対策に基づいて実際にセキュリティ確認を行うしかないためである。
【０００４】
[004]セキュリティ対策の視覚的外観が変化して、視角等の視認条件が変化する場合は、特筆すべき光学効果を実現可能である。そのような効果は、欧州特許出願公開第１７１０７５６号に開示されているように、例えば固化コーティング層中の配向顔料粒子に依拠した凹状且つ各々凸状のフレネル型反射表面等の動的外観変化光学デバイス（ＤＡＣＯＤ）により得ることができる。この文献は、磁気特性を有する顔料を磁界中で整列させることによって、顔料又は薄片を含む印刷画像を得る方法を記載している。顔料又は薄片は、磁界中での整列後、フレネル反射器等のフレネル構造配置を示す。画像を傾けて観察者に対する反射方向を変更することにより、観察者に対する最大反射領域は、薄片又は顔料の整列に従って移動する。このような構造の一例として、所謂「ローリングバー（ｒｏｌｌｉｎｇ  ｂａｒ）」効果がある。現在、この効果は、南アフリカの５０ランド紙幣の「５０」等、紙幣上の多くのセキュリティ要素に利用されている。ただし、このようなローリングバー効果は一般的に、セキュリティ書類をある方向、すなわち観察者の視点から上下又は左右に傾けた場合に観察可能である。
【０００５】
[005]フレネル型反射表面は平坦であるが、凹状又は凸状の反射半球の外観を与えている。前記フレネル型反射表面は、欧州特許出願公開第１７１０７５号の図３７Ａ〜図３７Ｄに示されているように、非等方的に反射する磁性又は磁化可能粒子を含む湿潤コーティング層を単一双極子磁石の磁界に曝露することによって製造可能である。この磁石は、コーティング層の平面の上方且つ各々下方に配設され、前記平面に平行なＮＳ軸を有し、前記平面に垂直な軸周りに回転している。このように配向した粒子は結果的に、コーティング層の固化によって、所定の位置及び向きに固定される。
【０００６】
[006]視角を変えると移動しているように見えるリングを示す移動リング画像（「ローリングリング（ｒｏｌｌｉｎｇ  ｒｉｎｇ）」効果）は、非等方的に反射する磁性又は磁化可能粒子を含む湿潤コーティング層を双極子磁石の磁界に曝露することによって作成される。国際公開第２０１１／０９２５０２号パンフレットは、コーティング層中で粒子を配向させる装置を用いて取得又は作成可能な移動リング画像を開示している。この開示の装置によれば、柔軟な磁化可能シートと、コーティング層の平面に垂直なＮＳ軸を有し、前記柔軟な磁化可能シートの下方に配設された球状磁石との組み合わせにより形成された磁界を用いることによって、磁性又は磁化可能粒子を配向可能である。
【０００７】
[007]従来技術の移動リング画像は一般的に、唯一の回転又は固定磁石の磁界に従って磁性又は磁化可能粒子を整列させることにより作成される。一般的に、唯一の磁石の磁力線は比較的緩やかに曲がっている、すなわち曲率が小さいため、磁性又は磁化可能粒子の配向の変化についても、ＯＥＬの表面全体で比較的緩やかである。使用している磁石が１つの場合は、磁石からの距離の増大に応じて磁界の強度が急速に低下する。このため、磁性又は磁化可能粒子の配向によって高動的且つ明確な対策を得るのが困難となり、「ローリングリング」効果は、リングの縁部が不鮮明となってしまう場合がある。この問題は、使用している固定又は回転磁石が１つのみの場合、「ローリングリング」画像のサイズ（直径）の増大に応じて顕著になる。
【０００８】
[008]以上から、高品質の書類上の拡張領域を網羅する人目を引く動的なループ状効果を示すセキュリティ対策であって、セキュリティ書類の向きに関わらず容易に確認可能であり、偽造者が入手可能な機器での大規模な製造が困難であり、考え得る様々な形状及び形態で提供可能なセキュリティ対策が依然として求められている。
【発明の概要】
【０００９】
[009]したがって、本発明は、上述の従来技術の欠点を克服することを目的とする。これは、例えば書類等の物品上において、１つの共通中央領域を囲む複数の入れ子のループ状領域を備えることにより、拡張された全長にわたって視角に応じた画像特徴の見掛けの運動を示し、良好な鮮明性及び／又はコントラストを有し、容易に検出可能な光学効果層（ＯＥＬ）を提供することによって実現される。本発明は、検出が容易な改良された公然のセキュリティ対策として、又はその追加又は代替として、例えば書類セキュリティの分野における秘密のセキュリティ対策として、このような光学効果層（ＯＥＬ）を提供する。すなわち、一態様において、本発明は、光学効果層（ＯＥＬ）であって、ＯＥＬが、バインダ材料を含むコーティング組成物中に分散した複数の非球状磁性又は磁化可能粒子を含み、それぞれがループ形状を有する２つ以上の領域（ループ状領域とも称する）であり、最内ループ状領域に囲まれた共通中央領域の周りで入れ子になった、ループ状領域をＯＥＬが備え、ＯＥＬ層に垂直な断面であり、中央領域の中心から最外ループ状領域の外側境界まで延びた断面において、ループ状領域の断面領域それぞれにおける上記複数の非球状磁性又は磁化可能粒子の最長軸が仮想的な楕円又は円の負湾曲部又は正湾曲部の接線に従うように、上記入れ子のループ状領域のそれぞれでは上記粒子の少なくとも一部が配向した、光学効果層（ＯＥＬ）に関する。
【００１０】
[010]また、本明細書には、ここに記載の光学効果層を製造する装置も記載及び請求する。具体的に、本発明は、磁石及び磁極片から選択され、少なくとも１つの磁石を含む複数の要素を具備した磁界発生装置であり、上記複数の要素が、（ｉ）支持表面の下方又は支持表面として作用する基板を受容するように構成された空間の下方に配置されるか、又は（ｉｉ）支持表面を構成し、且つ磁界を提供可能なように構成された、磁界発生装置であって、前記支持表面又は空間の上方の２つ以上の領域において磁力線が前記支持表面又は空間と実質的に平行に延びており、
ｉ）上記２つ以上の領域が、中央領域を囲む入れ子のループ状領域を構成し、及び／又は、
ｉｉ）上記複数の要素が複数の磁石を含み、磁力線が支持表面又は空間と実質的に平行に延びた領域が回転軸周りの回転により組み合わさるように上記磁石が回転軸周りに回転可能に配置され、回転軸周りの回転により１つの中央領域を囲む複数の入れ子のループ状領域を構成する、磁界発生装置に関する。
【００１１】
[011]また、本明細書には、セキュリティ要素の製造プロセス、当該セキュリティ要素を含む光学効果層、及びセキュリティ書類の偽造防止又はグラフィックアートにおける装飾用途のための光学効果層の使用も記載及び請求する。具体的に、本発明は、光学効果層（ＯＥＬ）を製造するプロセスであって、
ａ）バインダ材料及び複数の非球状磁性又は磁化可能粒子を含むコーティング組成物を磁界発生装置の支持表面又は基板表面上に塗布するステップであり、前記コーティング組成物が第１の（流体）状態にある、ステップと、
ｂ）第１の状態のコーティング組成物を磁界発生装置、好ましくは請求項９〜１５のいずれか一項に記載の磁界発生装置の磁界に曝露することによって、１つの中央領域を囲む複数の入れ子のループ状領域で上記非球状磁性又は磁化可能粒子の少なくとも一部を配向させ、ループ状領域の断面領域それぞれにおける上記粒子の最長軸が仮想的な楕円又は円の負湾曲部又は正湾曲部の接線に従うようにするステップと、
ｃ）コーティング組成物を固化させて第２の状態とすることにより、上記非球状磁性又は磁化可能粒子を所定の位置及び向きに固定するステップと、
を含む、プロセスに関する。
【００１２】
[012]これらの態様及びその他の態様については、以下のようにまとめられる。
１．光学効果層（ＯＥＬ）であって、ＯＥＬが、バインダ材料を含むコーティング組成物中に分散した複数の非球状磁性又は磁化可能粒子を含み、
ＯＥＬが、２つ以上のループ状領域であり、中央領域を囲む閉ループ状本体の光学的印象を構成し、最内ループ状領域に囲まれた共通中央領域の周りで入れ子になった、２つ以上のループ状領域を備え、
当該ＯＥＬ層に垂直な断面であり、前記中央領域の中心から最外ループ状領域の外側境界まで延びた断面において、前記ループ状領域の断面領域それぞれにおける前記複数の非球状磁性又は磁化可能粒子の最長軸が仮想的な楕円又は円の負湾曲部又は正湾曲部の接線に従うように、前記ループ状領域のそれぞれでは前記粒子の少なくとも一部が配向した、光学効果層（ＯＥＬ）。
２．前記最外ループ状領域の外側の外部領域であって、前記最外ループ状領域を囲み、複数の非球状磁性又は磁化可能粒子を含む、外部領域をさらに備え、前記外部領域内の前記複数の非球状磁性又は磁化可能粒子の少なくとも一部が、その最長軸が当該ＯＥＬの平面と実質的に垂直となるように配向するか、又はランダムに配向した、項目１に記載の光学効果層（ＯＥＬ）。
３．前記最内ループ状領域に囲まれた前記中央領域が、複数の非球状磁性又は磁化可能粒子を含み、前記中央領域内の前記複数の非球状磁性又は磁化可能粒子の一部が、その最長軸が当該ＯＥＬの平面と実質的に平行となるように配向して、突起の光学効果を構成した、項目１又は２に記載の光学効果層（ＯＥＬ）。
４．前記突起の外周形状が、前記最内閉ループ状本体の形状に類似した、項目３に記載の光学効果層（ＯＥＬ）。
５．前記ループ状領域がそれぞれ、リングの形態の光学効果又はループ状本体の印象を提供し、前記突起が中実円又は半球の形状を有する、項目３又は４に記載の光学効果層（ＯＥＬ）。
６．前記複数の非球状磁性又は磁化可能粒子の少なくとも一部が、非球状光学可変磁性又は磁化可能顔料で構成された、項目１〜５のいずれか一項に記載の光学効果層（ＯＥＬ）。
７．前記光学可変磁性又は磁化可能顔料が、磁性薄膜干渉顔料、磁性コレステリック液晶顔料、及びこれらの混合物から成る群から選択される、項目６に記載の光学効果層（ＯＥＬ）。
８．前記ループ状領域内及び／又は前記ループ状領域に囲まれた前記中央領域内の前記複数の非球状磁性又は磁化可能粒子が、当該ＯＥＬの表面から延びた１つ又は複数の３次元物体の光学効果を与えるように配向した、項目１〜７のいずれか一項、好ましくは項目３、４、又は５に記載の光学効果層（ＯＥＬ）。
９．磁石及び磁極片から選択され、少なくとも１つの磁石を含む複数の要素を具備した磁界発生装置であり、前記複数の要素が、（ｉ）支持表面の下方又は支持表面として作用する基板を受容するように構成された空間の下方に配置されるか、又は（ｉｉ）支持表面を構成し、且つ磁界を提供可能なように構成された、磁界発生装置であって、前記支持表面又は空間の上方の２つ以上の領域において磁力線が前記支持表面又は空間と実質的に平行に延びており、
ｉ）前記２つ以上の領域が、中央領域を囲む入れ子のループ状領域を構成し、及び／又は、
ｉｉ）前記複数の要素が複数の磁石を含み、磁力線が前記支持表面又は空間と実質的に平行に延びた前記領域が回転軸周りの回転により組み合わさるように前記磁石が前記回転軸周りに回転可能に配置され、前記回転軸周りの回転により１つの中央領域を囲む複数の入れ子のループ状領域を構成する、磁界発生装置。
１０．前記支持表面又は空間の上方であり前記回転軸を中心とする領域において、磁力線が磁石の平面と実質的に平行に延びた磁界が発生するように、前記磁石が配置された、項目９の選択肢ｉｉ）に記載の磁界発生装置。
１１．中央領域を囲む入れ子のループ状領域を構成する平行磁力線の前記２つ以上の領域が、磁石及び磁極片から選択される複数の要素の配置によって構成され、前記要素のうちの少なくとも１つが、前記支持表面又は空間の上方に平行磁力線を有する前記ループ状領域に対応したループ状形態を有する、項目９の選択肢ｉ）に記載の磁界発生装置。
１２．磁石及び磁極片から選択される複数の要素の前記配置が、磁気軸が前記支持表面又は空間と実質的に垂直である少なくとも１つのループ状磁石を含み、前記配置が好ましくは、ループ状形態を有する磁極片をさらに含み、前記ループ状磁石及び前記ループ状磁極片が中央領域を入れ子状に囲む、項目１１に記載の磁界発生装置。
１３．前記中央領域が、磁気軸が前記支持表面又は空間と実質的に垂直である棒状双極子磁石又は中央磁極片を含み、前記磁極片及び前記磁石が前記中央領域から交互に配置された、項目１２に記載の磁界発生装置。
１４．前記複数の磁石が、前記回転軸周りに対称に配置され、磁気軸が前記支持表面又は空間と実質的に平行又は実質的に垂直である、項目９の選択肢ｉｉ）又は項目１０に記載の磁界発生装置。
１５．ａ）ＮＳ軸が前記支持表面又は空間に垂直となるようにループ状軸方向磁化双極子磁石が設けられ、前記ループ状磁石が中央領域を囲む磁界発生装置であり、前記支持表面又は前記空間に関して前記ループ状軸方向磁化双極子磁石の下方に設けられ、前記ループ状磁石により構成されたループの一方側を閉塞する磁極片をさらに備え、前記磁極片が、前記ループ状磁石に囲まれた空間に延入し、前記ループ状磁石から離隔している１つ又は複数の突起を構成した、磁界発生装置であって、
ａ１）前記磁極片が、前記ループ状磁石に囲まれた前記中央領域に延入する１つの突起を構成し、前記突起が、前記ループ状磁石から横方向に離隔して、前記中央領域の一部を満たしているか、
ａ２）前記磁極片が、１つのループ状突起を構成し、前記ループ状磁石とＮＳ方向が同じである中央棒状双極子磁石を囲み、前記突起及び前記棒状双極子磁石が互いに離隔しているか、
ａ３）前記磁極片が、２つ以上の離隔突起を構成し、これらのすべて又はこれらの１つを除くすべてがループ状であり、突起数に応じて、前記離隔ループ状突起間に形成された空間に、前記第１の軸方向磁化ループ状磁石とＮＳ方向が同じである１つ又は複数の付加的な軸方向磁化ループ状磁石が設けられ、前記付加的な磁石が前記ループ状突起から離隔しており、前記支持表面又は前記空間から見た場合に離隔ループ状磁極片突起及びループ状軸方向磁化双極子磁石の交互配置が１つの中央領域を囲んで構成され、前記ループ状突起及び前記ループ状磁石に囲まれた前記中央領域が、前記周囲のループ状磁石とＮＳ方向が同じである中央棒状双極子磁石又は前記磁極片の中心突起で部分的に満たされ、前記中央領域が、棒状双極子磁石又は前記中心突起で満たされた、磁界発生装置と、
ｂ）２つ以上の棒状双極子磁石及び２つ以上の磁極片を具備した磁界発生装置であって、
同数の磁極片及び棒状双極子磁石を備え、前記棒状双極子磁石が、前記支持表面又は空間と実質的に垂直なＮＳ軸を有し、ＮＳ方向が同じであり、好ましくは前記支持表面又は空間と垂直に延びた１つの線に沿って、前記支持表面又は空間から異なる距離に設けられ、互いに離隔しており、
前記磁極片が、前記棒状双極子磁石間の空間に設けられて接触しており、前記磁極片が、前記支持表面又は空間の隣にある前記棒状双極子磁石が配置された中央領域をループ状形態で囲む１つ又は複数の突起を構成した、磁界発生装置と、
ｃ）前記支持表面又は空間の下方に配置され、ＮＳ方向が前記支持表面又は空間に垂直である１つの棒状双極子磁石と、
前記磁石の上方且つ前記支持表面又は空間の下方に配置された１つ又は複数のループ状磁極片であり、複数のループ状磁極片の場合は離隔するとともに同一平面上で入れ子になって配置され、下側に前記磁石が配置された中央領域を横方向に囲む、１つ又は複数のループ状磁極片と、を具備した磁界発生装置であって、
最外ループ状磁極片と略同じサイズ及び略同じ外周形状を有する第１の板状磁極片であり、その外周形状が、前記支持表面又は空間からの方向における前記ループ状磁極片の最外周と重なるように前記磁石の下方に配置され、前記磁石の磁極の一方と接触した、第１の板状磁極片と、前記磁石の他方の磁極と接触した中央磁極片であり、外周形状がループ状であって、前記中央領域を部分的に満たし、前記１つ又は複数のループ状磁極片から横方向に離隔して囲まれた、中央磁極片とをさらに備えた、磁界発生装置と、
ｄ）前記磁石の一方の磁極の上方で接触し、前記１つ又は複数のループ状磁極片の下方で接触し、前記中央磁極片の下方で接触した位置に、外周形状がループ状である第２の板状磁極片が設けられることによって、前記中央磁極片が前記磁石の前記磁極と直接接触しておらず、前記第２の板状磁極片が、前記第１の板状磁極片と略同じサイズ及び形状である、前記項目ｃ）に記載の磁界発生装置と、
ｅ）前記支持表面又は空間の下方において、前記支持表面又は空間に垂直な回転軸周りに回転可能に２つ以上の棒状双極子磁石が配置され、前記２つ以上の棒状双極子磁石が、前記回転軸から離隔するとともに互いに離隔しており、前記回転軸の両側に対称に設けられた磁界発生装置であり、前記支持表面又は空間の下方且つ前記回転軸上に配置された１つの棒状双極子磁石を任意選択としてさらに具備した、磁界発生装置であって、
ｅ１）前記回転軸の一方側において、前記支持表面又は空間と実質的に垂直且つ前記回転軸と実質的に平行なＮＳ軸を有する１つ又は複数の棒状双極子磁石を備え、すべての磁石のＮＳ方向が前記支持表面又は空間に関して同一であり、前記磁石が互いに離隔しており、
当該磁界発生装置が、前記支持表面又は空間の下方且つ前記回転軸上に配置された１つの棒状双極子磁石を任意選択として備え、そのＮＳ軸が前記支持表面又は空間と実質的に垂直且つ前記回転軸と実質的に平行であり、そのＮＳ方向が、前記軸周りに回転可能に配置され、そこから離隔している前記磁石のＮＳ方向と同一又は反対であるか、
ｅ２）前記回転軸上に任意選択としての棒状双極子磁石が存在せず、当該磁界発生装置が、前記回転軸の一方側において、互いに離隔するとともに前記回転軸から離隔して配置された２つ以上の棒状双極子磁石を備え、前記磁石のＮＳ軸が、前記支持表面又は空間と実質的に垂直且つ前記回転軸と実質的に平行であり、前記軸の一方側に設けられた前記磁石のＮＳ方向が交互になっており、最内磁石のＮＳ方向が前記回転軸に関して同一又は反対であるか、
ｅ３）前記回転軸上に任意選択としての棒状双極子磁石が存在せず、当該磁界発生装置が、前記回転軸の一方側において、互いに離隔するとともに前記回転軸から離隔して配置された２つ以上の棒状双極子磁石を備え、前記磁石のＮＳ軸が、前記支持表面又は空間と実質的に垂直且つ前記回転軸と実質的に平行であり、前記軸の一方側に設けられた前記磁石のＮＳ方向が同じであり、前記回転軸の異なる側に設けられた前記磁石のＮＳ方向が反対であるか、
ｅ４）当該磁界発生装置が、前記回転軸の一方側において、前記回転軸から離隔するとともに、一方側に２つ以上の磁石が存在する場合は互いに離隔して配置された１つ又は複数の棒状双極子磁石を備え、
前記磁石のＮＳ軸が、前記支持表面又は空間と実質的に平行且つ前記回転軸に対して実質的に放射状であり、且つ
すべての磁石のＮＳ方向が本質的に同じ方向を向くように前記磁石のＮＳ方向が配置され、さらに
ｅ４−１）前記回転軸上に任意選択としての磁石が存在せず、前記回転軸の一方側に少なくとも２つの磁石が設けられるか、又は、
ｅ４−２）前記回転軸上に任意選択としての磁石が設けられ、一方側の前記磁石がそこから離隔して配置され、前記回転軸上の前記磁石が、前記支持表面と実質的に平行なＮＳ軸を有する棒状双極子磁石であり、そのＮＳ方向が前記回転軸の一方側に設けられた他の磁石と同じ方向を向くか、
ｅ５）当該磁界発生装置が、前記回転軸上に任意選択としての磁石が設けられておらず、前記回転軸の一方側において、前記回転軸から離隔するとともに互いに離隔して配置された２つ以上の棒状双極子磁石を備え、前記磁石のＮＳ軸が、前記支持表面又は空間と実質的に平行且つ前記回転軸に対して実質的に放射状であり、すべての磁石のＮＳ方向が前記回転軸に関して対称である（すなわち、すべてが前記回転軸側又はその反対側を向く）か、
ｅ６）当該磁界発生装置が、前記回転軸上に任意選択としての磁石が設けられておらず、前記回転軸の一方側において、前記回転軸から離隔するとともに互いに離隔して配置された一対又は複数対の棒状双極子磁石を備え、すべての磁石のＮＳ軸が、前記支持表面又は空間と実質的に平行且つ前記回転軸に対して実質的に放射状であり、各磁石対が、互いの方向又はその反対方向を向いたＮＳ方向が反対である２つの磁石で構成され、一方側の最内磁石対の最内磁石のＮＳ方向が、
ｅ６−１）両方が前記回転軸側又はその反対側を向き、前記回転軸に関して対称であるか、又は
ｅ６−２）一方が前記回転軸側、一方がその反対側を向き、前記回転軸に関して非対称であるか、
ｅ７）当該磁界発生装置が、
ｅ７−１）前記回転軸上に前記任意選択としての棒状双極子磁石と、前記回転軸の一方側に１つ又は複数の磁石とを備え、すべての磁石のＮＳ軸が、前記支持表面と実質的に平行であり、前記回転軸の一方側の前記磁石のＮＳ軸が、前記回転軸に対して実質的に放射状であるか、若しくは、
ｅ７−２）当該磁界発生装置が、前記回転軸上に前記任意選択としての棒状双極子磁石を備えておらず、前記回転軸の一方側において、前記回転軸から離隔して配置された２つ以上の磁石を備え、すべての磁石のＮＳ軸が、前記支持表面又は空間と実質的に平行且つ前記回転軸に対して実質的に放射状であり、
いずれの場合にも、一方側の最外磁石から他方側の最外磁石までＮＳ方向が一直線となるように、前記回転軸の一方側に配置された前記磁石のＮＳ方向が、前記回転軸に関して、前記回転軸の他方側に配置された前記磁石のＮＳ方向と非対称であり（すなわち、一方側では前記回転軸側、他方側ではその反対側を向く）、前記ｅ７−１の場合の前記回転軸上の前記磁石が前記直線上に整列しているか、
ｅ８）前記回転軸の一方側において、前記支持表面又は空間と実質的に垂直且つ前記回転軸と実質的に平行なＮＳ軸を有する２つ以上の棒状双極子磁石と、任意選択として、前記回転軸上に配置され、前記支持表面又は空間と実質的に垂直且つ前記回転軸と実質的に平行なＮＳ軸を有する棒状双極子磁石とを備え、
隣接する磁石のＮＳ方向が前記支持表面又は空間に関して反対であり、前記磁石が互いに離隔しているか、又は、
ｅ９）前記回転軸の一方側において、前記支持表面又は空間と実質的に平行且つ前記回転軸に対して実質的に放射状のＮＳ軸を有する２つ以上の棒状双極子磁石と、任意選択として、前記回転軸上に配置され、前記支持表面又は空間と実質的に平行且つ前記回転軸と実質的に垂直なＮＳ軸を有する棒状双極子磁石とを備え、隣接する磁石のＮＳ方向が反対方向を向き、前記磁石が互いに離隔している、磁界発生装置と、
ｆ）ＮＳ軸が前記支持表面又は空間に垂直となるように２つ以上のループ状双極子磁石が設けられ、前記２つ以上のループ状磁石が入れ子に配置され、離隔して、１つの中央領域を囲み、前記磁石が軸方向に磁化され、隣接するループ状磁石のＮＳ方向が反対であって、前記支持表面若しくは空間側又はその反対側を向いた磁界発生装置であって、
前記ループ状磁石に囲まれた前記中央領域に設けられた棒状双極子磁石をさらに備え、前記棒状双極子磁石が、前記支持表面と実質的に垂直且つ前記ループ状磁石のＮＳ軸に平行なＮＳ軸を有し、前記棒状双極子磁石のＮＳ方向が、最内ループ状磁石のＮＳ方向と反対であり、任意選択として、前記支持表面又は空間の反対側に、前記中央棒状双極子磁石及び前記ループ状磁石と接触した磁極片をさらに備えた、磁界発生装置と、
ｇ）板平面に垂直に磁化され突起及び圧痕を有する永久磁石板を備え、前記突起及び圧痕が、中央領域を囲む入れ子のループ状突起及び圧痕を構成するように配置され、前記突起及び圧痕が反対方向の磁極を構成した、磁界発生装置と、
ｈ）回転軸周りに設けられた複数の棒状双極子磁石であり、前記回転軸の一方側の前記磁石が、前記支持表面又は空間と実質的に平行又は垂直なＮＳ軸を有する２つ以上の棒状双極子磁石である、複数の棒状双極子磁石と、任意選択として、前記回転軸上に配置され、前記支持表面と実質的に平行又は垂直なＮＳ軸を有する棒状双極子磁石とを備え、隣接する磁石のＮＳ方向が同じ方向又は反対の方向を向き、前記磁石が互いに離隔又は直接接触しており、前記磁石が任意選択として下地板上に設けられた、磁界発生装置と、
から成る群から選択される、項目９に記載の磁界発生装置。
１６．項目９〜１５のいずれか一項に記載の磁界発生装置を備え、任意選択として回転印刷アセンブリである、印刷アセンブリ。
１７．項目１〜８のいずれか一項に記載のＯＥＬを製造するための、項目９〜１５のいずれか一項に記載の磁界発生装置の使用。
１８．光学効果層（ＯＥＬ）を製造するプロセスであって、
ａ）バインダ材料及び複数の非球状磁性又は磁化可能粒子を含むコーティング組成物を支持表面又は基板表面上に塗布するステップであり、前記コーティング組成物が第１の（流体）状態にある、ステップと、
ｂ）第１の状態の前記コーティング組成物を磁界発生装置、好ましくは項目９〜１５のいずれか一項に記載の磁界発生装置の磁界に曝露することによって、１つの中央領域を囲む複数の入れ子のループ状領域で前記非球状磁性又は磁化可能粒子の少なくとも一部を配向させ、前記ループ状領域の断面領域それぞれにおける前記粒子の最長軸が仮想的な楕円又は円の負湾曲部又は正湾曲部の接線に従うようにするステップと、
ｃ）前記コーティング組成物を固化させて第２の状態とすることにより、前記非球状磁性又は磁化可能粒子を所定の位置及び向きに固定するステップと、
を含む、プロセス。
１９．前記固化ステップｃ）を紫外・可視光放射線硬化によって行う、項目１８に記載のプロセス。
２０．項目１８又は１９に記載のプロセスによって取得可能な、項目１〜８のいずれか一項に記載の光学効果層。
２１．項目１〜８のいずれか一項又は項目２０に記載の１つ又は複数の光学効果層を基板上に備えた光学効果層被覆基板（ＯＥＣ）。
２２．項目１〜８のいずれか一項又は項目２０に記載の光学効果層を備えたセキュリティ書類、好ましくは紙幣又は身分証明書類。
２３．偽造又は不正に対するセキュリティ書類の保護又は装飾用途のための、項目１〜８のいずれか一項又は項目２０に記載の光学効果層又は項目２１に記載の光学効果被覆基板の使用。
【００１３】
[013]以下、図面及び特定の実施形態を参照して、本発明に係る複数のループ状領域を備えた光学効果層（ＯＥＬ）及びその製造をより詳細に説明する。
【図面の簡単な説明】
【００１４】
【図１Ａ】トロイド状本体（図１Ａ）を示した模式図である。
【図１Ｂ】中央領域の中心（すなわち、トロイド状本体全体の中心）から延びた断面において、当該断面でループ状本体を構成する領域の上方又は下方に中心を有する仮想的な楕円の負湾曲部（図１Ｂ）の接線に従う非球状磁性又は磁化可能粒子の閉ループ状本体を構成する領域における配向の変形例を示した模式図である。
【図１Ｃ】中央領域の中心（すなわち、トロイド状本体全体の中心）から延びた断面において、当該断面でループ状本体を構成する領域の上方又は下方に中心を有する仮想的な楕円の正湾曲部（図１Ｃ）の接線に従う非球状磁性又は磁化可能粒子の閉ループ状本体を構成する領域における配向の変形例を示した模式図である。
【図２】それぞれリングの形態の２つのループ形状を含む同じセキュリティ要素の３つの図であって、図２ａが、２つのループ形状を有するセキュリティ要素を含む光学効果層の写真であり、図２ｂが、図２Ａの表示線に沿った断面におけるＯＥＬ平面に関する非球状磁性又は磁化可能粒子の配向の変形例を示した図であり、図２ｃが、上面に垂直に切断した図２ａの光学効果層の断面を位置Ａ、Ｂ、及びＣで捕えたものであって、２つのループ形状を構成する配向した非球状磁性又は磁化可能粒子を含む光学効果層で覆われた基板（下部）を示した３つの電子顕微鏡写真である。
【図３】図３ａは、本発明の一実施形態に係る、光学効果層を設ける基板を受容する支持表面（Ｓ）と、ＮＳ軸がループ（リング）の平面と垂直になるように磁化された中空ループ状本体（リング）の形態の双極子磁石（Ｍ）と、逆Ｔ字状の鉄ヨーク（Ｙ）とを備え、磁石（Ｍ）及び鉄ヨーク（Ｙ）のアセンブリ並びに磁力線（Ｆ）で示す磁石（Ｍ）の空間中の３次元磁界が、中心垂直軸（Ｚ）に関して回転対称である磁界発生装置の一実施形態を示した模式図であり、図３ｂは、図３ａに示す磁界発生装置を用いて形成した２つのループ形状（２つのリング）を含む本発明のセキュリティ要素の写真である。
【図４】本発明の別の実施形態に係る、ｉ）ＮＳ軸が支持表面（Ｓ）と垂直になるように磁化された棒状双極子磁石（Ｍ１）と、ｉｉ）同じくＮＳ軸が支持表面（Ｓ）と垂直になるように磁化されたループ状中空本体の形態の双極子磁石（Ｍ２）と、ｉｉｉ）２つの逆Ｔ字状の鉄ヨーク（Ｙ）とを備えた磁界発生装置の一実施形態を示した模式図である。
【図５】本発明のさらに別の実施形態に係る、それぞれがループ状本体の形態の第１（Ｍ１）及び第２（Ｍ２）の双極子磁石（すなわち、各磁石がリングを構成し、磁石Ｍ２が磁石Ｍ１のリング内に完全に埋め込まれている（入れ子になっている））であって、ＮＳ軸が支持表面（Ｓ）と垂直になるように磁化された、双極子磁石と、磁極片（３つの逆Ｔ字状の鉄ヨーク（Ｙ））とを備えた磁界発生装置の断面を示した模式図である。
【図６】図６ａ）〜ｄ）は、本発明の実施形態に係る、磁界発生装置の別の実施形態を示した模式図であり、図６ｅ）は、図６ｄに示す装置を用いて得られた光学効果層の３つの写真である。
【図７】図７ａ）〜ｄ）は、本発明の実施形態に係る、磁界発生装置の別の実施形態を示した模式図である。
【図８】本発明に係る、磁界発生装置のさらに別の実施形態を示した模式図である。
【図９】本発明に係る、磁界発生装置のさらに別の実施形態を示した模式図である。
【図１０】本発明に係る、磁界発生装置のさらに別の実施形態を示した模式図である。
【図１１】本発明に係る、磁界発生装置のさらに別の実施形態を示した模式図である。
【図１２】本発明に係る、磁界発生装置のさらに別の実施形態を示した模式図である。
【図１３】本発明に係る、磁界発生装置のさらに別の実施形態を示した模式図である。
【図１４】本発明に係る、磁界発生装置のさらに別の実施形態を示した模式図である。
【図１５】図１５ａは、本発明に係る、磁界発生装置のさらに別の実施形態を示した模式図であり、図１５ｂは、図１５ａに示す装置により形成された複数のループ形状を含むセキュリティ要素であって、図１５ａの磁石と基板を受容する支持表面Ｓの表面との間の距離ｄが０ｍｍ、すなわち支持表面が磁石に直接接触して設けられている場合の写真であり、図１５ｃは、図１５ａに示す装置により形成された複数のループ形状を含むセキュリティ要素であって、図１５ａの磁石と基板を受容する支持表面Ｓの表面との間の距離ｄが１．５ｍｍである場合の写真である。
【図１６】本発明に係る、磁界発生装置のさらに別の実施形態を示した模式図である。
【図１７】本発明に係る、磁界発生装置のさらに別の実施形態を示した模式図である。
【図１８】本発明に係る、磁界発生装置のさらに別の実施形態を示した模式図である。
【図１９】本発明に係る、磁界発生装置のさらに別の実施形態を示した模式図である。
【図２０】本発明に係る、磁界発生装置のさらに別の実施形態を示した模式図である。
【図２１Ａ】図２１ａは、上記ＯＥＬの実施形態のループ状領域における非球状磁性又は磁化可能粒子の配向を示した図である。
【図２１Ｂ】図２１ｂは、上記ＯＥＬの実施形態のループ状領域における非球状磁性又は磁化可能粒子の配向を示した図である。
【図２２】ループ形状の例を示した図である。
【図２３】本発明に係る、下地板を有する磁界発生装置のさらに別の実施形態を示した模式図である。
【図２４】本発明に係る、下地板を有する磁界発生装置のさらに別の実施形態を示した模式図である。
【図２５】本発明に係る、磁界発生装置のさらに別の実施形態を示した模式図である。
【発明を実施するための形態】
【００１５】
（定義）
[014]以下の定義を用いることによって、本明細書及び特許請求の範囲に記載の用語の意味を解釈するものとする。
【００１６】
[015]本明細書において、不定冠詞「ａ」は、１つ及び２つ以上を示し、必ずしもその指示対象の名詞を単数に限定するものではない。
【００１７】
[016]本明細書において、用語「約」は、対象とする量又は値が指定された特定の値又はその近傍の他の値であってもよいことを意味する。一般的に、ある値を示す用語「約」は、その値の±５％の範囲を示すことを意図している。一例として、表現「約１００」は、１００±５の範囲すなわち９５〜１０５の範囲を示す。一般的に、用語「約」を使用する場合は、本発明に係る類似の結果又は効果が指定値の±５％の範囲で得られることが予想され得る。
【００１８】
[017]本明細書において、用語「及び／又は」は、前記群の要素のすべて又は１つだけが存在していてもよいことを意味する。例えば、「Ａ及び／又はＢ」は、「Ａのみ、Ｂのみ、又はＡ及びＢの両者」を意味するものとする。「Ａのみ」の場合、この用語は、Ｂが存在しない可能性すなわち「ＡのみであってＢではない」という可能性も網羅している。
【００１９】
[018]用語「実質的に平行」は、平行整列からの逸脱が２０°未満であることを表し、用語「実質的に垂直」は、垂直整列からの逸脱が２０°未満であることを表す。用語「実質的に平行」は、平行整列からの逸脱が１０°以下であることを表し、用語「実質的に垂直」は、垂直整列からの逸脱が１０°以下であることを表すのが好ましい。
【００２０】
[019]用語「少なくとも一部」は、後続の特性がある程度又は完全に満たされていることを示すことを意図している。この用語は、後続の特性が好ましくは少なくとも５０％以上、より好ましくは少なくとも７５％、さらに好ましくは少なくとも９０％満たされていることを示す。この用語は、「完全に」を示すのが好ましい場合もある。
【００２１】
[020]用語「実質的に」及び「本質的に」は、後続の特徴、特性、又はパラメータが完全に（全面的に）実現若しくは満足されているか、又は意図する結果に悪影響を及ぼさない範囲で大いに実現若しくは満足されていることを示すのに用いる。したがって、用語「実質的に」又は「本質的に」は、状況に応じて、例えば少なくとも８０％、少なくとも９０％、少なくとも９５％、又は１００％を意味するのが好ましい。
【００２２】
[021]本明細書において、用語「備える（具備する、含む）」は、非排他的且つオープンエンドであることを意図している。したがって、例えば化合物Ａを含むコーティング組成物は、Ａ以外の化合物を含んでいてもよい。ただし、用語「備える（具備する、含む）」は、「〜から本質的に成る」及び「〜から成る」というより限定的な意味も網羅するため、例えば「化合物Ａを含むコーティング組成物」は、化合物Ａから（本質的に）成っていてもよい。
【００２３】
[022]用語「コーティング組成物」は、本発明の光学効果層（ＯＥＬ）を固体基板上に形成可能であるとともに、印刷法によって優先的且つ非排他的に塗布可能な任意の組成物を表す。コーティング組成物は、少なくとも複数の非球状磁性又は磁化可能粒子及びバインダを含む。粒子は、形状が非球状であることから、非等方的な反射性を有する。
【００２４】
[023]本明細書において、用語「光学効果層（ＯＥＬ）」は、少なくとも複数の配向非球状磁性又は磁化可能粒子及びバインダを含み、非球状磁性又は磁化可能粒子の配向がバインダ内で固定された層を示す。
【００２５】
[024]本明細書において、用語「光学効果被覆基板（ＯＥＣ）」は、ＯＥＬの基板上への提供により得られる製品を示すのに用いる。ＯＥＣは、基板及びＯＥＬから成っていてもよいが、他の材料及び／又はＯＥＬ以外の層を含んでいてもよい。したがって、ＯＥＣという用語は、紙幣等のセキュリティ書類も網羅する。
【００２６】
[025]用語「ループ状領域」は、それ自体と再結合するループ状本体の光学効果又は光学的印象を与えるＯＥＬ内の領域を示す。この領域は、１つの中央領域を囲む閉ループの形態である。「ループ状」としては、円形、長円形、楕円形、正方形、三角形、長方形、又は任意の多角形状が可能である。ループ形状の例としては、円、長方形又は正方形（角丸が好ましい）、三角形、五角形、六角形、七角形、八角形等が挙げられる。ループを形成する領域は、それ自体と交差しないのが好ましい。用語「ループ状本体」は、３次元ループ状本体の光学的印象が観察者に与えられるように、ループ状領域の非球状磁性又は磁化可能粒子を配向させることによって得られる光学効果又は光学的印象を示すのに用いる。用語「入れ子のループ状領域」は、ループ状本体の光学効果又は光学的印象をそれぞれ与えるループ状領域の配置を示すのに用い、「入れ子」は、ループ状領域のうちの１つが少なくとも部分的に別のループ形状を囲んでおり、「入れ子」のループ状領域が共通中央領域を囲んでいることを意味する。用語「入れ子」は、１つ又は複数の外側ループ状領域が１つ又は複数の内側ループ状領域を完全に囲んでいることを意味するのが好ましい。「入れ子」の特に好適な実施形態は「同心」であって、１つ又は複数の外側ループ状領域が、１つ又は複数の内側ループ状領域を完全に囲み、互いに交差することなく共通中央領域を規定する。より好適な一実施形態においては、複数の「入れ子」のループ状領域が同心円の形態である。
【００２７】
[026]用語「複数の入れ子のループ状本体を備えたセキュリティ要素」は、ＯＥＬ内の非球状磁性又は磁化可能粒子の配向によって２つ以上の入れ子のループ状領域が存在し、これらの領域において、非球状磁性又は磁化可能粒子の配向により特定方向（一般的にはＯＥＬ表面に垂直な方向）の観察可能な光反射が得られ、複数の入れ子のループ状本体の光学効果が与えられるセキュリティ要素を表す。これは通常、中央領域の中心からループ状領域の外側境界まで延びた断面におけるループ状領域の一部である領域の中央部（例えば、図１ｂ及び図１ｃの層Ｌの中央部又は図２１Ａ下部の領域（１）の中央部）において、非球状磁性又は磁化可能粒子の最長軸がＯＥＬ表面の平面と実質的に平行となるように配向していることを意味する。２つ以上の入れ子のループ状本体は通常、例えば２つのリングの形態で２つのループ状本体が存在し、これらリングの一方が他方を完全に囲んでいる図３ｂに示すように、ループ状本体のうちの１つが１つ又は複数のその他を完全に囲むように配置される。複数のループ状本体は、２つ以上のリング、２つ以上の正方形、２つ以上の六角形、２つ以上の七角形、２つ以上の八角形等、同一又は本質的に同一の形態であるのが好ましい。
【００２８】
[027]用語「ループ状領域の幅」は、図２１の領域（１）の幅で表されるように、ＯＥＬに垂直で、中央領域の中心から最外ループ状領域の外側境界まで延びた断面におけるループ状領域の幅を示すのに用いる。
【００２９】
[028]用語「セキュリティ要素」は、認証目的で使用可能な画像又は図形要素を示すのに用いる。セキュリティ要素は、公然及び／又は秘密のセキュリティ要素が可能である。
【００３０】
[029]用語「磁気軸」又は「ＮＳ軸」は、磁石のＮＳ極を接続するとともに貫通して延びる理論的な線を示す。この線は、特定の方向を有さない。一方、用語「ＮＳ方向」は、ＮＳ軸又は磁気軸に沿ったＮ極からＳ極への方向を示す。回転軸周りに複数の磁石が回転可能に設けられ、磁気的ＮＳ軸が回転軸に対して放射状である磁界発生装置の文脈において、表現「対称な磁気的ＮＳ方向」は、ＮＳ方向の向きが対称中心としての回転軸に関して対称である（すなわち、複数の磁石すべてのＮＳ方向が回転軸側又はその反対側を向く）ことを意味する。回転軸周りに複数の磁石が回転可能に設けられ、磁気的ＮＳ軸が回転軸に対して放射状且つ支持表面又は基板表面に平行である磁界発生装置の文脈において、表現「非対称な磁気的ＮＳ方向」は、ＮＳ方向の向きが対称中心としての回転軸に関して非対称である（すなわち、一方の磁石のＮＳ方向が回転軸側を向き、他方の磁石のＮＳ方向がその反対側を向く）ことを意味する。
【００３１】
（詳細な説明）
[030]一態様において、本発明は、通常は基板上に設けられるＯＥＬに関する。ＯＥＬは、非等方的な反射性を有する複数の非球状磁性又は磁化可能粒子を含む。非球状磁性又は磁化可能粒子は、バインダ材料中に分散しており、共通中央領域を囲む入れ子のループ状領域において、複数の入れ子のループ状本体の光学効果又は光学的印象を与える特定の配向を有する。この配向は、以下に詳述する外部磁界に従って粒子を配向させることにより実現している。すなわち、本発明は、光学効果層（ＯＥＬ）であって、ＯＥＬが、バインダ材料を含むコーティング組成物中に分散した複数の非球状磁性又は磁化可能粒子を含み、それぞれがループ形状を有する２つ以上の領域（ループ状領域とも称する）であり、最内ループ状領域に囲まれた共通中央領域の周りで入れ子になった、ループ状領域をＯＥＬが備え、当該ＯＥＬに垂直な断面であり、中央領域の中心から最外ループ状領域の外側境界まで延びた断面において、ループ状領域の断面領域それぞれにおける複数の非球状磁性又は磁化可能粒子の最長軸が仮想的な楕円又は円の負湾曲部又は正湾曲部の接線に従うように、ループ状領域を構成する領域のそれぞれでは当該粒子の少なくとも一部が配向した、光学効果層（ＯＥＬ）を提供する。ここで、ループ状領域における非球状磁性又は磁化可能粒子の一部は、その最長軸がＯＥＬの平面と実質的に平行となるように配向している。
【００３２】
[031]非球状磁性又は磁化可能粒子の配向は、ＯＥＬの全体積にわたって一様ではなく、２つ以上の入れ子のループ状領域がＯＥＬ内に存在し、第１の方向からＯＥＬに光を照射した場合に所与の第２の方向の観察可能な反射性が得られるように粒子が配向している。通常、それぞれがループ形状を構成する領域内の非球状磁性又は磁化可能粒子の配向は、ＯＥＬ表面と垂直な方向から光を照射した場合に、ＯＥＬ表面と垂直な最大の反射性が得られるようになっている。これは通常、ループ状領域内において、粒子の最長軸がＯＥＬの平面又は表面と実質的に平行となるように粒子の少なくとも一部が配向していることを意味する。
【００３３】
[032]これらの領域は、複数の入れ子のループ状領域を構成する。この複数（すなわち、２つ以上、例えば３つ、４つ、５つ、６つ以上）のループ状領域は、例えば１つのループ形状（リング）が別のループ形状（別のリング）に囲まれている図３ｂに示すように、ループ状領域の１つが交差することなく１つ又は複数のその他のループ形状により完全に囲まれるように配置されているのが好ましい。３つのループ形状の場合は、この場合もやはり交差することなく、最内ループ形状が中央及び最外ループ形状により完全に囲まれ、中央形状が最内ループ形状と最外ループ形状との間に介在するような配置が好ましい。この原則は当然のことながら、例えば５つのリングについて図１５ｂに示すように、より多くのループ形状についても適用可能である。
【００３４】
[033]このように配置された複数のループ状領域は、実質的に同一の形状を有するのが特に好ましい。これは、例えば３つのループ状領域の場合、例えば３つの円、３つの長方形、３つの三角形、３つの六角形等が存在し、内側のループ形状が外側のループ形状に囲まれていることを意味する。
【００３５】
[034]以下、ＯＥＬの形状及び特にＯＥＬのループ状領域内の非球状磁性又は磁化可能粒子の配向について、本発明のＯＥＬを模式的に示した図２１を参照して説明する。なお、図２１は、正確な縮尺ではない。
【００３６】
[035]図２１の左上には、楕円体の形態で支持体（Ｓ）上に設けられたループ状領域（１）により構成された２つのループ状本体を含むＯＥＬの平面図を示す。この上部では、ＯＥＬの平面図において、２つのループ状本体の光学的印象が見られる。ループ状領域（１）は、中心（３）を有する共通中央領域（２）を囲む。
【００３７】
[036]図２１の下部には、ＯＥＬの平面に垂直な断面図であり、中央領域（２）の中心（３）から最外ループ状領域の外側境界まで延びた断面図、すなわち線（４）に沿った断面図を示す。当然のことながら、線（４）は実際にはＯＥＬ上に存在せず、請求項１にも言及する断面図の位置を単に示すものである。この断面図においては、図示の実施形態におけるＯＥＬ（Ｌ）が支持表面（Ｓ）、好ましくは基板上に設けられていることが明らかである。このＯＥＬ（Ｌ）の断面図において、ループ形状の一部を構成する領域（１）は、線（４）に沿った断面図において、ループ状領域の一部を構成する各領域（１）で仮想的な楕円又は円（６）の負湾曲部の接線に従うように配向した非球状磁性又は磁化可能粒子（５）を含む。当然のことながら、正湾曲部に従った反対の整列も可能である。なお、（好ましくは図２１に示すとともに請求項１に言及する断面で見た場合のループ状領域（１）の中心周りの部分における）非球状磁性又は磁化可能粒子の一部は、その最長軸がＯＥＬの平面及び／又は基板表面と実質的に平行となるように配向している。線（４）に沿った断面図すなわち請求項１に言及する断面図において、仮想的な楕円又は円それぞれの中心は通常、それぞれがループ状領域の一部を構成する各領域の上方又は下方（図２１では下方）であって、好ましくはループ状領域を構成する領域（１）の中央周りから延びた垂直線に沿って存在する。
【００３８】
[037]さらに、この断面図において、仮想的な円の直径又は仮想的な楕円の最長軸若しくは最短軸は、ループ形状の一部を構成する各領域の幅（図２１の下部における領域（１）の幅）程度であるのが好ましいため、各領域（１）の内側及び外側境界において、非球状粒子の最長軸の配向は、ＯＥＬの平面と実質的に垂直であるとともに徐々に変化し、ループ状領域の一部を構成する領域（１）の中心において、支持表面又は基板の平面と実質的に平行となり、ループ状本体の光学的印象を与える。このような断面図において、ＯＥＬから垂直且つループ状領域の幅の中心周りから延びた線に中心が沿う仮想的な円の負湾曲部又は正湾曲部の接線に対して、所与のループ状領域における非球状磁性又は磁化可能粒子の配向が従う場合は、円の曲率が一定であることから、配向の変化率も一定となる。ただし、粒子の配向が楕円の（正湾曲部又は負湾曲部の）接線に従う場合は、（楕円の曲率が一定ではないことから）非球状磁性又は磁化可能粒子の配向の変化率も一定ではなくなり、例えばループ状領域の幅の中心周りにおいては、実質的に平行に配向した粒子にわずかな配向の変化しか見られず、図２１に示す断面図におけるループ状領域の境界において、実質的に垂直な配向へと急速に変化する。
【００３９】
[038]仮想的な楕円又は円の中心位置及び直径に関するこの関係は、図２１に示す実施形態のみならず、本発明のＯＥＬに存在するループ状本体の光学的印象を構成するすべてのループ状領域にも当てはまる一方、当然のことながら、１つのＯＥＬに形成された異なるループ状本体に対して、異なる位置及び／又は直径が適用可能であってもよい。なお、入れ子のループ状領域の一部を構成していないＯＥＬ（Ｌ）の領域（すなわち、図２１の領域の内側及び外側の領域）についても、非球状磁性又は磁化可能粒子を含んでいてもよく（図２１には示さず）、これらの粒子は、以下に詳述するように、特定又はランダムな配向を有していてもよい。さらに、非球状磁性又は磁化可能粒子（５）は、全体積を満たすとともにＯＥＬ（Ｌ）のいくつかの層に配置されていてもよいが、図２１には、それぞれに配向した粒子の一部のみを模式的に表している。
【００４０】
[039]ＯＥＬにおいて、非球状磁性又は磁化可能粒子は、当該非球状磁性又は磁化可能粒子の配向を固定する固化バインダ材料を含むコーティング組成物中に分散している。固化バインダ材料は、２００ｎｍ〜２５００ｎｍの範囲の１つ又は複数の波長の電磁放射線に対して、少なくとも一部が透明である。固化バインダ材料は、２００〜８００ｎｍの範囲、より好ましくは４００〜７００ｎｍの範囲の１つ又は複数の波長の電磁放射線に対して、少なくとも一部が透明であることが好ましい。本明細書において、用語「１つ又は複数の波長」は、バインダ材料が所与の波長範囲の１つの波長に対してのみ透明であるか、又は所与の範囲のいくつかの波長に対して透明であってもよいことを示す。バインダ材料は、所与の範囲の２つ以上の波長に対して透明であることが好ましく、所与の範囲のすべての波長に対して透明であることがより好ましい。したがって、より好適な一実施形態においては、固化バインダ材料が約２００〜約２５００ｎｍ（又は２００〜８００ｎｍ、又は４００〜７００ｎｍ）の範囲のすべての波長に対して、少なくとも一部が透明である。また、固化バインダ材料は、これらの範囲のすべての波長に対して完全に透明であるのがさらに好ましい。
【００４１】
[040]本明細書において、用語「透明」は、ＯＥＬ（非球状磁性又は磁化可能粒子は含まないが、ＯＥＬのその他任意選択の成分があれば、それらをすべて含む）に存在する固化バインダ材料の２０μｍの層に対する電磁放射線の透過率が少なくとも８０％、好ましくは少なくとも９０％、より好ましくは少なくとも９５％であることを示す。これは、例えばＤＩＮ５０３６−３（１９７９−１１）等の確立した試験方法に従って固化バインダ材料（非球状磁性又は磁化可能粒子は含まず）の試験片の透過率を測定することによって決定可能である。
【００４２】
[041]本明細書に記載の非球状磁性又は磁化可能粒子は、固化バインダ材料の少なくとも一部が透明である入射電磁放射線に対して非等方的な反射性を有するのが好ましい。本明細書において、用語「非等方的な反射性」は、第１の角度からの入射放射線が粒子により特定の（観察）方向（第２の角度）に反射される割合が粒子の配向の関数であること、すなわち、第１の角度に対する粒子の配向の変化に応じて観察方向への反射の大きさが異なり得ることを示す。
【００４３】
[042]さらに、本明細書に記載の複数の非球状磁性又は磁化可能粒子はそれぞれ、粒子の配向の変化によって当該粒子による反射が変化するように、約２００〜約２５００ｎｍ、より好ましくは約４００〜約７００ｎｍの波長範囲の一部又は全部における入射電磁放射線に対して非等方的な反射性を有することが好ましい。
【００４４】
[043]本発明のＯＥＬにおいては、少なくとも複数の入れ子のループ状本体の光学効果又は光学的印象を与える動的なセキュリティ要素を構成するように、非球状磁性又は磁化可能粒子が設けられている。
【００４５】
[044]本明細書において、用語「動的」は、セキュリティ要素の外観及び光反射が視角に応じて変化することを示す。言い換えるなら、セキュリティ要素の外観は、異なる角度から見ると異なっている。すなわち、セキュリティ要素は、（例えば、ＯＥＬが設けられた基板の表面に対する約２２．５°の視角からＯＥＬが設けられた基板の表面に対する約９０°の視角まで）異なる外観を示す。これは、非等方的な反射性を有する非球状磁性粒子若しくは磁化可能粒子の配向及び／又は（後述する光学可変顔料等の）上記のような視角に応じた外観を有する非球状磁性粒子若しくは磁化可能粒子の特性を原因とする。
【００４６】
[045]用語「ループ状領域」は、それ自体と再結合するループ状本体の視覚的又は光学的印象を観察者に与えるように非球状磁性又は磁化可能粒子が設けられ、１つの共通中央領域を囲む閉ループを構成していることを示す。照明に応じて、１つ又は複数の形状が観察者に見える場合がある。「ループ状本体」は、円形、楕円形、正方形、三角形、長方形、又は任意の多角形状を有し得る。ループ形状の例としては、円、長方形又は正方形（角丸が好ましい）、三角形、（正又は非正）五角形、（正又は非正）六角形、（正又は非正）七角形、（正又は非正）八角形、任意の多角形状等が挙げられる。ループ状本体は、（例えば、二重ループ又はオリンピックのリングのように複数のリングが互いに重なった形状のようには）互いに交差していないのが好ましい。ループ形状の例は、図２２にも示す。本発明において、ＯＥＬは、上記規定の通り、２つ以上の入れ子のループ状本体の光学的印象を与える。
【００４７】
[046]本発明において、入れ子のループ状本体の光学効果又は光学的印象は、一実施形態として図２１に示すように、ＯＥＬ内の非球状磁性又は磁化可能粒子の配向によって構成される。すなわち、ループ状の形態は、例えば印刷等により、バインダ材料及び非球状磁性又は磁化可能粒子を含むコーティング組成物をループ状に塗布することによってではなく、ＯＥＬのループ状領域においては粒子が反射性を示すように配向し、ループ状領域の一部を構成していないＯＥＬの領域においては粒子が反射性を全く又はほとんど示さないように配向するように、磁界に従って非球状磁性又は磁化可能粒子を整列させることによって実現される。このように、ループ状領域は、当該ループ状領域のほかにも、非球状磁性又は磁化可能粒子が全く整列していない（すなわち、ランダムな配向を有する）か、又はループ状の形態を有する画像の印象に寄与しないように整列した１つ又は複数の部分も含むＯＥＬの全領域の一部を表す。これは、最長軸がＯＥＬの平面と実質的に垂直となるように、この部分の粒子の少なくとも一部を配向させることによって実現可能である。
【００４８】
[047]本明細書において、光反射を与える粒子配向では通常、非球状粒子の最長軸がＯＥＬの平面及び基板表面（ＯＥＬが基板上に設けられている場合）と実質的に平行となるように配置されている。また、光反射を全く又はほとんど与えない配向では通常、非球状粒子の最長軸がＯＥＬの平面又は基板表面（ＯＥＬが基板上に設けられている場合）と実質的に垂直となるように配置されている。これは、ＯＥＬが通常、ＯＥＬを平面視で観察する位置（すなわち、ＯＥＬの平面に垂直な位置）から見られるため、最長軸がＯＥＬの平面と実質的に平行となるように配向した非球状磁性又は磁化可能粒子では、拡散光条件の下又はＯＥＬの平面と実質的に垂直な方向からの放射により観察された場合に、この方向の光反射が与えられるためである。
【００４９】
[048]非球状磁性又は磁化可能粒子は、扁長若しくは扁平な楕円体状、血小板状、若しくは針状の粒子、又はこれらの混合物であるのが好ましい。したがって、非球状であるために単位表面積当たり（例えば、μｍ２当たり）の固有の反射性が粒子の全表面にわたって一様であっても、粒子の反射性は、可視領域がその観察方向によって決まるため非等方的である。一実施形態において、非球状であるために非等方的な反射性を有する非球状磁性又は磁化可能粒子は、反射性及び屈折率が異なる層の存在によって、例えば光学可変磁性又は磁化可能顔料のように、さらに固有の非等方的な反射性を有していてもよい。本実施形態において、非球状磁性又は磁化可能粒子は、非球状光学可変磁性又は磁化可能顔料等、固有の非等方的な反射性を有する非球状磁性又は磁化可能粒子を含む。
【００５０】
[049]本明細書に記載の非球状磁性又は磁化可能粒子の適当な例としては、コバルト、鉄、又はニッケル等の強磁性又はフェリ磁性金属、鉄、マンガン、コバルト、鉄、又はニッケルの強磁性又はフェリ磁性合金、クロム、マンガン、コバルト、鉄、ニッケル、又はこれらの混合物の強磁性又はフェリ磁性酸化物、及びこれらの混合物を含む粒子が挙げられるが、これらに限定されない。クロム、マンガン、コバルト、鉄、ニッケル、又はこれらの混合物の強磁性又はフェリ磁性酸化物は、純粋又は混合酸化物であってもよい。磁性酸化物の例としては、赤鉄鉱（Ｆｅ２Ｏ３）、磁鉄鉱（Ｆｅ３Ｏ４）、二酸化クロム（ＣｒＯ２）、磁性フェライト（ＭＦｅ２Ｏ４）、磁性スピネル（ＭＲ２Ｏ４）、磁性ヘキサフェライト（ＭＦｅ１２Ｏ１９）、磁性オルソフェライト（ＲＦｅＯ３）、磁性ガーネット（Ｍ３Ｒ２（ＡＯ４）３）等の鉄酸化物が挙げられるが、これらに限定されない。ここで、Ｍは２価、Ｒは３価、Ａは４価の金属イオンを表し、「磁性」は強磁性又はフェリ磁性を表す。
【００５１】
[050]光学可変要素は、セキュリティ印刷の分野において知られている。光学可変要素（当技術分野においては、変色要素又はゴニオクロマチック要素とも称する）は、視角又は入射角に応じた色を示し、一般的に利用可能なカラースキャン、印刷、及びコピー用オフィス機器による偽造及び／又は違法複製に対して紙幣等のセキュリティ書類を保護するために用いられる。
【００５２】
[051]本明細書に記載の複数の非球状磁性又は磁化可能粒子の少なくとも一部は、非球状光学可変磁性又は磁化可能顔料によって構成されているのが好ましい。このような光学可変磁性又は磁化可能顔料は、扁長若しくは扁平な楕円体状、血小板状、若しくは針状の粒子、又はこれらの混合物であるのが好ましい。
【００５３】
[052]複数の非球状磁性又は磁化可能粒子は、非球状光学可変磁性顔料若しくは磁化可能顔料及び／又は光学可変特性を持たない非球状磁性粒子若しくは磁化可能粒子を含んでいてもよい。
【００５４】
[053]複数の入れ子のループ状本体の光学効果又は光学的印象を与えるＯＥＬは、当該ＯＥＬの複数の入れ子のループ状領域における磁界の磁力線に従って複数の非球状磁性又は磁化可能粒子を配向（整列）させることにより形成され、高動的な視角に応じた入れ子のループ状本体が現れる。本明細書に記載の複数の非球状磁性又は磁化可能粒子の少なくとも一部が非球状光学可変磁性又は磁化可能顔料によって構成されている場合は、別の効果が得られる。非球状光学可変顔料の色は、顔料の平面に対する視角又は入射角に大きく依存することから、視角に応じた動的なループ状効果との組み合わせ効果が得られるためである。磁気的に配向した非球状光学可変顔料をループ状領域に使用すると、明領域の視角コントラストが高くなり、書類セキュリティ及び装飾用途におけるループ状要素の視覚的影響が改善される。磁気的に配向した非球状光学可変顔料を用いて得られた光学可変顔料に見られる色変化に対して動的なループ形状を組み合わせると、肉眼で容易に確認できる色の差がループ状本体に生じる。このように、本発明の好適な一実施形態において、ループ状領域の非球状磁性又は磁化可能粒子は少なくとも部分的に、磁気的に配向した非球状光学可変顔料によって構成されている。
【００５５】
[054]非球状光学可変磁性又は磁化可能顔料の変色特性によってもたらされる公然のセキュリティ対策は、例えば可視化及び／又は検出が可能でありながら、製造及び／又はコピーは依然として困難であることから、本発明に係るＯＥＬ又は当該ＯＥＬを有するＯＥＣ（セキュリティ書類等）を人間の感覚のみで容易に検出、認識、及び／又はその考え得る偽造品から識別可能であるが、これに加えて、光学可変顔料の変色特性をＯＥＬ認識用の機械可読ツールとして使用するようにしてもよい。したがって、光学可変顔料の光学（例えば、スペクトル）特性を解析する認証プロセスにおいては、秘密又は準秘密のセキュリティ対策として、光学可変顔料の光学可変特性を同時に使用するようにしてもよい。
【００５６】
[055]非球状光学可変磁性又は磁化可能顔料を使用すると、得られるＯＥＬの書類セキュリティ用途におけるセキュリティ要素としての意義が高くなる。このような材料（すなわち、光学可変磁性又は磁化可能顔料）は、セキュリティ書類印刷業のためのものであって、一般には市販されていないためである。
【００５７】
[056]上述の通り、複数の非球状磁性又は磁化可能粒子は、少なくとも一部が非球状光学可変磁性又は磁化可能顔料によって構成されているのが好ましい。これらは、磁性薄膜干渉顔料、磁性コレステリック液晶顔料、及びこれらの混合物から成る群から選択可能であるのが好ましい。
【００５８】
[057]磁性薄膜干渉顔料については、当業者に既知であって、例えば米国特許第４，８３８，６４８号、国際公開第２００２／０７３２５０Ａ２号パンフレット、欧州特許出願公開第６８６６７５号、国際公開第２００３／０００８０１Ａ２号パンフレット、米国特許第６，８３８，１６６号、国際公開第２００７／１３１８３３Ａ１号パンフレット、及びこれらの関連文献に開示されている。これらは、その磁性により機械可読であるため、磁性薄膜干渉顔料を含むコーティング組成物は、例えば特定の磁気検出器により検出するようにしてもよい。したがって、磁性薄膜干渉顔料を含むコーティング組成物は、セキュリティ書類の秘密又は準秘密のセキュリティ要素（認証ツール）として使用可能である。
【００５９】
[058]磁性薄膜干渉顔料は、５層ファブリペロー多層構造を有する顔料及び／又は６層ファブリペロー多層構造を有する顔料及び／又は７層ファブリペロー多層構造を有する顔料を含んでいるのが好ましい。好ましい５層ファブリペロー多層構造は、吸収体／誘電体／反射体／誘電体／吸収体の多層構造から成り、反射体及び／又は吸収体が磁性層である。好ましい６層ファブリペロー多層構造は、吸収体／誘電体／反射体／磁性体／誘電体／吸収体の多層構造から成る。好ましい７層ファブリペロー多層構造は、米国特許第４，８３８，６４８号等に開示されている吸収体／誘電体／反射体／磁性体／反射体／誘電体／吸収体の多層構造から成り、吸収体／誘電体／反射体／磁性体／反射体／誘電体／吸収体の７層ファブリペロー多層構造であることがより好ましい。本明細書に記載の反射体層は、金属、金属合金、及びこれらの組み合わせから成る群から選択されることが好ましく、反射金属、反射金属合金、及びこれらの組み合わせから成る群から選択されることが好ましく、アルミニウム（Ａｌ）、クロム（Ｃｒ）、ニッケル（Ｎｉ）、及びこれらの混合物から成る群から選択されることがさらに好ましく、アルミニウム（Ａｌ）であるであることがなお好ましい。誘電体層は、フッ化マグネシウム（ＭｇＦ２）、二酸化ケイ素（ＳｉＯ２）、及びこれらの混合物から成る群から独立して選択されることが好ましく、フッ化マグネシウム（ＭｇＦ２）であることがより好ましい。吸収体層は、クロム（Ｃｒ）、ニッケル（Ｎｉ）、ニッケル（Ｎｉ）、鉄（Ｆｅ）、及び／又はコバルト（Ｃｏ）を含む合金、及びこれらの混合物から成る群から独立して選択されることが好ましい。磁性体層は、ニッケル（Ｎｉ）、鉄（Ｆｅ）、コバルト（Ｃｏ）、合金、及びこれらの混合物から成る群から選択されることが好ましい。磁性薄膜干渉顔料は、Ｃｒ／ＭｇＦ２／Ａｌ／Ｎｉ／Ａｌ／ＭｇＦ２／Ｃｒ多層構造から成る吸収体／誘電体／反射体／磁性体／反射体／誘電体／吸収体の７層ファブリペロー多層構造を含むのが特に好ましい。
【００６０】
[059]本明細書に記載の磁性薄膜干渉顔料は通常、ウェブ上への異なる所要層の真空蒸着によって製造される。例えばＰＶＤによって所望数の層を蒸着した後は、適当な溶媒中での剥離層の溶解又はウェブからの材料の剥離によって層スタックをウェブから除去する。そして、このように得られた材料を粉砕することにより、研削、ミル加工、又は任意の適当な方法でさらに処理する必要がある薄片を得る。得られる製品は、縁部が破砕され、形状が不規則で、アスペクト比が異なる平らな薄片から成る。磁性薄膜干渉顔料の作製に関する詳細については、例えば欧州特許出願公開第１７１０７５６号に見られるが、これを本明細書中に援用する。
【００６１】
[060]光学可変特性を示す適当な磁性コレステリック液晶顔料としては、単層コレステリック液晶顔料及び多層コレステリック液晶顔料が挙げられるが、これらに限定されない。このような顔料については、例えば国際公開第２００６／０６３９２６Ａ１号パンフレット、米国特許第６，５８２，７８１号、及び米国特許第６，５３１，２２１号に開示されている。国際公開第２００６／０６３９２Ａ１号パンフレットは、高い輝度及び変色特性のほか、磁化可能性等の特定の特性を有する単層及び当該単層から得られた顔料を開示している。この開示の単層及び当該単層の粉砕により得られた顔料は、３次元架橋したコレステリック液晶混合物及び磁性ナノ粒子を含む。米国特許第６，５８２，７８１号及び米国特許第６，４１０，１３０号は、配列がＡ１／Ｂ／Ａ２の血小板状のコレステリック多層顔料を開示している。ここで、Ａ１及びＡ２は、同じであってもよいし又は異なっていてもよく、それぞれ少なくとも１つのコレステリック層を含む。Ｂは、層Ａ１及びＡ２から送られた光の全部又は一部を吸収するとともに磁気特性を付与する中間層である。米国特許第６，５３１，２２１号は、配列がＡ／Ｂであり、必要に応じてＣを含む血小板状のコレステリック多層顔料を開示している。ここで、Ａ及びＣは、磁気特性を付与する顔料を含む吸収層であり、Ｂはコレステリック層である。
【００６２】
[061]ＯＥＬには、非球状磁性又は磁化可能粒子（これらは、非球状光学可変磁性又は磁化可能顔料を含んでいてもよいし、含んでいなくてもよいし、又は非球状光学可変磁性又は磁化可能顔料から成っていてもよいし、成っていなくてもよい）のほか、非磁性又は非磁化可能粒子が入れ子のループ状領域の外側及び／又は内側の領域に含まれていてもよい。これらの粒子は、当技術分野において既知の着色顔料であってもよく、光学可変特性を有していてもよいし、有していなくてもよい。さらに、これらの粒子は、球状又は非球状であってもよく、等方的又は非等方的な光反射性を有していてもよい。
【００６３】
[062]ＯＥＬにおいて、本明細書に記載の非球状磁性又は磁化可能粒子は、バインダ材料中に分散している。非球状磁性又は磁化可能粒子は、約５〜約４０重量％、より好ましくは約１０〜約３０重量％の量だけ存在することが好ましい。この重量百分率は、バインダ材料、非球状磁性又は磁化可能粒子、及びＯＥＬのその他任意選択の成分を含むＯＥＬの総乾燥重量に基づく。
【００６４】
[063]上述の通り、固化バインダ材料は、２００〜２５００ｎｍの範囲、好ましくは２００〜８００ｎｍの範囲、より好ましくは４００〜７００ｎｍの範囲の１つ又は複数の波長の電磁放射線に対して、少なくとも一部が透明である。このように、バインダ材料は、少なくともその固化又は固体状態（以下では第２の状態とも称する）において、約２００ｎｍ〜約２５００ｎｍの範囲の１つ又は複数の波長すなわち通常「光学スペクトル」と称し、電磁スペクトルの赤外、可視、及び紫外部分を含む波長範囲の電磁放射線に対して、少なくとも一部が透明であるため、固化又は固体状態にあるバインダ材料に含まれる粒子及びその配向に応じた反射性は、バインダ材料を通して確認可能である。
【００６５】
[064]バインダ材料は、約４００ｎｍ〜約７００ｎｍの可視スペクトルの範囲で少なくとも一部が透明であるのがより好ましい。そして、ＯＥＬの表面を通って入射する入射電磁放射線、例えば可視光は、ＯＥＬ内に分散した粒子に到達し、そこで反射され、反射光が再度ＯＥＬから離れて、所望の光学効果を生成可能である。入射放射線の波長を可視領域の外側、例えば近紫外領域に選択する場合、ＯＥＬは、秘密のセキュリティ対策としても機能可能である。そして、この場合に選択した非可視波長を含む各照明条件下においてＯＥＬが生成する（完全な）光学効果を検出するには通常、技術的な手段が必要となるため、ＯＥＬ及び／又はそれに含まれるループ状要素は、発光性顔料を含むのが好ましい。電磁スペクトルの赤外、可視、及び紫外部分は、７００〜２５００ｎｍ、４００〜７００ｎｍ、及び２００〜４００ｎｍの波長範囲にそれぞれ略対応する。
【００６６】
[065]ＯＥＬを基板上に設ける場合で、基板上へのコーティング組成物の塗布によるＯＥＬの形成の場合、少なくともバインダ材料及び非球状磁性又は磁化可能粒子を含むコーティング組成物は、例えば印刷、特に銅版凹版印刷、スクリーン印刷、グラビア印刷、フレキソ印刷、又はローラ塗りにより処理することによって、紙基板又は後述するような基板等に塗布できる形態である必要がある。さらに、表面上、好ましくは基板上へのコーティング組成物の塗布後は、磁界を印加することによって球状磁性又は磁化可能粒子を配向させる。本明細書において、非球状磁性又は磁化可能粒子は、少なくとも複数の入れ子のループ状領域において、磁力線に沿って配向し、所望の光反射を与えるように配向させる（これにより通常、磁性粒子の場合は磁気軸、磁化可能粒子の場合は最長軸がＯＥＬ／基板表面の平面と平行な状態で、粒子の少なくとも一部が配向する）。本明細書において、非球状磁性又は磁化可能粒子は、基板の平面に垂直な方向から基板を見ている観察者に対して複数の入れ子のループ状本体の光学的印象が構成されるように、磁界発生装置の支持表面上又は基板上のコーティング組成物の入れ子のループ状領域において配向させる。磁界の印加により非球状磁性又は磁化可能粒子を配向／整列させるステップの後又は同時に、粒子の配向を固定する。このように特筆すべきこととして、コーティング組成物は第１の状態すなわち液体又はペースト状態を有する必要があり、十分に湿潤又は柔軟であるため、コーティング組成物中に分散した非球状磁性又は磁化可能粒子は、磁界への曝露により自由に移動、回転、及び／又は配向可能である。また、第２の固化（例えば、固体）状態も有する必要があり、この場合の非球状粒子は、それぞれの位置及び配向で固定又は停止される。
【００６７】
[066]このような第１及び第２の状態は、ある種のコーティング組成物を用いることによって提供するのが好ましい。例えば、コーティング組成物の磁性又は磁化可能粒子以外の成分は、インク又はセキュリティ用途、例えば紙幣印刷に用いられるようなコーティング組成物の形態であってもよい。
【００６８】
[067]上述の第１及び第２の状態は、例えば温度変化又は電磁放射線への曝露等の刺激に反応して粘度が大幅に高くなる材料を用いて提供可能である。すなわち、流体のバインダ材料は、固化又は凝固によって、第２の状態すなわち固化又は固体状態に変換され、粒子が現在の位置及び配向に固定されて、バインダ材料内で移動も回転もできなくなる。
【００６９】
[068]当業者には既知の通り、基板等の表面上に塗布するインク又はコーティング組成物に含まれる成分及び当該インク又はコーティング組成物の物性は、当該インク又はコーティング組成物の表面への移動に用いられるプロセスの性質によって決まる。その結果、本明細書に記載のインク又はコーティング組成物に含まれるバインダ材料は通常、当技術分野において既知の材料から選定されるとともに、当該インク又はコーティング組成物の塗布に用いられる被覆又は印刷プロセス及び選定された固化プロセスによって決まる。或いは、ポリマー熱可塑性バインダ材料又は熱硬化性バインダ材料を採用してもよい。熱可塑性樹脂は、熱硬化性樹脂と異なり、加熱及び冷却によって、特性に重大な変化を来たすことなく、繰り返し溶融及び凝固可能である。熱可塑性樹脂又はポリマーの代表例としては、ポリアミド、ポリエステル、ポリアセタール、ポリオレフィン、スチレン系高分子、ポリカーボネート、ポリアクリレート、ポリイミド、ポリエーテルエーテルケトン（ＰＥＥＫ）、ポリエーテルケトンケトン（ＰＥＫＫ）、ポリフェニレン系樹脂（例えば、ポリフェニレンエーテル、ポリフェニレン酸化物、ポリフェニレン硫化物）、ポリスルホン、及びこれらの混合物が挙げられるが、これらに限定されない。
【００７０】
[069]磁界発生装置の支持表面又は基板上へのコーティング組成物の塗布及び磁性又は磁化可能粒子の配向の後は、コーティング組成物を固化（すなわち、固体又は固体様状態へ変換）させることによって、粒子の配向を固定する。
【００７１】
[070]この固化は、例えばコーティング組成物がポリマーバインダ材料及び溶媒を含み、高温で塗布される場合の純粋な物理的性質とすることが可能である。そして、磁界の印加により高温で粒子を配向させ、溶媒を蒸発させた後、コーティング組成物を冷却する。これにより、コーティング組成物が固化するとともに、粒子の配向が固定される。
【００７２】
[071]或いは、コーティング組成物の「固化」は、例えばセキュリティ書類の通常の使用で起こり得る単純な温度上昇（例えば、最大８０℃）では不可逆の硬化による化学反応を伴うのが好ましい。用語「硬化」又は「硬化性」は、塗布したコーティング組成物中の少なくとも１つの成分が化学反応、架橋、又は重合によって開始材料よりも大きな分子量を有するポリマー材料に変化するプロセスを表す。硬化によって、３次元ポリマーネットワークが形成されるのが好ましい。
【００７３】
[072]このような硬化は一般的に、（ｉ）支持表面又は基板上への塗布後、及び（ｉｉ）磁性又は磁化可能粒子の配向の後又は同時に、コーティング組成物に外部刺激を印加することによって引き起こされる。したがって、コーティング組成物は、放射線硬化性組成物、熱乾燥組成物、酸化乾燥組成物、及びこれらの組み合わせから成る群から選択されるインク又はコーティング組成物であるのが好ましい。特に、コーティング組成物は、放射線硬化性組成物から成る群から選択されるインク又はコーティング組成物であるのが好ましい。
【００７４】
[073]好ましい放射線硬化性組成物としては、紫外・可視光放射線（以下、紫外・可視光硬化性と称する）又は電子ビーム放射線（以下、ＥＢと称する）によって硬化可能な組成物が挙げられる。放射線硬化性組成物は、当技術分野において既知であり、ＳＩＴＡ  Ｔｅｃｈｎｏｌｏｇｙ  Ｌｉｍｉｔｅｄと提携したＪｏｈｎ  Ｗｉｌｅｙ  ＆  Ｓｏｎｓが１９９７年〜１９９８年に７巻を発行した「Ｃｈｅｍｉｓｔｒｙ  ＆  Ｔｅｃｈｎｏｌｏｇｙ  ｏｆ  ＵＶ  ＆  ＥＢ  Ｆｏｒｍｕｌａｔｉｏｎ  ｆｏｒ  Ｃｏａｔｉｎｇｓ，  Ｉｎｋｓ  ＆  Ｐａｉｎｔｓ」シリーズ等の標準的な教科書に見られる。
【００７５】
[074]本発明の特に好適な一実施形態によれば、本明細書に記載のインク又はコーティング組成物は、紫外・可視光硬化性組成物である。紫外・可視光硬化は、硬化プロセスを非常に高速化できるため、本発明並びに前記ＯＥＬを含む論文及び文献に係る当該ＯＥＬの作製時間が劇的に短くなって都合が良い。紫外・可視光硬化性組成物は、ラジカル硬化性化合物、カチオン硬化性化合物、及びこれらの混合物から成る群から選択される１つ又は複数の化合物を含むのが好ましい。カチオン硬化性化合物は、酸等のカチオン種を遊離させて硬化を開始することにより、モノマー及び／又はオリゴマーの反応及び／又は架橋によってコーティング組成物を固化させる１つ又は複数の光開始剤の放射による活性化を通常含むカチオン機構によって硬化する。ラジカル硬化性化合物は、１つ又は複数の光開始剤の放射によってラジカルを生成することにより重合を開始してコーティング組成物を固化させる活性化を通常含むフリーラジカル機構によって硬化する。
【００７６】
[075]コーティング組成物は、磁性材料、発光及び／若しくは蛍光材料、導電材料、赤外線吸収材料、並びにこれらの混合物から成る群から選択される１つ又は複数の機械可読材料をさらに含んでいてもよい。本明細書において、用語「機械可読材料」は、肉眼では確認できない少なくとも１つの特別な特性を示し、ある層に含めることによって、特定の専用機器の使用により当該層又は当該層を含む物品を認証する方法を提供可能な材料を表す。
【００７７】
[076]コーティング組成物は、有機及び向き顔料及び有機色素から成る群から選択される１つ若しくは複数の着色成分並びに／又は１つ若しくは複数の添加剤をさらに含んでいてもよい。後者としては、粘度（例えば、溶媒、増粘剤、及び界面活性剤）、稠度（例えば、硬化防止剤、充填剤、及び可塑剤）、起泡性（例えば、消泡剤）、潤滑性（ワックス、オイル）、紫外線安定性（光増感剤及び光安定剤）、密着性、帯電防止特性、保存性（重合防止剤）等のコーティング組成物の物理的、流動学的、及び化学的パラメータの調整に用いられる化合物及び材料が挙げられるが、これらに限定されない。本明細書に記載の添加剤は、当該添加剤の寸法のうちの少なくとも１つが１〜１０００ｎｍの範囲である所謂ナノ材料の形態等、当技術分野において既知の量及び形態でコーティング組成物中に存在していてもよい。
【００７８】
[077]磁界発生装置の支持表面又は基板上へのコーティング組成物の塗布の後又は同時に、２つ以上のループ形状に対応する領域で所望の配向パターンに従って配向させるための外部磁界を用いて、非球状磁性又は磁化可能粒子を配向させる。これにより、永久磁性粒子は、その磁気軸が粒子位置における外部磁界の磁力線の方向と一致するように配向する。固有の永久磁界がない磁化可能粒子は、外部磁界によって、その最長寸法の方向が粒子位置における外部磁界の磁力線と一致するように配向する。以上は、磁性又は磁化可能性を有する層を含む層構造を粒子が有すべき場合にも同様に当てはまる。
【００７９】
[078]磁界の印加により、非球状磁性又は磁化可能粒子がコーティング組成物の層で配向することによって、少なくとも複数の入れ子のループ状本体を含み、少なくとも一方の表面から視認可能な光学効果又は光学的印象を与えるセキュリティ要素（ＯＥＬ）が製造される（例えば、図３ｂ、図６ｅ、図１５ｂ、図１５ｃ、及び図２４参照）。その結果、観察者は、ＯＥＬの傾斜により動的な視覚上の運動効果を示す反射領域として動的なループ状要素を視認可能であり、当該ループ状要素は、ＯＥＬのその他の部分とは異なる平面で移動するように見える。非球状磁性又は磁化可能粒子の配向の後又は同時に、例えば紫外・可視光硬化性コーティング組成物の場合は紫外・可視光の照射によって、コーティング組成物を固化させることにより配向を固定する。
【００８０】
[079]入射光の所与の方向、例えば垂直（ＯＥＬ表面に垂直）において、配向が固定された粒子を含むＯＥＬ（Ｌ）の反射性が最も高い領域すなわち非球状磁性又は磁化可能粒子の鏡面反射領域は、視角（傾斜角）の関数として位置が変化する。ＯＥＬ（Ｌ）を左側から見るとループ状明領域が位置１に見られ、当該層を上から見るとループ状明領域が位置２に見られ、当該層を右側から見るとループ状明領域が位置３に見られる。このように、観察方向を左から右に変化させると、ループ状明領域も左から右に移動するように見える。また、観察方向を左から右に変化させるとループ状明領域が右から左に移動するように見える逆の効果を得ることも可能である。ＯＥＬの入れ子のループ状領域に存在する非球状磁性又は磁化可能粒子の曲率の符号（負（図１ｂ参照）又は正（図１ｃ参照））に応じて、動的なループ状本体は、ＯＥＬに対する観察者の動きに関して、観察者に近づくように（図１ｃの正湾曲の場合）又は観察者から離れるように（図１ｂの負湾曲の場合）観察可能である。なお、図１において、観察者の位置は、ＯＥＬの上方である。このような動的な光学効果又は光学的印象は、ＯＥＬが傾斜している場合に観察される。また、ループ形状であることから、ＯＥＬが設けられている紙幣等の傾斜方向に関係なく、効果を観察することができる。例えば、ＯＥＬを有する紙幣が左右及び上下に傾斜している場合に効果を観察することができる。
【００８１】
[080]ＯＥＬの入れ子のループ状領域は、非球状磁性又は磁化可能粒子を含み、共通中央領域を規定する。外側の１つ又は複数のループ形状は、好ましくは入れ子のループ状領域が互いに交差しないように、共通中央領域及び内側の１つ又は複数のループ状領域を囲む。図２１に示すように、ＯＥＬのループ状領域のそれぞれでは、当該ＯＥＬ平面に垂直な断面であり、中央領域の中心から最外ループ状領域の外側境界まで延びた断面において、ループ状領域のそれぞれにおける非球状磁性又は磁化可能粒子が仮想的な楕円又は円の負湾曲部又は正湾曲部の接線に従う（図２１Ａでは円、図２１Ｂでは楕円により示す）。このような断面図において、各ループ状領域の楕円又は円は、その中心が、各ループ状領域の幅の中心周りから垂直に延びた線に沿っているのが好ましく、及び／又は各円の直径及び／又は各楕円の最長軸若しくは最短軸は、ループ形状を構成する各領域の幅と略同じである。このような配向は、図１に示すように、非球状磁性又は磁化可能粒子の最長軸の配向がＯＥＬの平面にある仮想的な半トロイド状本体の表面に従うように表現してもよい。
【００８２】
[081]複数のループ形状のすべてにおける非球状粒子の配向は、ＯＥＬの平面にある仮想的な半トロイド状本体の表面の同じ湾曲部に従うのが好ましい（すなわち、仮想的な楕円又は円の正湾曲部の接線にすべてが従うか、又は仮想的な楕円又は円の負湾曲部の接線にすべてが従う）。
【００８３】
[082]別の好適な実施形態において、各ループ状領域における非球状磁性又は磁化可能粒子の配向は交互になっており、例えば、入れ子のループ状領域の第１（最内）、第３、第５等の領域における非球状粒子の配向は、理論的な楕円又は円の負湾曲部の接線に従い、入れ子のループ状領域の第２、第４等の領域における非球状磁性又は磁化可能粒子の配向は、理論的な楕円又は円の正湾曲部の接線に従う。当然のことながら、逆の配向も可能である。さらに、この場合も、仮想的な楕円又は円はそれぞれ、その中心が、ＯＥＬ表面と垂直な断面図においてループ形状を構成する領域の幅の中心周りに対応する位置でＯＥＬの平面から垂直に延びた仮想的な線に沿っているのが好ましい。また、これらの円及び楕円は、２つのループ状領域の幅について図２１Ａ及び図２１Ｂに示すように、各領域の幅にそれぞれ対応する直径又は最長軸若しくは最短軸を有するのが好ましい。このような交互配置の粒子の配向については、図２ｂにも示すが、位置Ａ、Ｂ、及びＣは、入れ子のループ状領域のうちの最内領域に対応しており、図の右側に同様の配向が続いて、第３のループ状領域を構成している。最内ループ状領域及び第３のループ状領域のいずれにおいても、粒子の配向は、各領域（幅）の中央から延びた線に中心が沿い、当該領域の幅に対応した直径を有する仮想的な楕円の負湾曲部の接線に従う。最内ループ状領域と第３のループ状領域との間において、第２のループ状領域（図２ｂの中央）の粒子は、各領域（幅）の中央から延びた線に中心が沿う仮想的な楕円の正湾曲部の接線に従う。このような交互配置を提供することによって、高コントラスト及び著しい光学効果が得られる。
【００８４】
[083]入れ子のループ状領域に囲まれた共通中央領域における領域は、磁性又は磁化可能粒子を含まないようにすることができ、この場合、空隙は通常ＯＥＬの一部ではない。これは、印刷ステップにおいてＯＥＬを形成する際、空隙にコーティング組成物を提供しないことによって実現可能である。
【００８５】
[084]或いは一方で、共通中央領域はＯＥＬの一部であり、基板にコーティング組成物を提供する際には省略されないのが好ましい。これにより、コーティング組成物を基板の大部分に塗布可能であることから、ＯＥＬの製造を容易化可能である。このような場合は、共通中央領域にも非球状磁性又は磁化可能粒子が存在する。これらは、ランダムな配向が可能であって、特定の効果ではなく、わずかな光反射を与える。ただし、共通中央領域に存在する非球状磁性又は磁化可能粒子は、その最長軸がＯＥＬの平面と実質的に垂直となって、光反射性を全く又はほとんど与えないように配向しているのが好ましい。
【００８６】
[085]また、複数の入れ子のループ状領域のうちの最外領域の外側の非球状磁性又は磁化可能粒子についても、ＯＥＬの平面と実質的に垂直又はランダムに配向可能である。
【００８７】
[086]図１ｂは、ＯＥＬ（Ｌ）中の非球状磁性又は磁化可能粒子（Ｐ）であって、バインダ材料中に固定され、仮想的な楕円（半トロイド状本体で表す）の負湾曲部に従う粒子を示している。図１ｃは、ＯＥＬ中の非球状磁性又は磁化可能粒子であって、仮想的な楕円（半トロイド状本体で表す）の表面の正湾曲部に従う粒子を示している。
【００８８】
[087]図１及び図２１において、非球状磁性又は磁化可能粒子は、ＯＥＬの全体積にわたって分散しているのが好ましい一方、好ましくは基板上に設けられたＯＥＬの平面に対する当該ＯＥＬ内の配向について論じるには、粒子がすべて、ＯＥＬの同一又は同様の平面断面内にあるものと仮定する。これらの非球状磁性又は磁化可能粒子はそれぞれ、その断面形状に現れる最も長い直径を表す短い線で図示する。実際、図１４Ａに示すように、当然のことながら、非球状磁性又は磁化可能粒子の一部は、ＯＥＬ上から見た場合に、互いに一部又は全部が重なっていてもよい。
【００８９】
[088]ＯＥＬ中の非球状磁性又は磁化可能粒子の総数は、所望の用途の関数として適当に選定するようにしてもよい。ただし、視認可能な効果を生じる表面被覆パターンを構成するには、ＯＥＬ表面の１平方ミリメートルに対応する体積において、数千個の粒子、例えば約１，０００〜１０，０００個の粒子が一般的に必要となる。
【００９０】
[089]複数の非球状磁性又は磁化可能粒子は、併せて光学効果を生じるものであるが、ＯＥＬ中の粒子総数の全部又は一部にのみ対応していてもよい。例えば、入れ子のループ状本体の光学効果を生じるＯＥＬの入れ子のループ状領域における非球状磁性又は磁化可能粒子は、従来型又は特殊な着色顔料粒子が考えられる、バインダ材料中に含まれる他の粒子と組み合わさってもよい。
【００９１】
[090]本発明の特に好適な一実施形態において、本明細書に記載のＯＥＬは、最内ループ状要素によって囲まれ、それが規定する中央領域を部分的に満たす所謂「突起」をさらに備えていてもよい。この突起は、中央領域に存在する半球等の３次元物体の錯視をもたらす。この３次元物体は一見したところ、（粒子が負湾曲又は正湾曲のいずれに従うかに応じて、直立又は反対の鉢を見る場合と同様に）ＯＥＬ表面から観察者まで延びている。或いは、一見したところ、ＯＥＬから観察者の反対側に延びている。これらの場合、ＯＥＬは、中央領域に非球状磁性又は磁化可能粒子を含み、中央領域の中心周りの領域においては、その最長軸がＯＥＬの平面と実質的に平行となって、突起の効果を構成するように配向している。このように、動的な最内ループ状本体の中央領域は、例えばループ状本体が円を構成している場合に半球の中実円であるか、又は三角形のループ本体の場合に三角形基部を有し得る中央の効果画像要素で満たされる。このような実施形態において、突起の外周形状の少なくとも一部は、入れ子のループ状本体のうちの最内本体の形状に類似しており、突起の外周は、入れ子のループ状本体のうちの最内本体の形態に従うのが好ましい（すなわち、ループ状領域が円形の場合は、突起が中実円の形状を有するか、充填半球の光学効果又は光学的印象を与え、又はループ状領域が三角形の場合は、突起が中実三角形又は三角錐である）。本発明の一実施形態によれば、突起の外周形状の少なくとも一部は、最内ループ状本体の形状に類似しており、このループ状本体はリングの形態を有し、突起は中実円又は半球の形状を有するのが好ましい。特に、突起の外周形状は、いくつか（例えば、２つ、３つ、４つ、５つ、６つ、７つ以上）のリングに囲まれた中実円等、すべてのループ状本体の形状と類似しているのが好ましい。このような一実施形態の考え得る具現化を図２１Ｂに示す。図２１Ｂの上部に示すように、共通中央領域（２）は、突起で満たされている。２つのループ状本体（１）の光学効果又は光学的印象を与えるループ状領域に囲まれた共通中央領域（２）の中心（３）から延びた線（４）に沿う断面図において、ループ状領域中の配向は、上述と同じである。中央領域の突起を構成している領域において、非球状磁性又は磁化可能粒子（５）の配向は、仮想的な楕円又は円の正湾曲部又は負湾曲部の接線に従い、この楕円又は円は、断面に垂直（すなわち、図２１Ｂの垂直方向）であり、最内ループ状領域に囲まれた共通中央領域の中心（３）周りを通って延びるように配置された線に沿って中心を有するのが好ましい（図２１Ｂの下部には、突起の中心から境界までの部分のみを示す）。さらに、仮想的な楕円の最長軸若しくは最短軸又は仮想的な円の直径は、非球状粒子の最長軸の配向が突起の中心においてＯＥＬの平面と実質的に平行であり、突起の境界においてＯＥＬの平面と実質的に垂直となるように、突起の直径と略同じであるのが好ましい。ここでも、突起を構成する共通中央領域においては、このような断面図で配向の変化率が一定であってもよいし（粒子の配向が円の接線に従う）、異なっていてもよい（粒子の配向が楕円の接線に従う）。また、突起中の非球状磁性又は磁化可���粒子の配向の変化は、ループ状領域中と同じ方向に従う（正曲率又は負曲率に従う）のが好ましい。或いは、配向の変化は、突起中の交互の方向である入れ子のループ状領域の第２、第４、第６等の領域及び入れ子のループ状領域の第１、第３、第５等の領域に従うのが好ましい。
【００９２】
[091]最内ループ状本体の内側境界と突起の外側境界との間には、間隙の光学的印象が存在するのが好ましい。このような間隙の光学的印象は、ＯＥＬの平面と実質的に垂直なループ状領域の内側境界と突起の外側境界との間の領域の非球状磁性又は磁化可能粒子を配向させるか、又は突起及び最内ループ状要素の湾曲と反対の符号の湾曲を実質的に有するループ状領域の内側境界と突起の外側境界との間の領域の非球状磁性又は磁化可能粒子を配向させることによって実現可能である。さらに、突起は、入れ子のループ状領域のうちの最内領域の内側境界により規定される領域の少なくとも約２０％を占めるのが好ましく、少なくとも約３０％を占めるのがより好ましく、少なくとも約５０％を占めるのが最も好ましい。
【００９３】
[092]次に、図３〜図２０及び図２３〜図２５を参照して、ＯＥＬで非球状磁性又は磁化可能粒子を配向させることによって入れ子のループ状領域で光反射を与えることにより、本発明の複数の入れ子のループ状本体の光学的印象を与えるＯＥＬを構成可能な本発明の磁界発生装置について説明する。或いは、本明細書に記載の磁界発生装置を用いることにより、部分的なＯＥＬすなわち例えば１／２円、１／４円等のループ形状の１つ又は複数の部分を示すセキュリティ対策を提供するようにしてもよい。
【００９４】
[093]最も広い態様において、本発明の磁界発生装置は、磁石及び磁極片から選択され、少なくとも１つの磁石を含む複数の要素を具備し、当該複数の要素が、（ｉ）支持表面の下方又は支持表面として作用する基板を受容するように構成された空間の下方に配置されるか、又は（ｉｉ）支持表面を構成し、且つ磁界を提供可能なように構成されており、前記支持表面又は空間の上方の２つ以上の領域において磁力線が前記支持表面又は空間と実質的に平行に延びており、ｉ）上記２つ以上の領域が、中央領域を囲む入れ子のループ状領域を構成し、及び／又は、ｉｉ）上記複数の要素が複数の磁石を含み、磁力線が支持表面又は空間と実質的に平行に延びた領域が回転軸周りの回転により組み合わさるように当該磁石が回転軸周りに回転可能に配置され、回転軸周りの回転により１つの中央領域を囲む複数の入れ子のループ状領域を構成する。したがって、本発明の磁界発生装置は一般的に、固定磁界発生装置（選択肢ｉ））及び回転磁界発生装置（選択肢ｉｉ））に分類可能である。固定磁界発生装置において、非球状磁性又は磁化可能粒子の配向を行うＯＥＬのループ状領域は、磁界発生装置の設計に反映されている。言い換えるなら、固定磁界発生装置においては、入れ子のループ状領域における非球状磁性又は磁化可能粒子の配向のために、非球状磁性又は磁化可能粒子を含むコーティング組成物に対して磁界発生装置を移動させる必要がなく、入れ子のループ状領域における非球状磁性又は磁化可能粒子の配向は、コーティング組成物又は第１の状態のコーティング組成物を有する支持体を固定磁界発生装置に接触又は接近させることによって実現される。一方、回転磁界発生装置においては、入れ子のループ状領域のループ形状がこのように磁界発生装置の磁石の設計に反映されてはいないが、ＯＥＬのループ状領域における非球状磁性又は磁化可能粒子の配向は、第１の状態のコーティング組成物を有する磁界発生装置の支持体又は支持表面に対する磁界発生装置の磁石のループ状移動によってもたらされる。
【００９５】
[094]一実施形態において、本発明の磁界発生装置は通常、複数の非球状磁性又は磁化可能粒子（Ｐ）を含む流体状態（固化前）のコーティング組成物の層（Ｌ）が上方又は上に設けられた支持表面を備える。この支持表面は、１つ又は複数の磁石（Ｍ）の磁極から所与の距離（ｄ）に配置され、この装置の平均磁界に曝露されている。
【００９６】
[095]このような支持表面は、磁界発生装置の一部を成す磁石の一部であってもよい。このような一実施形態において、コーティング組成物は、非球状磁性又は磁化可能粒子の配向を行う支持表面（磁石）に直接塗布可能である。配向の後又は同時に、バインダ材料は（例えば、放射線硬化性組成物の場合は照射により）第２の状態に変化して、磁界発生装置の支持表面から剥離可能な固化膜を構成する。これにより、膜又はシートの形態のＯＥＬが製造され、配向した非球状粒子がバインダ材料（この場合は通常、透明ポリマー材料）中に固定される。
【００９７】
[096]或いは、本発明の磁界発生装置の支持表面は、ポリマー材料等の非磁性材料で構成された薄板（通常、０．５ｍｍ厚未満、例えば０．１ｍｍ厚）又は例えばアルミニウム等の非磁性材料で構成された金属板により形成されている。支持表面を構成するこのような板は、磁界発生装置の１つ又は複数の磁石の上方に設けられている。そして、この板（支持表面）には、コーティング組成物を塗布可能であり、その後、コーティング組成物の配向及び固化によって、上述と同様にＯＥＬを形成する。
【００９８】
[097]当然のことながら、上記いずれの実施形態（支持表面が磁石の一部であるか、又は磁石上の板により形成されている）においても、コーティング組成物を塗布する基板（例えば後述する紙又はその他任意の基板で構成）を支持表面上に設けた後、配向及び固化を行うことができる。なお、コーティング組成物は、コーティング組成物が塗布された基板を支持表面上に載置する前に基板上に設けることができる。とりわけ、コーティング組成物は、基板を支持表面上に載置する時点で基板上に塗布することも可能である。いずれの場合も、ＯＥＬは基板上に設けてもよく、これが本発明の好適な一実施形態である。
【００９９】
[098]ただし、ＯＥＬを基板上に設ける場合、基板は、上記板の代わりに支持表面としての役割を担うことも可能である。特に、基板の寸法が安定している場合は、例えば基板を受容する板を設ける必要はなく、基板を受容するように構成された磁界発生の空間（すなわち、別の方法では支持板により確保される空間）に支持板を介在させることなく磁石の上又は上方に基板を設けるようにしてもよい。以下の説明において、用語「支持表面」は、特にそれに対する磁石の配向の点で、上記のような実施形態においては、中間板の設置なく基板表面により確保される位置又は平面に関する場合がある。すなわち、基板が支持表面の代わりとなる。このため、以下において、用語「支持表面」は、「基板」又は「基板を受容するように構成された空間」で置き換えることにより、このような実施形態を説明する場合がある。各例においては、簡素化のためこのことを明記していない。
【０１００】
[099]本発明に係る固定磁界発生装置の一実施形態は、ＮＳ軸が支持表面又は空間に垂直となるようにループ状軸方向磁化双極子磁石が設けられ、ループ状磁石が中央領域を囲み、支持表面又は空間に関してループ状軸方向磁化双極子磁石の下方に設けられ、ループ状磁石により構成されたループの一方側を閉塞する磁極片をさらに備え、磁極片が、ループ状磁石に囲まれた空間に延入し、ループ状磁石から離隔している１つ又は複数の突起を構成したものであって、ａ１）磁極片が、ループ状磁石に囲まれた中央領域に延入する１つの突起を構成し、突起が、ループ状磁石から横方向に離隔して、中央領域の一部を満たすものである。このような装置の考え得る具現化を図３ａに模式的に示す。言い換えるなら、この装置は、その周囲に配置され、軸方向に磁化されたループ状双極子磁石（Ｍ）（図３ａのリング）を備える（すなわち、ＮＳ方向が、層（Ｌ）を構成する第１の状態のコーティング組成物を有する支持表面又は基板（Ｓ）側又はその反対側を向く）。この装置は、ループ状磁石の下方に設けられ、第１の状態のコーティング組成物を有する支持表面（Ｓ）を設ける側と反対のループの一方側を閉塞する磁極片、この場合は逆Ｔ字状の鉄ヨーク（Ｙ）をさらに備える。磁極片は、高い透磁率、好ましくは約２〜約１，０００，０００Ｎ・Ａ−２（ニュートン／平方アンペア）、より好ましくは約５〜約５０，０００Ｎ・Ａ−２、さらに好ましくは約１０〜約１０，０００Ｎ・Ａ−２の透磁率を有する材料で構成された構造を示す。磁極片は、磁石で発生した磁界の指向に役立つ。本明細書に記載の磁極片は、逆Ｔ字状の鉄ヨーク（Ｙ）を備えるか、又は逆Ｔ字状の鉄ヨーク（Ｙ）から成っているのが好ましい。磁極片は、ループ状磁石（Ｍ）に囲まれた空間の中心において、上記側からさらに延びている。したがって、断面図においてこの装置は、図３ａの左側に示すように、傾斜したＥ字の形状を有し、Ｅ構造の上下の線がループ状磁石（Ｍ）で構成され、Ｅ構造の残りが磁極片（Ｙ）で構成されている。この装置及び空間中の磁石（Ｍ）の３次元場は、中心垂直軸（ｚ）に関して回転対称である。
【０１０１】
[0100]図３ａの磁力線から導き出せるように、この装置は、それぞれリングの形態の２つの閉ループ状本体の印象を与えるように、非球状磁性又は磁化可能粒子（Ｐ）を配向させる。
【０１０２】
[0101]さらに、磁性又は磁化可能粒子（Ｐ）の配向を決定する支持表面又は基板（Ｓ）上の所与の位置における磁力線は、磁界発生装置の磁石からの支持表面又は基板（Ｓ）の距離（ｄ）によって異なることが直ちに明らかである。本発明において、磁界発生装置側の支持表面又は基板表面（Ｓ）と磁界発生装置の磁石の最も近い表面との間の距離（ｄ）は一般的に、０〜約５ｍｍ、好ましくは約０．１〜約５ｍｍの範囲であり、設計要求に従って、然るべき動的なループ状要素を生成するように選択される。支持表面は、好ましくは距離（ｄ）と厚さが等しい支持板であってもよく、中間の中央領域なしに磁界発生装置の機械的に硬いアセンブリを構成可能である。支持表面は、ポリマー材料又は例えばアルミニウム等の非磁性金属等の非磁性材料で構成された支持板であってもよい。距離（ｄ）が大き過ぎると、ループ状要素における非球状磁性又は磁化可能粒子の配向によって明確なループ状本体の印象が与えられない場合がある。すなわち、視覚効果又は視覚的印象が不鮮明となり、異なるループ形状又はループ状本体間の区別又は分解が困難となる場合がある。この問題は、磁界発生装置と直接接触している場合には起こらないが、製造上の目的として、特に（仮想的な楕円、特に図１ｃに示す仮想的な円の正湾曲部の接線に従うループ状領域中の粒子の配向を得るために）コーティング組成物を塗布する基板の同じ側に磁界発生装置が配置されている場合は、磁界発生装置と基板との間にわずかな間隙（例えば、３ｍｍ未満、好ましくは１ｍｍ未満）を有することにより、基板又はその上にある第１の状態のコーティング組成物と磁界発生装置との接触を回避するのが好ましい場合がある。当然のことながら、上記は、図３ａに示す磁界発生装置のみならず、本発明のすべての固定及び回転磁界発生装置に当てはまる。
【０１０３】
[0102]図３ｂは、共通中央領域を囲む同心リングの形態の２つの入れ子のループ状本体を含む得られたＯＥＬの写真である。図３ｂの中央の写真はＯＥＬの平面図を示し、図３ｂの左側及び右側の写真はそれぞれ、ＯＥＬの法線の左側又は右側の方向から見たＯＥＬを示している。これらの図に見られるように、光学効果又は光学的印象は、動的である。すなわち、視角の変化によりリングが移動するように見える。左側の写真において、内側リングと外側リングとの間の距離は、内側リングの左側で内側リングの右側よりも小さく見えるが、図３ｂの右側の写真のようにＯＥＬを他側から見た場合には、逆の効果が観察される。
【０１０４】
[0103]ＮＳ軸が支持表面又は空間に垂直となるようにループ状軸方向磁化双極子磁石が設けられ、ループ状磁石が中央領域を囲み、支持表面又は空間に関してループ状軸方向磁化双極子磁石の下方に設けられ、ループ状磁石により構成されたループの一方側を閉塞する磁極片をさらに備え、磁極片が、ループ状磁石に囲まれた空間に延入し、ループ状磁石から離隔している１つ又は複数の突起を構成した磁界発生装置に関する本発明の別の実施形態において、ａ２）磁極片は、１つのループ状突起を構成し、ループ状磁石とＮＳ方向が同じである中央棒状双極子磁石を囲み、当該突起及び当該棒状双極子磁石が互いに離隔している。このような装置の考え得る具現化を図４に模式的に示す。この装置は、軸方向に磁化されたループ状リング磁石（Ｍ２）を当該装置の周囲に備える（すなわち、ＮＳ方向が、第１の状態のコーティング組成物を有する支持体側又はその反対側を向く）点で、図３の装置に類似している。また、この装置は、磁石（Ｍ）のループ形状に対応し、ループの一方側を閉塞する形態で、下方すなわち第１の状態のコーティング組成物を有する支持表面又は基板（Ｓ）を設ける側と反対に配置された磁極片（鉄ヨーク（Ｙ））を有する。磁極片は、ループ状磁石に囲まれた中央領域において上記側から延びているが、図３と異なり、この磁極片の延伸は中実ではなく、別の内側ループを規定している。この磁極片の延伸により構成された内側ループ内には、磁石のＮＳ方向が同じ配向である棒状双極子磁石（Ｍ１）が配置されている。断面図（図４の左側）において、磁極片は、２つの逆Ｔ字形状を成す。
【０１０５】
[0104]ここでも、図４に示す実施形態においては、磁界発生装置及びこれにより発生した磁界が中心垂直軸（ｚ）に対して回転対称である。さらに、図４に示す磁力線から導き出せるように、このような装置は、請求項１の規定のように、支持表面又は基板（Ｓ）上に設けられたＯＥＬの３つのループ状（図４ではリング状）領域における非球状磁性又は磁化可能粒子を配向させることによって、１つの中央領域を囲む３つの入れ子のリングの視覚的印象を得る。
【０１０６】
[0105]本発明の固定磁界発生装置の別の実施形態は、ＮＳ軸が支持表面又は空間に垂直となるようにループ状軸方向磁化双極子磁石が設けられ、ループ状磁石が中央領域を囲み、支持表面又は空間に関してループ状軸方向磁化双極子磁石の下方に設けられ、ループ状磁石により構成されたループの一方側を閉塞する磁極片をさらに備え、磁極片が、ループ状磁石に囲まれた空間に延入し、ループ状磁石から離隔している１つ又は複数の突起を構成したものであって、ａ３）磁極片が、２つ以上の離隔突起を構成し、これらのすべて又はこれらの１つを除くすべてがループ状であり、突起数に応じて、離隔ループ状突起間に形成された空間に、第１の軸方向磁化ループ状磁石とＮＳ方向が同じである１つ又は複数の付加的な軸方向磁化ループ状磁石が設けられ、当該付加的な磁石がループ状突起から離隔しており、支持表面又は空間から見た場合に離隔ループ状磁極片突起及びループ状軸方向磁化双極子磁石の交互配置が１つの中央領域を囲んで構成され、ループ状突起及びループ状磁石に囲まれた中央領域が、周囲のループ状磁石とＮＳ方向が同じである中央棒状双極子磁石又は磁極片の中心突起で部分的に満たされ、中央領域が、棒状双極子磁石又は上記中心突起で満たされたものである。このような装置の考え得る一実施形態を図５に示す。この装置は、軸方向に磁化されたループ状リング磁石（Ｍ１）を当該装置の周囲に備える（すなわち、ＮＳ方向が、第１の状態のコーティング組成物（図５には示さず）を有する支持体側又はその反対側を向く）点で、図３及び図４の装置に類似している。また、この装置は、磁石（Ｍ１）のループ形状に対応し、ループの一方側を閉塞する形態で、下方すなわち第１の状態のコーティング組成物を有する支持表面又は基板（Ｓ）を設ける側と反対に配置された磁極片（鉄ヨーク（Ｙ））を有する。図４の右側と同様に、図５の装置の磁極片は、閉ループの側から延びて、ループ状磁石（Ｍ１）により規定された空間中に（内部）ループを構成している。この磁極片（Ｙ）の延伸により規定された内部ループ内には、最内空間を規定する別のループ状磁石（Ｍ２）が存在する。そして、磁極片は、図３と同様に、この最内空間の内側の空間にも延びている。断面図において、磁極片は、３つの逆Ｔ字形状を成す。
【０１０７】
[0106]図５に示す磁力線から導き出せるように、このような装置は、支持表面又は基板（Ｓ）上の４つの入れ子のループ状（図５ではリング状）領域における非球状磁性又は磁化可能粒子を配向させることによって、１つの中央領域を囲む４つの入れ子のリングの視覚的印象を得る。
【０１０８】
[0107]上述の装置の説明及び図３、図４、及び図５から、同様の装置を用いることによって、中央部（磁極片の延伸部又は図４の磁石Ｍ１のように磁気軸が基板表面と本質的に垂直な棒状双極子磁石）の構造を改良し、ループ状磁石又は磁極片のループ状延伸部を交互に設けて、例えば５つ、６つ、７つ、又は８つの入れ子のループ状領域を形成することにより、基板上の多数の入れ子のループ状領域における非球状磁性又は磁化可能粒子の配向を実現可能であることが直ちに明らかである。
【０１０９】
[0108]また、円又はリングと異なるループ形状（例えば、三角形、正方形、五角形、六角形、七角形、又は八角形）を規定する基板上の領域における非球状磁性又は磁化可能粒子の配向は、これらの装置におけるループ状磁石及びループ状磁極片（Ｙ）の形状を改良することによって実現可能であることも明らかである。
【０１１０】
[0109]図３〜図５に示す実施形態においては、中央の棒状双極子磁石（図４等に示す）を除けば、ループ状（リング）磁石が用いられている。ただし、磁極片の形状が適切に適応されている場合は、棒状磁石を用いて同様の効果を得ることができる。本発明の磁界発生装置のこのような他の実施形態の例を図６ａ〜図６ｄに示す。
【０１１１】
[0110]図６ａ、図６ｂ、及び図６ｄは、本発明の磁界発生装置であって、２つ以上の棒状双極子磁石及び２つ以上の磁極片を具備しており、同数の磁極片及び棒状双極子磁石を備え、棒状双極子磁石が、支持表面又は空間と実質的に垂直なＮＳ軸を有し、ＮＳ方向が同じであり、好ましくは当該支持表面又は空間と垂直に延びた１つの線に沿って、当該支持表面又は空間から異なる距離に設けられ、互いに離隔しており、磁極片が、当該棒状双極子磁石間の空間に設けられて接触しており、磁極片が、支持表面又は空間の隣にある棒状双極子磁石が配置された中央領域をループ状形態で囲む１つ又は複数の突起を構成した、磁界発生装置の一実施形態の考え得る具現化を示している。
【０１１２】
[0111]具体的には、図６ａにおいて、軸方向にＮＳ配向した１つの中央棒状双極子磁石が存在する。中央（上側）棒状双極子磁石の下には、離隔して棒状双極子磁石を横方向に囲み、ループの一方側を閉塞する閉ループ形状を構成した上側磁極片が配置されている。図４及び図５等における磁極片の横方向包囲部の左右の代わりに、中央（上側）棒状双極子磁石とＮＳ配向が同じの下側棒状双極子磁石が上側磁極片の下方に配置されている。上側磁極片は、上側棒状双極子磁石の磁極の一方及び下側棒状双極子磁石の（反対）磁極と接触している。さらに、下側棒状双極子磁石の下方には、同じくループ状の形態で、離隔して下側棒状双極子磁石及び上側磁極片を横方向に囲む下側磁極片が設けられている。また、下側磁極片のループ状形態と上側磁極片のループ状形態との間には、横方向の空間が規定されている。
【０１１３】
[0112]図６ａに示す磁界発生装置による磁力線は、図６ａに示すように、中央磁石のＮ極から上側棒状双極子磁石を囲む上側磁極片の延伸部までと、上側棒状双極子磁石を囲む上側磁極片の延伸部から下側棒状双極子磁石、上側磁極片、及び中央磁石を横方向に離隔して囲む下側磁極片の延伸部までとに延びる。このため、非球状磁性又は磁化可能粒子は、中央（上側）棒状双極子磁石とこれを囲む上側磁極片の延伸部との間及び中央磁石を囲む上側磁極片の延伸部と中央磁石を囲む下側磁極片の延伸部と間の領域（すなわち、２つの磁極片間に規定された空間上の領域）における支持表面と実質的に平行な領域を含む磁力線に沿って配向する。したがって、この装置は、２つの入れ子のループ状領域における非球状磁性又は磁化可能粒子を配向可能である。
【０１１４】
[0113]別の類似する構成を図６ｂに示す。ここでは、図６ａの下側磁極片の下部を板状磁石（平棒状双極子磁石）で置き換えている。図６ｂの構成により、図６ａと同様に３つのループ状領域、２つの内側ループ状領域、及び上側（内側）磁極片を囲む（外側）磁極片のループ状最外部から下側板状棒状磁石の底部（図６ｂの下側磁石のＳ極）まで延びた磁力線による別のループ状領域において、非球状磁性又は磁化可能粒子を配向可能である。
【０１１５】
[0114]図６ｄは、磁界発生装置のさらに別の構成を示している。本質的に、磁石及び磁極片は、図６ａと同じ構成であるが、ループ形状に離隔して上側磁極片、上側中央磁石、及び下側磁石を横方向に囲む下側磁極片の延伸部が存在しない。その結果、磁力線の始点及び終点が、第１の状態のコーティング組成物を有する支持表面から異なる距離にあるため、図６ｅに示すように、非常に興味深い３次元効果を呈する。図６ｅは、図６ｄに示す構成の装置を用いて得られたＯＥＬを示している。図示のＯＥＬは、３つの入れ子のリングの印象を与えており、内側及び外側リングがＯＥＬ表面から延び、中間リングが表面下方に沈み込んでいるように見える。内側及び外側リングにおいては、非球状磁性又は磁化可能顔料の最長軸の配向が円の負湾曲部の接線に従い、中間リングにおいては、非球状磁性又は磁化可能顔料の最長軸の配向が円の正湾曲部の接線に従う。さらに、外側リングの印象を構成している粒子は、配向の変化がより遅い（すなわち、曲率が小さく見える。言い換えるなら、粒子の配向が従う接線の理論的な円の半径がより大きい）。
【０１１６】
[0115]別の実施形態において、本発明は、ＮＳ軸が支持表面又は空間に垂直となるように２つ以上のループ状双極子磁石が設けられ、当該２つ以上のループ状磁石が入れ子に配置され、離隔して、１つの中央領域を囲み、当該磁石が軸方向に磁化され、隣接するループ状磁石のＮＳ方向が反対であって、支持表面若しくは空間側又はその反対側を向いた磁界発生装置であって、ループ状磁石に囲まれた中央領域に設けられた棒状双極子磁石をさらに備え、当該棒状双極子磁石が、支持表面と実質的に垂直且つループ状磁石のＮＳ軸に平行なＮＳ軸を有し、当該棒状双極子磁石のＮＳ方向が、最内ループ状磁石のＮＳ方向と反対である、磁界発生装置に関する。このような装置を図２４に示す。この装置は、任意選択として、支持表面又は空間の反対側に、中央棒状双極子磁石及びループ状磁石と接触した磁極片をさらに備えていてもよい。このような装置を図６ｃに示す。
【０１１７】
[0116]図６ｃは、中央の軸方向磁化棒状双極子磁石（Ｍ）と、単一の磁極片（鉄ヨーク（Ｙ））を備えたループ状形態の２つの軸方向磁化双極子磁石との組み合わせを示している。磁石の磁気方向の向きは、ループ状磁界発生装置の中心から周囲に向かって交互である。
【０１１８】
[0117]別の実施形態において、本発明は、支持表面又は空間の下方に配置され、ＮＳ方向が当該支持表面又は空間に垂直である１つの棒状双極子磁石と、磁石の上方且つ支持表面又は空間の下方に配置された１つ又は複数のループ状磁極片であり、複数のループ状磁極片の場合は離隔するとともに同一平面上で入れ子になって配置され、下側に当該磁石が配置された中央領域を横方向に囲む、１つ又は複数のループ状磁極片と、を具備した磁界発生装置であって、最外ループ状磁極片と略同じサイズ及び略同じ外周形状の板状基部を有する第１の磁極片であり、その外周形状が、支持表面又は空間からの方向におけるループ状磁極片の最外周と重なるように磁石の下方に配置され、当該磁石の磁極の一方と接触した、第１の磁極片と、磁石の他方の磁極と接触した中央磁極片であり、外周形状がループ状であって、中央領域を部分的に満たし、１つ又は複数のループ状磁極片から横方向に離隔して囲まれた、中央磁極片とをさらに備えた、磁界発生装置に関する。このような装置の考え得る具現化を図７ａに模式的に示す。図７ｂ及び図７ｄに模式的に示すように、第１の磁極片は、板状基部から延びて中央磁石を横方向に離隔して囲む１つ又は複数の突起により補完されていてもよい。
【０１１９】
[0118]この装置は、磁石の一方の磁極の上方で接触し、１つ又は複数のループ状磁極片の下方で接触し、中央磁極片の下方で接触した位置に、外周形状がループ状である第２の板状磁極片をさらに備えることによって、当該中央磁極片が磁石の上記磁極と直接接触しておらず、第２の板状磁極片が、第１の板状磁極片と略同じサイズ及び形状である。このような装置の考え得る具現化を図７ｃに模式的に示す。
【０１２０】
[0119]棒状双極子磁石（Ｍ）の磁極の磁界は、両者間のループ形状を反映した磁気ギャップを有する鉄ヨーク（Ｙ１、Ｙ２、Ｙ３、Ｙ４）等の同一平面上にある一組の入れ子のループ状磁極片（図７ａ及び図７ｂの環状鉄ヨーク）に通すことができることが分かっている。前記ギャップの位置における磁界は、異なるサイズを有する入れ子の環状効果画像要素を生成するのに適している。
【０１２１】
[0120]図７ａは、軸方向に磁化され、一方の磁極が鉄板（Ｙ）上となるように配設された棒状双極子磁石（Ｍ）を備えた装置を示している。同一平面上にある一組の入れ子の環状鉄ヨーク（Ｙ１、Ｙ２、Ｙ３、Ｙ４）は、棒状双極子磁石（Ｍ）の他方の磁極（Ｎ）に配設されている。図７ｂは、鉄板（Ｙ）をＵ字状の鉄ヨーク（Ｙ）で置き換えることによって、板状基部から延びて中央磁石を横方向に離隔して囲む１つ又は複数の突起によりループ状基部が補完された磁極片を構成した装置を示している。
【０１２２】
[0121]図７ｃ及び図７ｄに示すように、同一平面上にある一組の入れ子の磁極片（鉄ヨーク）は、外周形状がループ状であって、（ｉ）磁石の一方の磁極の上方で接触し、（ｉｉ）１つ又は複数のループ状磁極片及び中央磁極片の下方で接触した位置に設けられた第２の板状磁極片で補完可能であることによって、当該中央磁極片が磁石の上記磁極と直接接触しておらず、第２の板状磁極片が、第１の板状磁極片と略同じサイズ及び形状である。併せて、図７ｃ及び図７ｄの上部に示すように、これは凹版に対応する。特にこのような凹版及び本発明において一般的に使用する磁極片は、鉄（鉄ヨーク）で構成されていてもよいが、図７ｃ及び図７ｄで使用するように、磁性粒子が分散したプラスチック材料で構成されていてもよい。したがって、これが、少なくとも１つの磁極片を備えた本発明の磁界発生装置の別の実施形態である。
【０１２３】
[0122]図３〜図７は、本発明の固定磁界発生装置の実施形態を示している。以下、図８〜図２０、図２３、及び図２４に示すように、回転磁界発生装置の実施形態について説明する。当業者には既知の通り、本明細書に記載の回転可能な磁界発生装置に用いる１分当たりの回転速度及び回転数は、本明細書に記載の通り、すなわち仮想的な楕円の負湾曲部又は正湾曲部の接線に従うように非球状磁性又は磁化可能粒子を配向させるために調整される。
【０１２４】
[0123]本発明のすべての回転磁界発生装置に共通する特徴として、当該装置は、回転軸周りに回転可能且つ当該回転軸（ｚ）から離隔して設けられた１つ又は複数の磁石を備える。さらに、回転軸は、非球状磁性又は磁化可能粒子の配向に際して支持表面又は基板（Ｓ）が設けられる平面と実質的に垂直に設けられている。使用する（１つ又は複数）の磁石が奇数である場合は、機械的なバランスを理由として、サイズ／重量が略同じであり、回転軸から略同じ距離に設けられた付加的な疑似片を使用するようにしてもよい。
【０１２５】
[0124]回転磁界発生装置に関する以下の説明において、回転軸から離隔して設けられた磁石の磁気的ＮＳ方向の向きは、回転軸に対して表現するため、このような磁石の磁気軸が回転軸に平行である（ＮＳ方向が基板表面側又はその反対側を向く）か、又は磁気軸が回転軸に対して実質的に放射状且つコーティング組成物又は当該コーティング組成物を含む基板を設ける支持表面と（又は、支持表面として作用する基板を受容するように構成された空間に対して）実質的に平行であり、ＮＳ方向が回転軸側又はその反対側を向く。回転軸周りに複数の磁石が回転可能に設けられ、磁気的ＮＳ軸が回転軸に対して放射状である磁界発生装置の文脈において、表現「対称な磁気的ＮＳ方向」は、ＮＳ方向の向きが対称中心としての回転軸に関して対称である（すなわち、複数の磁石すべてのＮＳ方向が回転軸側又はその反対側を向く）ことを意味する。回転軸周りに複数の磁石が回転可能に設けられ、磁気的ＮＳ軸が回転軸に対して放射状且つ支持表面又は基板表面に平行である磁界発生装置の文脈において、表現「非対称な磁気的ＮＳ方向」は、ＮＳ方向の向きが対称中心としての回転軸に関して非対称である（すなわち、一方の磁石のＮＳ方向が回転軸側を向き、他方の磁石のＮＳ方向がその反対側を向く）ことを意味する。
【０１２６】
[0125]回転磁界発生装置はさらに、複数の入れ子のループ状領域において、一見したところ「空」である１つの中央領域を囲む複数の入れ子のループ状本体の光学的外観を与えるように非球状磁性又は磁化可能粒子を配向させるように、基板上の第１の状態のコーティング組成物中に存在する非球状磁性又は磁化可能粒子を配向可能な回転磁界発生装置と、中央領域が「突起」を含む回転磁界発生装置とに分割可能である。突起は、ループ状本体に囲まれた中央領域に存在する半球等の３次元物体の印象を与える。この３次元物体は一見したところ、（粒子が負湾曲又は正湾曲のいずれに従うかに応じて、直立又は反対の鉢を見る場合と同様に）ＯＥＬ表面から観察者まで延びている。或いは、ＯＥＬから観察者の反対側に延びている。これらの場合、ＯＥＬは、当該ＯＥＬの平面と実質的に平行に配向することによって反射領域を提供する非球状磁性又は磁化可能粒子を中央領域に含む。
【０１２７】
[0126]中央領域が一見したところ空である場合、入れ子のループ状本体の最内本体によって規定される中央領域には、非球状磁性又は磁化可能粒子が存在しないか、又はランダムな配向又は、好ましくは粒子の最長軸がＯＥＬの平面と実質的に垂直な配向の粒子を含む。後者の場合、粒子は通常、反射性をほとんど与えない。
【０１２８】
[0127]中央領域が「突起」を含む場合、中央領域（通常、中央領域の中心）には、最長軸がＯＥＬの平面と実質的に平行となって反射領域を提供するように粒子が配向した領域が存在する。なお、「突起」と最内ループ状本体との間には、間隙の光学的印象が存在するのが好ましい。これは、当該領域中の粒子をなくすことによっても実現可能であるが、より一般的には、当該領域において、最長軸がＯＥＬ／基板表面の平面と実質的に垂直となるように粒子を配向させることにより実現されるのが好ましい。図２１Ｂ（粒子が実質的に垂直に配向したループ状領域と中央領域との間の領域は図示せず）に一部を示すように、突起の中心を構成する中央領域の内側の粒子及び最内ループ状本体の光学的外観を構成するループ状領域の幅の中心における粒子は、基板表面及びＯＥＬの平面と実質的に平行に配向しており、これらの領域間の粒子の配向は、中央領域の中心から最内ループ状本体を規定する領域の中心まで延びた線に沿って、実質的平行から実質的垂直、そして再び実質的平行へと徐々に変化する。このような粒子の配向は、後述する「突起」を構成可能な回転磁界発生装置によって実現可能である。
【０１２９】
[0128]本発明の実施形態において、回転磁界発生装置は、支持表面又は基板を受容するように構成された空間の下方において、当該支持表面又は空間に垂直な回転軸周りに回転可能に配置された２つ以上の棒状双極子磁石を備え、当該２つ以上の棒状双極子磁石が、当該回転軸から離隔するとともに互いに離隔しており、当該回転軸の両側に対称に設けられ、支持表面又は空間の下方且つ回転軸上に配置された１つの棒状双極子磁石を任意選択としてさらに具備しており、
ｅ１）回転軸の一方側において、支持表面又は空間と実質的に垂直且つ当該回転軸と実質的に平行なＮＳ軸を有する１つ又は複数の棒状双極子磁石を備え、すべての磁石のＮＳ方向が当該支持表面又は空間に関して同一であり、当該磁石が互いに離隔しており（図８及び図１４に示す）、
支持表面又は空間の下方且つ回転軸上に配置された１つの棒状双極子磁石を任意選択として備え、そのＮＳ軸が当該支持表面又は空間と実質的に垂直且つ当該回転軸と実質的に平行であり、そのＮＳ方向が、当該軸周りに回転可能に配置され、そこから離隔している磁石のＮＳ方向と同一（図１０及び図２３ａに示す）又は反対（図９に示す）であるか、
ｅ２）回転軸上に任意選択としての棒状双極子磁石が存在せず、当該回転軸の一方側において、互いに離隔するとともに当該回転軸から離隔して配置された２つ以上の棒状双極子磁石を備え、当該磁石のＮＳ軸が、当該支持表面又は空間と実質的に垂直且つ当該回転軸と実質的に平行であり、軸の一方側に設けられた磁石のＮＳ方向が交互になっており、最内磁石のＮＳ方向が回転軸に関して対称（図１３）又は反対（図１８に示す）であるか、
ｅ３）回転軸上に任意選択としての棒状双極子磁石が存在せず、当該回転軸の一方側において、互いに離隔するとともに当該回転軸から離隔して配置された２つ以上の棒状双極子磁石を備え、当該磁石のＮＳ軸が、当該支持表面又は空間と実質的に垂直且つ当該回転軸と実質的に平行であり、軸の一方側に設けられた磁石のＮＳ方向が当該回転軸に関して対称であり、当該回転軸の異なる側に設けられた磁石のＮＳ方向が反対である（図１９に示す）か、
ｅ４）回転軸の一方側において、当該回転軸から離隔するとともに、一方側に２つ以上の磁石が存在する場合は互いに離隔して配置された１つ又は複数の棒状双極子磁石を備え、当該磁石のＮＳ軸が、支持表面又は空間と実質的に平行且つ当該回転軸に対して実質的に放射状であり、回転軸の一方側の１つ又は複数の磁石のＮＳ方向が当該回転軸側を向く一方、当該回転軸の他方側の１つ又は複数の磁石のＮＳ方向が当該回転軸と反対側を向くことによって、当該回転軸の一方側の最外磁石から他方側の最外磁石までＮＳ方向が一直線となっており（すなわち、最内磁石のＮＳ方向が回転軸に関して非対称であり、すべての磁石のＮＳ方向が本質的に同じ方向を向くように当該磁石が配置され）、さらに
ｅ４−１）回転軸上に任意選択としての磁石が存在せず、当該回転軸の一方側に少なくとも２つの磁石が設けられる（図２０）か、又は、
ｅ４−２）回転軸上に任意選択としての磁石が設けられ、一方側の磁石がそこから離隔して配置され、当該回転軸上の磁石が、支持表面と実質的に平行なＮＳ軸を有する棒状双極子磁石であり、そのＮＳ方向が当該回転軸の一方側に設けられた磁石と同じ方向を向く（すなわち、当該回転軸の一方側の最外磁石から他方側の最外磁石まで、当該回転軸から離隔して配置された磁石のＮＳ方向と一直線になっている）（図１６に示す）か、
ｅ５）回転軸上に任意選択としての磁石が設けられておらず、当該回転軸の一方側において、当該回転軸から離隔するとともに互いに離隔して配置された２つ以上の棒状双極子磁石を備え、当該磁石のＮＳ軸が、支持表面又は空間と実質的に平行且つ当該回転軸に対して実質的に放射状であり、すべての磁石のＮＳ方向が回転軸に関して対称である（すなわち、すべてが当該回転軸側又はその反対側を向く）（一実施形態として図１２に示す）か、
ｅ６）回転軸上に任意選択としての磁石が設けられておらず、当該回転軸の一方側において、当該回転軸から離隔するとともに互いに離隔して配置された一対又は複数対の棒状双極子磁石を備え、すべての磁石のＮＳ軸が、支持表面又は空間と実質的に平行且つ当該回転軸に対して実質的に放射状であり、各磁石対が、互いの方向又はその反対方向を向いたＮＳ方向が反対である２つの磁石で構成され、一方側の最内磁石対の最内磁石のＮＳ方向が、
ｅ６−１）両方が回転軸側又はその反対側を向き、当該回転軸に関して対称である（図１１に示す）か、又は
ｅ６−２）一方が回転軸側、一方がその反対側を向き、当該回転軸に関して非対称である（図１７に示す）か、
ｅ７）当該磁界発生装置が、
ｅ７−１）回転軸上に任意選択としての棒状双極子磁石と、当該回転軸の一方側に１つ又は複数の磁石とを備え、すべての磁石のＮＳ軸が、支持表面と実質的に平行であり、回転軸の一方側の磁石のＮＳ軸が、当該回転軸に対して実質的に放射状であるか、又は、
ｅ７−２）回転軸上に任意選択としての棒状双極子磁石を備えておらず、当該回転軸の一方側において、当該回転軸から離隔して配置された２つ以上の磁石を備え、すべての磁石のＮＳ軸が、支持表面又は空間と実質的に平行且つ当該回転軸に対して実質的に放射状であり、
いずれの場合にも、一方側の最外磁石から他方側の最外磁石までＮＳ方向が一直線となるように、回転軸の一方側に配置された磁石のＮＳ方向が、当該回転軸に関して、当該回転軸の他方側に配置された磁石のＮＳ方向と非対称であり（すなわち、一方側で当該回転軸側、他方側ではその反対側を向く）、上記ｅ７−１の場合の回転軸上の磁石がこの直線上に整列している（図１５及び図２３ｃに示す）か、
ｅ８）当該磁界発生装置が、回転軸の一方側において、支持表面又は空間と実質的に垂直且つ当該回転軸と実質的に平行なＮＳ軸を有する２つ以上の棒状双極子磁石と、任意選択として、当該回転軸上に配置され、当該支持表面又は空間と実質的に垂直且つ当該回転軸と実質的に平行なＮＳ軸を有する棒状双極子磁石とを備え、隣接する磁石のＮＳ方向が当該支持表面又は空間に関して反対であり、当該磁石が互いに離隔している（図２３ｂ１）か、又は、
ｅ９）当該磁界発生装置が、回転軸の一方側において、支持表面又は空間と実質的に平行且つ当該回転軸に対して実質的に放射状のＮＳ軸を有する２つ以上の棒状双極子磁石と、任意選択として、当該回転軸上に配置され、当該支持表面又は空間と実質的に平行且つ当該回転軸と実質的に垂直なＮＳ軸を有する棒状双極子磁石とを備え、隣接する磁石のＮＳ方向が反対方向を向き、当該磁石が互いに離隔している（図２３ｄ１に示す）。ここで、「隣接する」磁石は、互いに隣り合う磁石である。
【０１３０】
[0129]図８は、回転軸（ｚ）から離隔して、磁気軸が支持表面又は基板（Ｓ）と実質的に垂直且つ回転軸と実質的に平行で、同じ磁気的ＮＳ方向が支持表面（Ｓ）と反対側を向く２つの棒状双極子磁石磁石（Ｍ）を備えた磁界発生装置の一実施形態を模式的に示している。図８に示す磁力線（Ｆ）から明らかなように、各磁石の左右の領域に存在する第１の状態のコーティング組成物のコーティング層（Ｌ）中の磁性又は磁化可能粒子（Ｐ）は、支持表面（Ｓ）と実質的に平行となるように配向している。回転軸（ｚ）周りの磁石の回転により、２つのループ状本体（図８ではリング）が形成される。また、磁力線から導き出せるように、回転軸上の中央領域に存在する粒子は、まったく配向していないか、又は最長軸が支持表面（Ｓ）と実質的に垂直となって突起が形成されないように配向している。
【０１３１】
[0130]当然のことながら、別の実施形態においては、磁石のＮＳ方向を逆転させること又は同じＮＳ方向の向きで回転軸周りに別の磁石、例えば３つ、４つ、５つ、又は６つの磁石を設けることによって、図８の構成を変更可能である。これにより、閉ループの形成に必要な回転の程度を抑えることができる。
【０１３２】
[0131]図９は、本発明の磁界発生装置の別の実施形態を示しており、当該装置には、３つの棒状双極子磁石が設けられている。これら３つの棒状双極子磁石のうちの２つは、回転軸から離間して反対に配置され、磁気的ＮＳ方向が同じである（例えば両方が支持表面（Ｓ）側を向き、支持表面（Ｓ）と実質的に垂直／回転軸と実質的に平行である）。第３の棒状双極子磁石は、回転軸上に配置され、離隔して設けられた２つの磁石とＮＳ方向が反対である。磁力線から明らかなように、中央磁石と２つの外側磁石との間の領域及び回転軸から見た場合に２つの離隔した磁石を超える領域において、ＯＥＬ層／基板表面の平面と本質的に平行な粒子の配向が得られる。したがって、図９の装置によれば、（空の）中央領域を囲む２つの入れ子のリングの印象を与えるセキュリティ要素を製造可能である。
【０１３３】
[0132]図１０は、図９に示す装置と類似する本発明の磁界発生装置の別の実施形態を示している。唯一の違いとして、回転軸上に設けられた中央磁石のＮＳ方向が離隔した磁石のＮＳ方向と反対ではなく、３つの磁石すべてのＮＳ方向が同じである（支持表面（Ｓ）に垂直で当該表面側を向き、回転軸に平行である）。磁力線から明らかなように、断面図の６つの領域における粒子は、ＯＥＬの平面と実質的に平行となるように配向し、回転により互いに組み合わさって、３つの入れ子のループ状領域を形成する。すなわち、中央磁石の左右の領域においては、ＯＥＬ平面に平行な配向が実現され、回転により最内ループ状領域が形成され、左側に示す磁石の右側の領域及び右側に示す磁石の左側の領域においては、回転により中央ループ状領域が形成され、左側に示す磁石の左側の領域及び右側に示す磁石の右側の領域においては、外側ループ状領域が形成される。したがって、図９の装置によれば、（空の）中央領域を囲む３つの入れ子のリングの印象を与えるセキュリティ要素を製造可能である。
【０１３４】
[0133]図１１は、本発明の磁界発生装置の別の実施形態を示している。ここでは、回転軸の一方側において、磁気的ＮＳ方向が互いに反対の二対の磁石が設けられている。磁石はすべて、回転軸から離隔して設けられており、一対の２つの内側磁石のＮＳ方向が回転軸に関して対称であり（両方が回転軸と反対側を向き）、一対の２つの外側磁石のＮＳ方向が回転軸に関して対称である（両方が回転軸側を向く）。４つの磁石はそれぞれ、支持表面（Ｓ）と実質的に平行且つ回転軸に対して放射状の磁気軸を有する。回転軸周りの回転により、この装置は、ＯＥＬの２つのループ状領域における粒子を配向させて、（空の）中央領域を囲む入れ子のリングの印象を構成可能である。当然のことながら、回転軸の一方側には、同じ向きの別の磁石対を設けることも可能である。
【０１３５】
[0134]図１２は、本発明の磁界発生装置の別の実施形態を示している。図１１に示す実施形態と同様に、回転軸から離隔して、支持表面（Ｓ）と実質的に平行且つ回転軸に対して放射状の磁気軸を有する二対の磁石が設けられている。図１１に示す実施形態とは異なり、ここでは、すべての磁石のＮＳ方向が回転軸に関して対称である（すなわち、回転軸側を向く）。
【０１３６】
[0135]図１２に示す装置は、磁石のＮＳ方向が同じであるため、粒子が実質的に平行に配向した領域が、４つの磁石それぞれの上方のみならず、回転軸の各側の磁石間にも実現される、という興味深い効果を示す。このため、外側磁石の一方の磁極（例えば、Ｎ極）は、内側磁石の反対の磁極（例えば、Ｓ極）と対向するように設けられている。これにより、磁石間の領域において、磁石の上方で表面Ｓと実質的に平行に延びた磁力線を有する磁界が得られる。ただし、この磁界によって粒子の平行配向が実現されている領域は、各磁石の上方の領域よりも非常に小さいため、ループ状本体の「厚さ」すなわち線幅に影響する。したがって、図１２に示す装置は、回転により、１つの（空の）中央領域を囲む３つの入れ子のリングの視覚的印象を与えるＯＥＬを形成する。外側及び内側リングの厚さすなわち線幅は、中央リングよりも明らかに大きい。この効果は、本発明の関連する磁界発生装置においても観察され、例えば図１５ｂにて良好に確認可能である。
【０１３７】
[0136]図１３は、本発明の磁界発生装置の別の実施形態を示している。これは、４つの棒状双極子磁石の装置を示しており、磁石はすべて、回転軸から離間して配置されている。磁石はそれぞれ、支持表面と実質的に垂直且つ回転軸と実質的に平行な磁気軸を有する。内側磁石のＮＳ方向は同じであり、回転軸から見て、外側磁石のＮＳ方向と反対である。回転軸周りの回転によって、３つのループ状領域におけるＯＥＬの平面と平行な粒子の配向が実現される。これらループ形状のうちの１つ（中央ループ形状）は、回転により、各側の磁石間の領域の組み合わせによって形成される。この領域の幅、すなわち結果的にはＯＥＬに現れる閉ループ状本体の見掛けの「厚さ」は、回転軸の一方側における磁石間の距離の調整及び／又は距離ｄの変更によって調整可能である。ただし、上記概説の通り、距離ｄが大き過ぎると、ループ状本体の外観が不鮮明になる場合及び／又はコントラストが失われる場合がある。内側及び外側ループ形状は、ｚ周りの回転による最内磁石と回転軸との間の領域の組み合わせ及び回転による（回転軸から見て）外側磁石を超える領域の組み合わせによって形成される。
【０１３８】
[0137]図１４は、本発明の磁界発生装置の別の実施形態を示している。本実施形態の装置は、図１３に示す実施形態の装置と類似している。唯一の違いとして、すべての磁石のＮＳ方向は、回転軸と実質的に平行且つ支持表面又は基板（Ｓ）と実質的に垂直で、同一である。この装置は、（空の）中央領域を囲む４つのループ状本体の光学的印象を与えるセキュリティ要素を形成可能である。
【０１３９】
[0138]図１５は、本発明の磁界発生装置の別の実施形態を示している。この装置は、回転軸から離隔した６つの磁石（各側に３つずつ）を備える。１つの磁石から別の磁石を見た場合は、すべての磁石のＮＳ方向が同一であるが、回転軸に関して見た場合は、回転軸の一方側の３つ一組の磁石のＮＳ方向が回転軸側を向く一方、他方の３つ一組の磁石のＮＳ方向が回転軸と反対側を向く（すなわち、両側の磁石の向きは、回転軸に関して非対称である）。１つの磁石のＮ極は、回転軸に沿って、次の磁石のＳ極に対向している。
【０１４０】
[0139]図１５に示す装置は、回転軸の一方側に設けられた磁石のＮＳ方向が同じであるという点で、図１２に示す装置と関連する（図１２の左側のみを図１５の左側のみと比較した場合）。相違点としては、回転軸の一方側の一組の磁石に対して、磁石が１つ追加されている。すなわち、一方側に３つの磁石が存在する。ここでも、ＯＥＬ／表面Ｓの平面に対して粒子が実質的に平行に配向した領域が、各磁石の直上及び各磁石間に存在する。これらの領域はそれぞれ、回転により回転経路に沿って、それ自体と組み合わさることにより、ループ状本体に対応するループ状領域が形成される。平行配向の領域は、磁石間よりも磁石の直上において大きいため、回転によって、「厚さ」すなわち線幅が異なる交互のループ形状が形成される。したがって、図１５に示す装置は、５つの入れ子のループ状本体を形成し、このうち（中央領域から見て）第１、第３、及び第５の本体は、第２及び第４の本体よりも大きな厚さを有する。
【０１４１】
[0140]さらに、回転軸の隣に設けられた磁石間の磁力線により、表面Ｓに対して実質的に平行な整列の領域が回転軸の直上に形成され、「突起」が形成される。したがって、図１５に示す装置は、突起を囲む交互厚さの５つの入れ子のリングの光学的印象を与えるＯＥＬを形成可能である。
【０１４２】
[0141]図１５の装置は、各側に別途磁石を設けることによって、容易に補完可能であることが直ちに明らかである。各側に磁石を１つ追加すると、ループ状本体（リング）の数が２つ増えるため、「突起」で満たされた中央領域を囲む７つ、９つ、１１個、又は１３個の入れ子のリングの光学的外観を与えるように装置を容易に改良可能である。当然のことながら、磁石の数を減らすことによって、図２０に示すように、突起を有する領域を囲む２つ又は３つのループ状本体を提供することも可能である（磁石の数を減らした点を除いて、図１５の装置と同じ）。
【０１４３】
[0142]図１５ｂは、図１５ａの装置を用いて製造されたＯＥＬの写真である。図１５ｃは、距離ｄの変更の影響を示しており、図１５ｂでは０ｍｍ、図１５ｃでは１．５ｍｍである。上記説明の通り、距離ｄが大き過ぎると、不鮮明でコントラストが失われるため、個々のループ状本体が互いに区別できなくなる。ただし、図１５ｃに示すＯＥＬによっても、磁力線の重なりによるはっきりした光学的外観及び３次元効果が与えられるため、実際には、わずかに大きな距離ｄも使用可能である。実際、偽造者にとっては、このようなＯＥＬの製造に用いる磁界発生装置の再構成のみならず、正確な距離ｄを見つけることも困難である。したがって、特定の用途においては、０．５ｍｍ以上又は１．０ｍｍ以上の距離ｄが好ましい場合がある。
【０１４４】
[0143]図１６は、本発明の磁界発生装置の別の実施形態を示している。この装置は、３つの磁石を備え、そのうちの２つが回転軸から離隔し、１つが回転軸上に設けられている。図１５と同様に、磁石のＮＳ方向は磁石ごとに同一であるため、離隔した磁石のＮ極（又はＳ極）が回転軸上に設けられた磁石のＳ極（又はＮ極）に対向している。言い換えるなら、離隔した磁石のＮＳ方向は、回転軸に関して非対称であり（１つが回転軸側を向き、もう１つがその反対側を向く）、回転軸上に設けられた磁石のＮＳ方向は、ＮＳ方向が回転軸側を向いた磁石と同じである。
【０１４５】
[0144]この装置は、図１５に示す装置と関連するが、磁石の数を減らした点を除く主な違いとして、回転軸上に磁石が設けられている。これにより、回転軸上の磁石の直上の領域において、表面Ｓに対して粒子が実質的に平行に配向した領域が形成される。この領域は、（２つの磁石間ではなく）磁石の上方に形成されるため、図１５の対応する領域よりも大きい。したがって、図１６の装置により形成されたＯＥＬの最内ループ状本体に囲まれた中央領域（すなわち、回転中心の上方位置）における「突起」は、図１５に示す装置により製造されたＯＥＬの対応位置における突起よりも大きい。このように、図１６の装置は、「突起」で満たされた中央領域を囲む２つの入れ子のループ状本体（リング）の印象を与えるＯＥＬを形成するように、粒子を配向させる。
【０１４６】
[0145]図１５の装置については、磁石を別途追加してループ状本体の数を増やすことにより、図１６に示す装置を容易に改良可能であることが直ちに明らかである。また、交互の「厚さ」を有するループ状本体が形成されることになる。したがって、（図１５に示す）適当な配向の磁石を別途追加することにより、対応する装置を用いることによって、「突起」で満たされた中央領域を囲む例えば４つ、６つ、８つ、又は１０個の入れ子のループ状本体（通常、交互の「厚さ」を有する）の光学的外観を与えるＯＥＬを作製可能である。
【０１４７】
[0146]図１７は、本発明の磁界発生装置の別の実施形態を示している。この装置は、図１１に示す装置と関連する。唯一の違いとして、右側の２つの磁石それぞれのＮＳ方向が逆になっている。磁石は、回転軸の各側において、ＮＳ方向がそれぞれ反対となるように配置されているが、（図１１と比較して）回転軸の一方側のみの磁石のＮＳ軸の向きが逆になっているため、２つの内側磁石のＮＳ方向は、一方から他方を見た場合に同じ方向を向いており（ただし当然のことながら、回転軸に関して非対称である。すなわち、一方が回転軸側を向き、もう一方がその反対側を向く）、２つの外側磁石のＮＳ方向は、一方から他方を見た場合に同じ方向を向いている（ただし当然のことながら、回転軸に関して非対称である。すなわち、一方が回転軸側を向き、もう一方がその反対側を向く）。この構成により、（図１５と同様に）２つの内側磁石間に延びた磁力線による粒子の実質的に平行な整列を可能とする領域が回転軸の直上に形成される。したがって、図１１に示す装置は、空の中央領域を囲む２つの入れ子のループ状本体の光学的外観を有するＯＥＬを提供するが、図１７に示す装置は、突起で満たされた中央領域を囲む２つの入れ子のループ状本体の光学的外観を有するＯＥＬを提供する。
【０１４８】
[0147]図１８は、本発明の磁界発生装置の別の実施形態を示している。この装置は、４つの磁石（回転軸の各側に２つずつ）を備える。すべての磁石は、回転軸と実質的に平行且つ表面Ｓと実質的に垂直な磁気軸を有する。２つの内側磁石のＮＳ方向は異なっており（一方が表面Ｓ側を向き、他方がその反対側を向く）、回転軸からさらに離隔した磁石のＮＳ方向は、回転軸の同じ側に設けられた内側磁石のＮＳ軸と反対である。
【０１４９】
[0148]図１８は、回転軸に平行且つ表面Ｓに垂直な磁気軸を有する磁石の交互配置によって対称な磁界を形成可能であり、各磁石が、ＮＳ方向が反対のその他２つの磁石間に介在することを良好に示している。このような構成においては、ＯＥＬ／表面Ｓの平面に対して非球状磁性又は磁化可能粒子が平行に配向した領域が各磁石間に形成され、反射領域が形成される。一方、磁石の直上には、粒子の実質的に垂直な配向が実現され、実質的に反射を示さない。回転軸上には磁石が設けられておらず、その結果として、この位置には、ＯＥＬの平面に対して粒子が実質的に平行に整列した領域が形成されるため、図１８に示す装置を用いて作製されたＯＥＬの中央領域には、突起が形成されている。さらに、この装置は、突起を含む中央領域を囲む２つのループ状本体を形成する。
【０１５０】
[0149]当然のことながら、言うまでもなく、図１８の装置は、突起が形成されないように隣接する磁石とＮＳ方向が反対の磁石を回転軸上に設けること及び／又は各側の磁石の数を増やして３つ、４つ、５つ、６つ、７つ、又は８つのループ状本体を形成することにより、容易に改良可能である。さらに、このような装置における磁石間の磁界は非常に類似又は同一であるため、「厚さ」が同じに見えるループ形状を形成可能であり興味深い。
【０１５１】
[0150]図１９は、本発明の磁界発生装置のさらに別の実施形態を示している。この装置は、回転軸から離間して配置された４つの棒状双極子磁石（各側に２つずつ）を備え、各磁石が、表面Ｓと実質的に垂直且つ回転軸と実質的に平行な磁気軸を有する。ＮＳ方向の向きは、回転軸の各側の各磁石対では同じであり、異なる側では反対である（一方側の両磁石で上（表面Ｓ側）を向き、他方側の両磁石で下を向く）。２つの内側磁石のＮＳ軸が反対であることから、２つの磁石間の回転軸上には、ＯＥＬの平面と実質的に平行となるように粒子を配向可能な領域が形成され、突起の形成が可能である。さらに、回転軸周りの回転によって、外側磁石の一方側に延びる磁力線（回転により２つの外側ループ状本体を形成）及び外側（外側磁石側）に延びる２つの内側磁石の磁力線によって、３つの入れ子のループ状本体がＯＥＬ内に形成される。
【０１５２】
[0151]図２０は、磁石の数を減らした点を除いて図１５の装置と類似する磁界発生装置の一実施形態を示している。したがって、本実施形態に関する個別の議論は省略可能である。
【０１５３】
[0152]回転磁界発生装置の上記実施形態において、磁石は、回転軸から延びた棒に対して放射状に固定されることにより、回転軸周りに回転可能に配置される。ただし当然のことながら、例えば磁石を下地板上に設けることによって、磁石の回転構成を別様に実現することも可能である。このような構成において、磁界発生装置は、回転軸周りに設けられた複数の棒状双極子磁石であり、回転軸の一方側の当該磁石が、支持表面又は基板を受容するように構成された空間と実質的に平行又は垂直なＮＳ軸を有する２つ以上の棒状双極子磁石である、複数の棒状双極子磁石と、任意選択として、回転軸上に配置され、支持表面と実質的に平行又は垂直なＮＳ軸を有する棒状双極子磁石とを備え、隣接する磁石のＮＳ方向が同じ方向又は反対の方向を向き、当該磁石が互いに離隔（図２３ａ、図２３ｂ１、図２３ｃ、及び図２３ｄ１参照）又は直接接触（図２３ｂ１及び図２３ｄ１参照）しており、当該磁石が任意選択として下地板上に設けられている。
【０１５４】
[0153]図２３は、このような構成の例示的な実施形態を示しており、別の面では、磁石の構成及び各磁力線に関して、上述のその他の回転磁界発生装置の一部に対応している。
【０１５５】
[0154]図２３ａにおいては、下地板（ｇｒｏｕｎｄ  ｐｌａｔｅ  ＧＰ）上に磁石（Ｍ）の配列が配設されている。特筆すべきこととして、各磁石は、磁石配列の平面と平行に磁力線が延びた領域を各磁石間に有する磁力線の円弧状部を生成する。磁石が配置された平面と垂直な軸（ｚ）の周りにこの磁石（Ｍ）の配列を回転させると、層中の磁性又は磁化可能粒子を配向可能な平均磁界が空間中に動的に生成される。
【０１５６】
[0155]磁石配列中の磁石（Ｍ）は、同じサイズであることも、互いに等距離であることも、得られる磁力線の円弧状部の入れ子の環状領域が互いに同じ断面及び距離を有することも必要ない。当然のことながら、これは、図２３に示す実施形態のみならず、本発明のその他すべての装置、特に回転装置にも当てはまる。ただし、磁石はすべて、略同じサイズ及び互いに略同じ距離を有するのが好ましい。
【０１５７】
[0156]図２４は、下地板（ＧＰ）上に配設可能であり、磁気極性が交互である一組の２つ以上の入れ子の環状領域磁石（Ｍ）を示している。磁石（Ｍ）の表面上の各ＮＳ極対は、層中の磁性又は磁化可能粒子を配向可能な円弧状の磁力線のループ状（環状）領域を静的に生成することによって、サイズが異なる入れ子の環状効果画像要素を生成する。
【０１５８】
[0157]円弧状の磁力線の静的な環状領域は、入れ子であることも、円形であることも、同サイズであることも、同形態であることも、互いに等距離であることも必要ない。実際、固定磁気配向装置の実施形態においては、任意の形態及び形態の組み合わせが可能である。
【０１５９】
[0158]別の実施形態において、本発明は、板平面に垂直に磁化され突起及び圧痕を有する永久磁石板を備え、当該突起及び圧痕が、中央領域を囲む入れ子のループ状突起及び圧痕を構成するように配置され、当該突起及び圧痕が反対方向の磁極を構成した、磁界発生磁界発生装置に関する。このような装置を図２５に示すが、例えば物理的手段、レーザアブレーション、又は化学的手段による永久磁石板の彫刻又はホーニング等によって所望の構造を提供可能な任意の方法により製造してもよい。或いは、図２５に示す装置は、射出成形又は鋳造プロセスにより製造するようにしてもよい。
【０１６０】
[0159]図２５は、一組の２つ以上の同心ループ状（環状）磁石を有し、拡張表面に垂直に磁化された永久磁石板（ＭＰ）の磁極面の一方を彫刻することによって磁気的ＮＳ極の交互配列を生成した装置を示している。このような彫刻された永久磁石板の実施形態は、ゴム系又はプラスチック系マトリクスに含まれる永久磁石粉末の永久磁石複合材において任意の形態の彫刻が容易に実現されることから、非円形状の場合に特に都合が良い。
【０１６１】
[0160]本明細書に記載の磁界発生装置の磁石は、例えばアルニコ合金、バリウム若しくはストロンチウムヘキサフェライト／コバルト合金、又はネオジム／鉄／ホウ素合金等の希土類−鉄合金等、任意の永久磁石（硬質磁性）材料を含むか、又はそのような材料から成っていてもよい。ただし、ストロンチウムヘキサフェライト（ＳｒＦｅ１２Ｏ１９）又はネオジム／鉄／ホウ素（Ｎｄ２Ｆｅ１４Ｂ）粉末等の永久磁石充填剤をプラスチック系又はゴム系マトリクスに含む加工が容易な永久磁石複合材が特に好ましい。
【０１６２】
[0161]また、本明細書には、本明細書に記載のＯＥＬを製造する磁界発生装置を備え、当該磁界発生装置が回転印刷機の一部として印刷シリンダ上に適合及び／又は挿入された回転印刷アセンブリを記載する。このような場合、磁界発生装置は、相応に設計され、回転ユニットの円筒表面に適応されることによって、インプリント表面と滑らかに接触するようになっている。
【０１６３】
[0162]また、本明細書には、本明細書に記載のＯＥＬを製造するプロセスであって、
ａ）バインダ材料及び本明細書に記載の複数の非球状磁性又は磁化可能粒子を含む第１の（流体）状態のコーティング組成物を支持表面又は基板表面（支持表面上にあってもよいし、なくてもよい）上に塗布するステップと、
ｂ）第１の状態のコーティング組成物を磁界発生装置、好ましくは上記いずれかの磁界発生装置の磁界に曝露することによって、１つの中央領域を囲む複数の入れ子のループ状領域で非球状磁性又は磁化可能粒子の少なくとも一部を配向させ、当該ループ状領域の断面領域それぞれにおける当該粒子の最長軸が仮想的な楕円又は円の負湾曲部又は正湾曲部の接線に従うようにするステップと、
ｃ）コーティング組成物を固化させて第２の状態とすることにより、非球状磁性又は磁化可能粒子を所定の位置及び向きに固定するステップと、
を含む、プロセスを記載する。
【０１６４】
[0163]塗布ステップａ）は、好ましくは銅版凹版印刷、スクリーン印刷、グラビア印刷、フレキソ印刷、及びローラ塗りから成る群から選択され、より好ましくはスクリーン印刷、グラビア印刷、及びフレキソ印刷から成る群から選択される印刷プロセスである。これらのプロセスは、当業者には周知であって、例えばＰｒｉｎｔｉｎｇ  Ｔｅｃｈｎｏｌｏｇｙ，Ｊ．Ｍ．Ａｄａｍｓ  ａｎｄ  Ｐ．Ａ．Ｄｏｌｉｎ，Ｄｅｌｍａｒ  Ｔｈｏｍｓｏｎ  Ｌｅａｒｎｉｎｇ，５ｔｈ  Ｅｄｉｔｉｏｎに記載されている。
【０１６５】
[0164]本明細書に記載の複数の非球状磁性又は磁化可能粒子を含むコーティング組成物は、当該非球状磁性又は磁化可能粒子が移動及び回転できるように十分に湿潤又は柔軟な状態で（すなわち、コーティング組成物が第１の状態で）、磁界に曝露することにより、粒子の配向を実現する。非球状磁性又は磁化可能粒子を磁気的に配向させるステップは、塗布したコーティング組成物を「湿潤」な状態（すなわち、液体且つあまり粘性のない状態、すなわち第１の状態）で、本明細書に記載の磁界発生装置の支持表面又はその上方に生成された既定の磁界に曝露することにより、磁界の磁力線に沿って非球状磁性又は磁化可能粒子を配向させ、ループ状の配向パターンを形成するサブステップを含む。このサブステップにおいて、コーティング組成物は、磁界発生装置の支持表面と十分に接近又は接触している。
【０１６６】
[0165]磁界発生装置の支持表面にコーティング組成物を近づける場合且つ基板の一方側にループ状要素を形成する場合、基板のコーティング組成物を有する側は、装置の支持側に対向していてもよい。或いは、基板のコーティング組成物を有さない側が支持側に対向していてもよい。コーティング組成物を基板の一方の表面のみに塗布する場合又は両側に塗布する場合で、装置の支持表面と対向するようにコーティング組成物の塗布側を配向させる場合は、支持表面と直接接触させない（装置の支持表面に対して基板を十分に近づけるのみで、接触はさせない）のが好ましい。
【０１６７】
[0166]特筆すべきこととして、コーティング組成物は実際のところ、磁界発生装置の支持表面に接触させてもよい。或いは、わずかな空隙又は中間分離層が設けられていてもよい。別の好適な選択肢として、この方法は、コーティング組成物を有さない基板表面が１つ又は複数の磁石と接近又は直接接触するように（すなわち、１つ又は複数の磁石が支持表面を構成するように）実行してもよい。
【０１６８】
[0167]ステップａ）の前に、必要に応じて下塗層を基板に塗布するようにしてもよい。これにより、磁気転写粒子配向画像の品質が向上するか、又は密着性が促進される可能性がある。このような下塗層の例は、国際公開第２０１０／０５８０２６Ａ２号パンフレットに見られる。
【０１６９】
[0168]バインダ材料及び複数の非球状磁性又は磁化可能粒子を含むコーティング組成物を磁界に曝露するステップ（ステップｂ））は、ステップａ）と同時に実行するか、又はステップａ）の後に実行することができる。すなわち、ステップａ）及びステップｂ）は、同時に実行してもよいし、又は続けて実行してもよい。
【０１７０】
[0169]本明細書に記載のＯＥＬを製造するプロセスは、ステップ（ｂ）と同時又はステップ（ｂ）の後に、コーティング組成物を固化させて非球状磁性又は磁化可能粒子を所定の位置及び向きに固定することにより、コーティング組成物を第２の状態に移行させるステップ（ステップｃ））を含む。この固定により、固体のコーティング又は層が形成される。用語「固化」は、基板表面に強固に密着する本質的に固体の材料が形成されるように、任意選択として存在する架橋剤、任意選択として存在する重合開始剤、及び任意選択として存在する別の添加剤等、塗布したコーティング組成物中のバインダ成分の乾燥若しくは凝固、反応、硬化、架橋、又は重合を含むプロセスを表す。上述の通り、固化ステップ（ステップｃ））は、複数の非球状磁性又は磁化可能粒子も含むコーティング組成物に含まれるバインダ材料に応じて、異なる手段又はプロセスにより実行してもよい。
【０１７１】
[0170]固化ステップは一般的に、支持表面に密着する実質的に固体の材料が形成されるように、コーティング組成物の粘度を高くする任意のステップであってもよい。また、固化ステップは、溶媒等の揮発性成分の蒸発及び／又は水の蒸発に基づく物理的プロセス（すなわち、物理的乾燥）を伴っていてもよい。本明細書においては、高温空気、赤外線、又は高温空気と赤外線の組み合わせを用いてもよい。或いは、固化ステップは、コーティング組成物に含まれるバインダ並びに任意選択としての開始剤化合物及び／又は任意選択としての架橋化合物の硬化、重合、又は架橋等の化学反応を含んでいてもよい。このような化学反応は、物理的固化プロセスに関する上記概説の通り、加熱又は赤外線照射によって開始してもよいが、紫外・可視光放射線硬化（以下、紫外・可視光硬化と称する）及び電子ビーム放射線硬化（電子ビーム硬化）、酸化重合（通常、酸素とコバルト含有及びマンガン含有触媒等の１つ又は複数の触媒との協調作用により引き起こされる酸化細網化）、架橋反応、又はこれらの任意の組み合わせ等、或いはこれらに限定されない放射機構による化学反応の開始を含んでいるのが好ましい。
【０１７２】
[0171]放射線硬化が特に好ましく、紫外・可視光放射線硬化がさらに好ましい。これらの技術によれば、硬化プロセスが非常に高速となって、本明細書に記載のＯＥＬを備えた任意の物品の作製時間が劇的に短縮されて都合が良いためである。さらに、放射線硬化には、硬化放射線への曝露によりコーティング組成物の粘度を瞬時に高くすることによって、粒子のさらなる移動を最小限に抑えられるという利点がある。その結果、磁気的配向ステップ後の如何なる情報の損失も本質的に回避可能となる。特に、電磁スペクトルの紫外又は青色部分の波長成分（通常、３００ｎｍ〜５５０ｎｍ、より好ましくは３８０ｎｍ〜４２０ｎｍの「紫外・可視光硬化」）を有する化学光の影響下での光重合による放射線硬化が好ましい。紫外・可視光硬化用機器は、化学線源として、高出力発光ダイオード（ＬＥＤ）ランプ又は中圧水銀アーク（ＭＰＭＡ）又は金属蒸気アークランプ等のアーク放電ランプを備えていてもよい。固化ステップ（ステップｃ））は、ステップｂ）と同時又はステップｂ）の後に実行可能である。ただし、如何なる脱配向及び情報損失も回避するため、ステップｂ）の終了からステップｃ）の開始までの時間は、相対的に短くするのが好ましい。通常、ステップｂ）の終了とステップｃ）の開始との時間は、１分未満、好ましくは２０秒未満、より好ましくは５秒未満、さらに好ましくは１秒未満である。特に、配向ステップｂ）の終了と固化ステップｃ）の開始との間には、本質的に時間差がないのが好ましい。すなわち、ステップｃ）がステップｂ）の直後に始まるか、又はステップｂ）の進行中に開始しているのが好ましい。
【０１７３】
[0172]上記概説の通り、ステップ（ａ）（支持表面又は好ましくは磁石又は板で構成された支持表面上の基板表面上への塗布）は、ステップｂ）と同時又はステップｂ）（磁界による粒子の配向）の前に実行可能であり、また、ステップｃ）（固化）は、ステップｂ）と同時又はステップｂ）（磁界による粒子の配向）の後に実行可能である。これは、特定の種類の機器に関しても可能となる場合があるものの、通常、３つのステップａ）、ｂ）、及びｃ）がすべて同時に行われることはない。また、ステップａ）及びｂ）並びにステップｂ）及びｃ）は、部分的に同時に実行してもよい（すなわち、例えば固化ステップｃ）が配向ステップｂ）の終わりに開始となるように、各ステップの実行時間が部分的に重なっていてもよい）。
【０１７４】
[0173]セキュリティ書類の汚染耐性又は耐化学性及び清浄度ひいては流通寿命を向上させる目的又はその美的外観（例えば、光沢）を改良する目的で、ＯＥＬ上には、１つ又は複数の保護層を塗布するようにしてもよい。１つ又は複数の保護層が存在する場合、当該層は通常、保護ワニスで構成されている。これらは、透明であってもよいし、わずかに着色又は染色されていてもよく、光沢度が高くてもよいし低くてもよい。保護ワニスは、放射線硬化性組成物、熱乾燥組成物、又はこれらの任意の組み合わせであってもよい。１つ又は複数の保護層は、好ましくは放射線硬化性組成物、より好ましくは紫外・可視光硬化性組成物である。保護層は、ステップｃ）におけるＯＥＬの形成後に塗布するようにしてもよい。
【０１７５】
[0174]上記プロセスによれば、１つの中央領域を囲む入れ子のループ状本体の光学的外観又は光学的印象を与え得る入れ子のループ状領域を備えたＯＥＬを有する基板であって、ＯＥＬの平面に垂直な断面であり、中央領域の中心から延びた断面において、閉ループ状領域に存在する非球状磁性又は磁化可能粒子を含むコーティング組成物の層の下方又は上方のいずれから磁界発生装置の磁界が印加されるかに応じて、非球状磁性又は磁化可能粒子それぞれの配向が、ＯＥＬの平面にある仮想的な各半トロイド状本体の表面の負湾曲部（図１ｂ参照）又は正湾曲部（図１ｃ参照）に従う、基板を得ることが可能である。さらに、使用する機器の種類に応じて、ループ状本体に囲まれた中央領域には、所謂「突起」すなわち基板表面と実質的に平行に配向した磁性又は磁化可能粒子を含む領域を含むことが可能である。このような実施形態において、配向は、中央領域の中心からループ状の閉塞形状本体まで延びた断面から見た場合に負湾曲又は正湾曲に従い、周囲のループ状本体に向かって変化する。最内閉ループ状本体と「突起」との間には、粒子が基板表面と実質的に垂直に配向することにより、反射性を全く又はほとんど示さない領域が存在するのが好ましい。
【０１７６】
[0175]これは特に、ＯＥＬがインク、例えばセキュリティインク又はその他何らかのコーティング材料で構成され、例えば上述した印刷によって、セキュリティ書類等の基板上に永久に配設される用途において有用である。
【０１７７】
[0176]上述のプロセスにおいて、ＯＥＬを基板上に設ける場合、当該ＯＥＬは、基板表面上に直接設けて、永久に残るようにしてもよい（例えば、紙幣用途の場合）。ただし、本発明の別の実施形態においては、製造のための暫定的な基板上にＯＥＬを設け、後でＯＥＬを取り外すようにしてもよい。これにより、特にバインダ材料が流体状態のままである場合に、例えばＯＥＬの製造が容易化される可能性がある。その後、コーティング組成物を固化させてＯＥＬを製造したら、暫定基板をＯＥＬから取り外してもよい。当然のことながら、このような場合、コーティング組成物は、例えば固化によりプラスチック状又はシート状の材料が形成される場合に、固化ステップ後に物理的にまとまった形態である必要がある。これにより、ＯＥＬそれ自体から成る（すなわち、非等方的な反射性を有する配向磁性又は磁化可能粒子と、当該粒子をそれぞれの配向に固定するとともにプラスチック膜等の膜状材料を形成する固化バインダ成分と、任意選択としての別の成分とから本質的に成る）膜状透明及び／又は半透明材料を提供可能である。
【０１７８】
[0177]或いは、別の実施形態において、基板は、ＯＥＬを設ける側と反対側に接着層を備えていてもよい。又は、好ましくは固化ステップの完了後に、ＯＥＬと同じ側でＯＥＬ上に接着層を設けることも可能である。このような場合は、接着層及びＯＥＬを含む接着ラベルが形成される。このようなラベルは、機械類や大きな労力を伴う印刷等のプロセスなく、あらゆる種類の書類又はその他の物品に取り付けるようにしてもよい。
【０１７９】
[0178]一実施形態によれば、ＯＥＣは、独立した転写ステップにおいて書類又は物品に適用可能な転写箔の形態で製造される。この目的のため、基板には剥離コーティングを設け、その上において、本明細書に記載の通り、ＯＥＬを製造している。このように製造されたＯＥＬ上には、１つ又は複数の接着層を塗布するようにしてもよい。
【０１８０】
[0179]用語「基板」は、コーティング組成物を塗布可能な材料を示すのに用いる。通常、基板は、シート状の形態であり、厚さが１ｍｍ以下、好ましくは０．５ｍｍ以下、より好ましくは０．２ｍｍ以下である。本明細書に記載の基板は、紙又はセルロース、紙含有材料、ガラス、セラミック、プラスチック、及びポリマー等のその他繊維材料、ガラス、複合材、並びにこれらの混合物又は組み合わせから成る群から選択するのが好ましい。代表的な紙、紙状、又はその他の繊維材料は、アバカ、綿、麻、木材パルプ、及びこれらの混合等、様々な繊維で構成されるが、これらに限定されない。当業者には周知の通り、紙幣には綿及び綿／麻混合が好ましく、紙幣以外のセキュリティ書類には、木材パルプが一般的に用いられている。プラスチック及びポリマーの代表例としては、ポリエチレン（ＰＥ）及びポリプロピレン（ＰＰ）等のポリオレフィン、ポリアミド、ポリ（エチレンテレフタレート）（ＰＥＴ）、ポリ（１，４−ブチレンテレフタレート）（ＰＢＴ）、ポリ（エチレン  ２，６−ナフトエート）（ＰＥＮ）等のポリエステル、及びポリ塩化ビニル（ＰＶＣ）等が挙げられる。基板としては、例えばＴｙｖｅｋ（登録商標）という商標で販売されているスパンボンドオレフィン繊維も使用可能である。複合材の代表例としては、紙及び上記のような少なくとも１つのプラスチック又はポリマー材料の多層構造又は積層並びに上記のような紙状又は繊維材料に組み込まれたプラスチック及び／又はポリマー繊維等が挙げられるが、これらに限定されない。当然のことながら、基板には、サイジング剤、漂白剤、加工助剤、補強又は湿潤増強剤等、当業者に既知の別の添加剤を含むことも可能である。
【０１８１】
[0180]本発明の一実施形態によれば、光学効果層被覆基板（ＯＥＣ）は、本明細書に記載の基板上に２つ以上のＯＥＬを備え、例えば２つ、３つ等のＯＥＬを備えていてもよい。本明細書において、１つ又は２つ以上のＯＥＬは、いくつかの同じ磁界発生装置を用いて形成してもよいし、いくつかの磁界発生装置を用いて形成してもよい。
【０１８２】
[0181]ＯＥＣは、第１のＯＥＬ及び第２のＯＥＬを備え、これら両者が基板の同じ側に存在していてもよいし、一方が基板の一方側に存在し、他方が基板の他方側に存在していてもよい。第１及び第２のＯＥＬは、基板の同じ側に設けられている場合、互いに隣接していてもよいし、隣接していなくてもよい。この追加又は代替として、一方のＯＥＬの一部又は全部が他方のＯＥＬと重なっていてもよい。
【０１８３】
[0182]２つ以上の磁界発生装置を用いて複数のＯＥＬを製造する場合は、複数の非球状磁性又は磁化可能粒子を配向させて１つのＯＥＬを製造する磁界発生装置と、別のＯＥＬを製造する磁界発生装置とを、ｉ）基板の同じ側に載置して、負湾曲部（図１ｂ参照）又は正湾曲部（図１ｃ参照）を示す２つのＯＥＬを製造するようにしてもよいし、ｉｉ）基板の両側に載置して、負湾曲部を示す一方のＯＥＬ及び正湾曲部を示す他方のＯＥＬを有するようにしてもよい。第１のＯＥＬを製造するための非球状磁性又は磁化可能粒子及び第２のＯＥＬを製造するための非球状磁性又は磁化可能粒子の磁気的配向は、同時に行ってもよいし、続けて行ってもよく、バインダ材料の中間固化又は部分固化を伴ってもよいし、伴わなくてもよい。
【０１８４】
[0183]セキュリティ書類の偽造及び違法複製に対するセキュリティレベル及び耐性をさらに高くすることを目的として、基板には、印刷、被覆、レーザマーキング、又はレーザ穿孔証印、透かし、セキュリティスレッド、繊維、プランシェット、発光化合物、窓、箔、デカール、及びこれらの組み合わせを含んでいてもよい。セキュリティ書類の偽造及び違法複製に対するセキュリティレベル及び耐性をさらに高くするという同じ目的で、基板には、１つ又は複数のマーカ物質若しくはタガント及び／又は機械可読物質（例えば、発光物質、紫外／可視／赤外吸収物質、磁性物質、及びこれらの組み合わせ）を含んでいてもよい。
【０１８５】
[0184]本明細書に記載のＯＥＬは、装飾目的並びにセキュリティ書類の保護及び認証に用いてもよい。
【０１８６】
[0185]また、本発明は、本明細書に記載のＯＥＬを備えた物品及び装飾物体を包含する。この物品及び装飾物体は、本明細書に記載の光学効果層を２つ以上備えていてもよい。物品及び装飾物体の代表例としては、高級品、化粧品パッケージ、自動車部品、電子／家電製品、家具等が挙げられるが、これらに限定されない。
【０１８７】
[0186]本発明の重要な一態様は、本明細書に記載のＯＥＬを備えたセキュリティ書類に関する。セキュリティ書類は、本明細書に記載の光学効果層を２つ以上備えていてもよい。セキュリティ書類としては、有価書類及び有価商品が挙げられるが、これらに限定されない。有価書類の代表例としては、紙幣、証書、チケット、小切手、証票、収入印紙及び納税印紙、契約書等、パスポート等の身分証明書類、身分証明書、ビザ、運転免許証、銀行カード、クレジットカード、取引カード、アクセス書類又はカード、入場券、公共交通乗車券又は証書等が挙げられるが、これらに限定されない。用語「有価商品」は、特に医薬品、化粧品、電子機器、又は食品産業において、偽造及び／又は違法複製に対する保護により、例えば本物の薬等のパッケージの内容物を保証すべきパッケージ材料を表す。これらパッケージ材料の例としては、認証ブランドラベル、不正防止ラベル等のラベル及びシールが挙げられるが、これらに限定されない。
【０１８８】
[0187]本明細書に記載のセキュリティ書類は、紙幣、身分証明書類、権利付与書類、運転免許証、クレジットカード、アクセスカード、交通証書、銀行小切手、及び保護製品ラベルから成る群から選択するのが好ましい。或いは、ＯＥＬは、例えばセキュリティスレッド、セキュリティストライプ、箔、デカール、窓、又はラベル等の補助基板上に製造し、その結果、独立したステップにおいて、セキュリティ書類に転写されるようにしてもよい。
【０１８９】
[0188]当業者であれば、本発明の主旨から逸脱することなく、上述した特定の実施形態について、いくつかの改良に想到し得る。このような改良についても、本発明に包含される。
【０１９０】
[0189]さらに、本明細書全体で引用したすべての文献は、その全内容を漏れなく本明細書に援用する。
【０１９１】
[0190]以下、実施例によって、本発明をさらに説明する。ただし、実施例は、本発明の範囲を何ら制限するものではない。
（実施例）
実施例１
図３に係る磁界発生装置を用いて、基板としての黒い紙上で、紫外線硬化性スクリーン印刷インクの印刷層における非球状光学可変磁性顔料を配向させた。
インクの配合は以下の通りである。
【表１】
2018141960.tif 000003
（＊）ＪＤＳ−Ｕｎｉｐｈａｓｅ、Ｓａｎｔａ  Ｒｏｓａ、ＣＡから入手した直径ｄ５０が約１５μｍ、厚さが約１μｍの緑色〜青色の光学可変磁性顔料薄片
図３に係る磁界発生装置を用いて、基板としての黒い紙上で、実施例１の配合に係る紫外線硬化性スクリーン印刷インクの印刷層における光学可変磁性顔料を配向させた。
磁界発生装置は、軟磁性鉄の下地板と、内径１５ｍｍ、外形１９ｍｍ、及び厚さ４ｍｍのストロンチウムヘキサフェライト装荷プラストフェライトの軸方向磁化環状永久磁石と、環状永久磁石の中心に配設された直径６ｍｍ、厚さ４ｍｍの軟磁性鉄の円筒状ヨークとを備えたものとした。
紫外線硬化性スクリーン印刷インクの印刷層を有する紙基板は、環状永久磁石の磁極及び鉄ヨークから１ｍｍの距離に配設した。このようにして得られた光学可変顔料の磁気的配向パターンは、塗布ステップの後、顔料を含む印刷層の紫外線硬化によって固定した。
得られた磁気的配向の画像を図３に示す。３つの異なる視点から、視角に応じた画像の変化を示している。
実施例２
図６ｄに係る磁界発生装置を用いて、基板としての黒い紙上で、実施例１の配合に係る紫外線硬化性スクリーン印刷インクの印刷層における光学可変磁性顔料を配向させた。
磁界発生装置は、直径６ｍｍ、厚さ１ｍｍの軸方向磁化ＮｄＦｅＢ永久磁石盤を配設した軟磁性鉄の下地板を備えたもので、磁気的なＳ極を軟磁性下地板上とした。永久磁石盤の磁気的なＮ極上には、外形１０ｍｍ、内径８ｍｍ、及び深さ１ｍｍの回転対称Ｕ字状軟磁性鉄ヨークを配設した。また、回転対称Ｕ字状軟磁性鉄ヨークの中心には、磁気的なＳ極を軟磁性鉄ヨーク上として、直径６ｍｍ、厚さ１ｍｍの第２の軸方向磁化ＮｄＦｅＢ永久磁石盤を配設した。
光学可変磁性顔料を含む紫外線硬化性スクリーン印刷インクの印刷層を有する紙基板は、第２の永久磁石盤の磁極及び鉄ヨークの直上に配設した。このようにして得られた光学可変顔料粒子の磁気的配向パターンは、塗布ステップの後、顔料を含む印刷層の紫外線硬化によって固定した。
得られた磁気的配向の画像を図６に示す。３つの異なる視点から、視角に応じた画像の変化を示している。
実施例３
図２４に係る磁界発生装置を用いて、基板としての黒い紙上で、実施例１の配合に係る紫外線硬化性スクリーン印刷インクの印刷層における光学可変磁性顔料を配向させた。
磁界発生装置は、非磁性の下地板と、当該下地板上に配設されたストロンチウムヘキサフェライト装荷プラストフェライトの一連の４つの入れ子の軸方向磁化環状永久磁石とを備え、ストロンチウムヘキサフェライト装荷プラストフェライトの軸方向磁化円筒状永久磁石を中心に備えたものとした。すべての磁性リングは高さが４ｍｍ、厚さが２ｍｍであり、磁性シリンダは高さが４ｍｍ、直径が３ｍｍであり、すべての磁石の間隔が２ｍｍである。磁石の磁気的なＮ極及びＳ極は、交互となるように配設した。
光学可変磁性顔料を含む紫外線硬化性スクリーン印刷インクの印刷層を有する紙基板は、磁石の磁極の直上に配設した。このようにして得られた光学可変顔料粒子の磁気的配向パターンは、塗布ステップの後、顔料を含む印刷層の紫外線硬化によって固定した。
得られた磁気的配向の画像を図２４に示す。３つの異なる視点から、視角に応じた画像の変化を示している。
実施例４
図１５に係る磁界発生装置を用いて、基板としての黒い紙上で、実施例１の配合に係る紫外線硬化性スクリーン印刷インクの印刷層における光学可変磁性顔料を配向させた。
磁界発生装置は、それぞれ寸法が３×３×３ｍｍの６つのＮｄＦｅＢ永久磁石を回転可能な非磁性の下地板上に併せて直線状に搭載したものとした。永久磁石の間隔は、１ｍｍとした。また、磁石の磁気軸はすべて、磁石の直線状配列の方向に沿って、同じ向きに整列させ、ＮＳ−ＮＳ−ＮＳ−ＮＳ−ＮＳ−ＮＳという直線状の配置となった。
第１の実施形態において、光学可変磁性顔料を含む紫外線硬化性スクリーン印刷インクの印刷層を有する紙基板は、磁石の磁極の直上に配設し、磁石を直線状に配列した回転可能な非磁性の下地板を高速で回転させて、粒子を配向させる平均磁界を発生させた。このようにして得られた光学可変顔料顔料の磁気的配向パターンは、塗布ステップの後、顔料を含む印刷層の紫外線硬化によって固定した。得られた磁気的配向の画像を図１５ｂに示す。３つの異なる視点から、視角に応じた画像の変化を示している。
第２の実施形態において、光学可変磁性顔料を含む紫外線硬化性スクリーン印刷インクの印刷層を有する紙基板は、磁石の磁極から１．５ｍｍの距離に配設した。その結果、わずかに異なる環状の効果画像が得られた。得られた磁気的配向の画像を図１５ｃに示す。３つの異なる視点から、視角に応じた画像の変化を示している。
【図１Ａ】
2018141960.tif 000004
【図１Ｂ】
2018141960.tif 000005
【図１Ｃ】
2018141960.tif 000006
【図２】
2018141960.tif 000007
【図３】
2018141960.tif 000008
【図４】
2018141960.tif 000009
【図５】
2018141960.tif 000010
【図６】
2018141960.tif 000011
【図７】
2018141960.tif 000012
【図８】
2018141960.tif 000013
【図９】
2018141960.tif 000014
【図１０】
2018141960.tif 000015
【図１１】
2018141960.tif 000016
【図１２】
2018141960.tif 000017
【図１３】
2018141960.tif 000018
【図１４】
2018141960.tif 000019
【図１５】
2018141960.tif 000020
【図１６】
2018141960.tif 000021
【図１７】
2018141960.tif 000022
【図１８】
2018141960.tif 000023
【図１９】
2018141960.tif 000024
【図２０】
2018141960.tif 000025
【図２１Ａ】
2018141960.tif 000026
【図２１Ｂ】
2018141960.tif 000027
【図２２】
2018141960.tif 000028
【図２３】
2018141960.tif 000029
【図２４】
2018141960.tif 000030
【図２５】
2018141960.tif 000031
【手続補正書】
【提出日】平成30年2月27日(2018.2.27)
【手続補正１】
【補正対象書類名】特許請求の範囲
【補正対象項目名】全文
【補正方法】変更
【補正の内容】
【特許請求の範囲】
【請求項１】
実質的に明細書に記載された発明。
【外国語明細書】
2018141960000001.pdf